(57)【特許請求の範囲】
【請求項１】
端末装置であって、
1つ以上の第一の要素が用いられて送信されるエンハンスド物理下りリンク制御チャネルを受信する受信部を備え、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする端末装置。
【請求項２】
前記第２の範囲は、前記第１の範囲に含まれるいずれの値よりも大きい値を含み、前記第１の範囲は前記第２の範囲に含まれるいずれの値よりも小さい値を含むことを特徴とする請求項１に記載の端末装置。
【請求項３】
少なくともＲＲＣ信号により通知された情報に基づいて、前記第１の値と前記第２の値のうちの１つを使用することを特徴とする請求項１に記載の端末装置。
【請求項４】
前記エンハンスド物理下りリンク制御チャネルは、Ｌｏｃａｌｉｚｅｄ送信、又はＤｉｓｔｒｉｂｕｔｅｄ送信のいずれかが用いられて送信されることを特徴とする請求項１に記載の端末装置。
【請求項５】
基地局装置であって、
1つ以上の第一の要素を用いてエンハンスド物理下りリンク制御チャネルを送信する送信部を備え、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする基地局装置。
【請求項６】
前記第２の範囲は、前記第１の範囲に含まれるいずれの値よりも大きい値を含み、前記第１の範囲は前記第２の範囲に含まれるいずれの値よりも小さい値を含むことを特徴とする請求項５に記載の基地局装置。
【請求項７】
少なくともＲＲＣ信号を用いて通知する情報に基づいて、前記第１の値と前記第２の値のうちの１つを使用することを特徴とする請求項５に記載の基地局装置。
【請求項８】
前記エンハンスド物理下りリンク制御チャネルは、Ｌｏｃａｌｉｚｅｄ送信、又はＤｉｓｔｒｉｂｕｔｅｄ送信のいずれかを用いて送信することを特徴とする請求項５に記載の基地局装置。
【請求項９】
端末装置における通信方法であって、
1つ以上の第一の要素が用いられて送信されるエンハンスド物理下りリンク制御チャネルを受信するステップを含み、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする通信方法。
【請求項１０】
基地局装置における通信方法であって、
1つ以上の第一の要素を用いてエンハンスド物理下りリンク制御チャネルを送信するステップを含み、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする通信方法。
【請求項１１】
端末装置に実装される集積回路であって、
1つ以上の第一の要素が用いられて送信されるエンハンスド物理下りリンク制御チャネルを受信する受信部を備え、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする集積回路。
【請求項１２】
基地局装置に実装される集積回路であって、
1つ以上の第一の要素を用いてエンハンスド物理下りリンク制御チャネルを送信する送信部を備え、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする集積回路。
【発明の詳細な説明】
【技術分野】
【０００１】
本発明は、複数の移動局装置と基地局装置から構成される通信システムにおいて、制御情報を含む信号が配置される可能性のある領域を効率的に設定し、基地局装置が移動局装置に対して効率的に制御情報を含む信号を送信することができ、移動局装置は基地局装置から効率的に制御情報を含む信号を受信することができる通信システム、移動局装置、基地局装置、通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
ＬＴＥを発展させ、新たな技術を適用するＬＴＥ−Ａ（LTE-Advanced）が検討されている。ＬＴＥ−ＡではＬＴＥと同一のチャネル構造を少なくともサポートすることが検討されている。チャネルとは、信号の送信に用いられる媒体を意味する。物理層で用いられるチャネルは物理チャネル、媒体アクセス制御（Medium Access Control: MAC）層で用いられるチャネルは論理チャネルと呼称する。物理チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータおよび制御情報の送受信に用いられる物理上りリンク共用チャネル（Physical Uplink Shared CHannel: PUSCH）、制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。移動局装置、または基地局装置は、制御情報、データなどから生成した信号を各物理チャネルに配置して、送信する。物理下りリンク共用チャネル、または物理上りリンク共用チャネルで送信されるデータは、トランスポートブロックと呼称する。
【０００４】
物理上りリンク制御チャネルに配置される制御情報は、上りリンク制御情報（Uplink Control Information: UCI）と呼称する。上りリンク制御情報は、受信された物理下りリンク共用チャネルに配置されたデータに対する肯定応答（Acknowledgement: ACK）または否定応答（Negative Acknowledgement: NACK）を示す制御情報（受信確認応答; ACK/NACK）、または上りリンクのリソースの割り当ての要求を示す制御情報（Scheduling Request: SR）、または下りリンクの受信品質（チャネル品質とも呼称する）を示す制御情報（Channel Quality Indicator: CQI）である。
【０００５】
＜協調通信＞
ＬＴＥ−Ａでは、セル端領域の移動局装置に対する干渉を軽減または抑圧するために、または受信信号電力を増大させるために、隣接セル間で互いに協調して通信を行なうセル間協調通信（Cooperative Multipoint: CoMP通信）が検討されている。なお、例えば、基地局装置が任意の１つの周波数帯域を用いて通信する形態のことを「セル（Cell）」と呼称する。例えば、セル間協調通信として、複数のセルで異なる重み付け信号処理（プリコーディング処理）が信号に適用され、複数の基地局装置がその信号を協調して同一の移動局装置に送信する方法（Joint Processing、Joint Transmissionとも称す）などが検討されている。この方法では、移動局装置の信号電力対干渉雑音電力比を向上することができ、移動局装置における受信特性を改善することができる。例えば、セル間協調通信として、複数のセルで協調して移動局装置に対してスケジューリングを行う方法（Coordinated Scheduling: CS）が検討されている。この方法では、移動局装置の信号電力対干渉雑音電力比を向上することができる。例えば、セル間協調通信として、複数のセルで協調してビームフォーミングを適用して移動局装置に信号を送信する方法（Coordinated beamforming:CB）が検討されている。この方法では、移動局装置の信号電力対干渉雑音電力比を向上することができる。例えば、セル間協調通信として、一方のセルでのみ所定のリソースを用いて信号を送信し、一方のセルでは所定のリソースで信号を送信しない方法（Blanking, Muting）が検討されている。この方法では、移動局装置の信号電力対干渉雑音電力比を向上することができる。
【０００６】
なお、協調通信に用いられる複数のセルに関して、異なるセルは異なる基地局装置により構成されてもよいし、異なるセルは同じ基地局装置に管理される異なるＲＲＨ（Remote Radio Head、基地局装置より小型の屋外型の無線部、Remote Radio Unit: RRUとも称す）により構成されてもよいし、異なるセルは基地局装置とその基地局装置に管理されるＲＲＨにより構成されてもよいし、異なるセルは基地局装置とその基地局装置とは異なる基地局装置に管理されるＲＲＨにより構成されてもよい。
【０００７】
カバレッジの広い基地局装置は、一般的にマクロ基地局装置と呼称する。カバレッジの狭い基地局装置は、一般的にピコ基地局装置、またはフェムト基地局装置と呼称する。ＲＲＨは、一般的に、マクロ基地局装置よりもカバレッジが狭いエリアでの運用が検討されている。マクロ基地局装置と、ＲＲＨにより構成され、マクロ基地局装置によりサポートされるカバレッジがＲＲＨによりサポートされるカバレッジの一部または全部を含んで構成される通信システムのような展開は、ヘテロジーニアスネットワーク展開と呼称する。そのようなヘテロジーニアスネットワーク展開の通信システムにおいて、マクロ基地局装置とＲＲＨが、お互いに重複したカバレッジ内に位置する移動局装置に対して、協調して信号を送信する方法が検討されている。ここで、ＲＲＨは、マクロ基地局装置により管理され、送受信が制御されている。なお、マクロ基地局装置とＲＲＨは、光ファイバ等の有線回線や、リレー技術を用いた無線回線により接続されている。このように、マクロ基地局装置とＲＲＨがそれぞれ一部または全部が同一の無線リソースを用いて協調通信を実行することで、マクロ基地局装置が構築するカバレッジのエリア内の総合的な周波数利用効率（伝送容量）が向上できる。
【０００８】
移動局装置は、マクロ基地局装置またはＲＲＨの付近に位置している場合、マクロ基地局装置またはＲＲＨとシングルセル通信することができる。つまり、ある移動局装置は、協調通信を用いずに、マクロ基地局装置またはＲＲＨと通信を行い、信号の送受信を行なう。例えば、マクロ基地局装置は、自装置に距離的に近い移動局装置からの上りリンクの信号を受信する。例えば、ＲＲＨは、自装置に距離的に近い移動局装置からの上りリンクの信号を受信する。さらに、移動局装置は、ＲＲＨが構築するカバレッジの端付近（セルエッジ）に位置する場合、マクロ基地局装置からの同一チャネル干渉に対する対策が必要になる。マクロ基地局装置とＲＲＨとのマルチセル通信（協調通信）として、隣接基地局装置間で互いに協調するＣｏＭＰ方式を用いることにより、セルエッジ領域の移動局装置に対する干渉を軽減または抑圧する方法が検討されている。
【０００９】
また、移動局装置は、下りリンクでは、協調通信を用いて、マクロ基地局装置とＲＲＨの双方から送信された信号を受信し、上りリンクでは、マクロ基地局装置、またはＲＲＨの何れかに対して適した形で信号を送信することが検討されている。例えば、移動局装置は、マクロ基地局装置で信号が受信されるのに適した送信電力で上りリンクの信号を送信する。例えば、移動局装置は、ＲＲＨで信号が受信されるのに適した送信電力で上りリンクの信号を送信する。これにより、上りリンクの不必要な干渉を低減し、周波数利用効率を向上できる。
【００１０】
移動局装置において、データ信号の受信処理に関して、データ信号に用いられる変調方式、符号化率、空間多重数、送信電力調整値、リソースの割り当てなどを示す制御情報を取得する必要がある。ＬＴＥ−Ａでは、データ信号に関する制御情報を送信する新しい制御チャネルを導入することが検討されている（非特許文献１）。例えば、全体の制御チャネルのキャパシティを改善することが検討されている。例えば、新しい制御チャネルに対して周波数領域での干渉コーディネーションをサポートすることが検討されている。例えば、新しい制御チャネルに対して空間多重をサポートすることが検討されている。例えば、新しい制御チャネルに対してビームフォーミングをサポートすることが検討されている。例えば、新しい制御チャネルに対してダイバーシチをサポートすることが検討されている。例えば、新しい制御チャネルを新しいタイプのキャリアで用いることが検討されている。例えば、新しいタイプのキャリアでは、セル内の全ての移動局装置に対して共通である参照信号の送信を行わないことが検討されている。例えば、新しいタイプのキャリアでは、セル内の全ての移動局装置に対して共通である参照信号の送信頻度を従来よりも減らすことが検討されている。例えば、新しいタイプのキャリアでは、移動局装置において固有の参照信号を用いて制御情報等の信号を復調することが検討されている。
【００１１】
例えば、ビームフォーミングの適用として、新しい制御チャネルに対して協調通信、複数アンテナ送信を適用することが検討されている。具体的には、ＬＴＥ−Ａに対応した複数の基地局装置、複数のＲＲＨが、新しい制御チャネルの信号に対してプリコーディング処理を適用し、その新しい制御チャネルの信号を復調するための参照信号（Reference Signal: RS）に対しても同じプリコーディング処理を適用することが検討されている。具体的には、ＬＴＥ−Ａに対応した複数の基地局装置、複数のＲＲＨが、同じプリコーディング処理が適用される新しい制御チャネルの信号とＲＳを、ＬＴＥにおいてはＰＤＳＣＨが配置されるリソースの領域に配置し、送信することが検討されている。ＬＴＥ−Ａに対応した移動局装置は、受信したＲＳであって、プリコーディング処理が行われたＲＳを用いて、同じプリコーディング処理が行われた新しい制御チャネルの信号を復調し、制御情報を取得することが検討されている。この方法では、基地局装置と移動局装置間で新しい制御チャネルの信号に適用したプリコーディング処理に関する情報をやり取りする必要がなくなる。
【００１２】
例えば、ダイバーシチの適用として、周波数領域で離れたリソースを用いて新しい制御チャネルの信号を構成して、周波数ダイバーシチの効果を得る方法が検討されている。一方、ビームフォーミングが新しい制御チャネルに適用される場合は、周波数領域で離れていないリソースを用いて新しい制御チャネルの信号を構成する方法が検討されている。
【００１３】
例えば、空間多重のサポートとして、異なる移動局装置に対する制御チャネルを同一のリソースで多重するＭＵ−ＭＩＭＯ（Multi User - Multi Input Multi Output）を適用することが検討されている。具体的には、基地局装置は、異なる移動局装置間で直交となる参照信号を送信すると共に、共通のリソースに異なる新しい制御チャネルの信号を空間多重して送信することが検討されている。例えば、異なる新しい制御チャネルの信号の空間多重は、異なる新しい制御チャネルの信号のそれぞれに対して適したビームフォーミング（プリコーディング処理）を適用することにより実現される。
【先行技術文献】
【非特許文献】
【００１４】
【非特許文献１】3GPP TSG RAN1 #66bis、Zhuhai、China、10-14、October、2011、R1-113589“Way Forward on downlink control channel enhancements by UE-specific RS”
【発明の概要】
【発明が解決しようとする課題】
【００１５】
効率的にリソースを使用して、制御チャネルが送受信されることが望ましい。移動局装置毎に対して要求条件を満たすリソースの量が制御チャネルに必要であり、効率的なリソースの使用が制御チャネルに実施されなければ、制御チャネルのキャパシティを増大することはできず、制御チャネルが割り当てられる移動局装置の数を増やすことはできない。
【００１６】
例えば、基地局装置が、端末装置が使用するリソースブロックペアを柔軟に設定することにより、システム全体での制御チャネルのキャパシティを向上させることを効率的に制御できることが望ましい。
【００１７】
本発明は上記の点に鑑みてなされたものであり、その目的は、複数の移動局装置と基地局装置から構成される通信システムにおいて、制御情報を含む信号が配置される可能性のある領域を効率的に設定し、基地局装置が移動局装置に対して効率的に制御情報を含む信号を送信することができ、移動局装置は基地局装置から効率的に制御情報を含む信号を受信することができる通信システム、移動局装置、基地局装置、通信方法および集積回路に関する。
【課題を解決するための手段】
【００１８】
（１）上記の目的を達成するために、本発明は、以下のような手段を講じた。すなわち、本発明の通信方法は、制御チャネルが配置される可能性のある領域である制御チャネル領域として複数の物理リソースブロックペアが構成され、１つの前記物理リソースブロックペアを分割したリソースから第二の要素が構成され、第一の要素は1個以上の前記第二の要素から構成され、制御チャネルは１個以上の前記第一の要素の集合から構成され、基地局装置と前記制御チャネルを用いて通信を行う移動局装置に用いられる通信方法であって、前記制御チャネルに用いられる可能性のあるリソースブロックペアが示されたビットマップを含む情報を受信するステップと、システム帯域幅に基づいて確保する第一の要素数を決定するステップと、確保された第一の要素と前記第二の要素とのマッピングルールを決定するステップと通知されたビットマップを用いてサーチスペースを設定するステップと、を少なくとも含むことを特徴とする。
【００１９】
（２）また、本発明の通信システムは、制御チャネルが配置される可能性のある領域である制御チャネル領域として複数の物理リソースブロックペアが構成され、１つの前記物理リソースブロックペアを分割したリソースから第二の要素が構成され、第一の要素は1個以上の前記第二の要素から構成され、制御チャネルは１個以上の前記第一の要素の集合から構成され、基地局装置と前記制御チャネルを用いて通信を行う移動局装置から構成される通信システムであって、前記基地局装置は、前記制御チャネルに用いられる可能性のあるリソースブロックペアが示されたビットマップを含む情報を送信する送信部、を有し、前記移動局装置は、前記制御チャネルに用いられる可能性のあるリソースブロックペアが示されたビットマップを含む情報を受信する受信部と、システム帯域幅に基づいて確保する第一の要素数し、確保された第一の要素と前記第二の要素とのマッピングルールを決定し、通知されたビットマップを用いてサーチスペースを設定する制御部、を有することを特徴とする。
【００２０】
（３）また、本発明の移動局装置は、制御チャネルが配置される可能性のある領域である制御チャネル領域として複数の物理リソースブロックペアが構成され、１つの前記物理リソースブロックペアを分割したリソースから第二の要素が構成され、第一の要素は1個以上の前記第二の要素から構成され、制御チャネルは１個以上の前記第一の要素の集合から構成され、基地局装置と前記制御チャネルを用いて通信を行う移動局装置であって、前記制御チャネルに用いられる可能性のあるリソースブロックペアが示されたビットマップを含む情報を受信する受信部と、システム帯域幅に基づいて確保する第一の要素数し、確保された第一の要素と前記第二の要素とのマッピングルールを決定し、通知されたビットマップを用いてサーチスペースを設定する制御部、を少なくとも含むことを特徴とする。
【００２１】
（４）また、本発明の基地局装置は、制御チャネルが配置される可能性のある領域である制御チャネル領域として複数の物理リソースブロックペアが構成され、１つの前記物理リソースブロックペアを分割したリソースから第二の要素が構成され、第一の要素は1個以上の前記第二の要素から構成され、制御チャネルは１個以上の前記第一の要素の集合から構成され、複数の移動局と前記制御チャネルを用いて通信を行う基地局装置であって、前記制御チャネルに用いられる可能性のあるリソースブロックペアが示されたビットマップを含む情報を送信する送信部と、システム帯域幅に基づいて確保する第一の要素数を決定し、確保された第一の要素と前記第二の要素とのマッピングルールを決定し、通知したビットマップを用いてサーチスペースを設定する制御部、を少なくとも含むことを特徴とする。
【００２２】
（５）また、本発明の集積回路は、制御チャネルが配置される可能性のある領域である制御チャネル領域として複数の物理リソースブロックペアが構成され、１つの前記物理リソースブロックペアを分割したリソースから第二の要素が構成され、第一の要素は1個以上の前記第二の要素から構成され、制御チャネルは１個以上の前記第一の要素の集合から構成され、基地局装置と前記制御チャネルを用いて通信を行う移動局装置に用いられる集積回路であって、前記制御チャネルに用いられる可能性のあるリソースブロックペアが示されたビットマップを含む情報を受信する受信部と、システム帯域幅に基づいて確保する第一の要素数し、確保された第一の要素と前記第二の要素とのマッピングルールを決定し、通知されたビットマップを用いてサーチスペースを設定する制御部、を少なくとも含むことを特徴とする。
【００２３】
本明細書では、移動局装置に対して制御チャネルが配置される可能性のある領域が基地局装置より設定される通信システム、移動局装置、基地局装置、通信方法および集積回路の改良という点において本発明を開示するが、本発明が適用可能な通信方式は、ＬＴＥまたはＬＴＥ−ＡのようにＬＴＥと上位互換性のある通信方式に限定されるものではない。例えば、本発明はＵＭＴＳ（Universal Mobile Telecommunications System）にも適用することができる。
【発明の効果】
【００２４】
この発明によれば、基地局装置が移動局装置に対して効率的に制御情報を含む信号を送信することができ、移動局装置は基地局装置から効率的に制御情報を含む信号を受信することができ、更に効率的な通信システムを実現することができる。
【図面の簡単な説明】
【００２５】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５の第二のＰＤＣＣＨ領域のＤＬ  ＰＲＢ  ｐａｉｒ内の各Ｅ−ＣＣＥの復調に用いるＵＥ−ｓｐｅｃｉｆｉｃ  ＲＳの設定に関わる処理の一例を示すフローチャートである。
【図８】本発明の実施形態に係る基地局装置３の第二のＰＤＣＣＨ領域ＤＬ  ＰＲＢ  ｐａｉｒ内の各Ｅ−ＣＣＥの送信に用いる送信アンテナ（アンテナポート）の設定に関わる処理の一例を示すフローチャートである。
【図９】本発明の実施形態に係る通信システムの全体像についての概略を説明する図である。
【図１０】本発明の実施形態に係る基地局装置３、またはＲＲＨ４から移動局装置５への下りリンクの時間フレームの概略構成を示す図である。
【図１１】本発明の実施形態に係る通信システム１の下りリンクサブフレーム内の下りリンク参照信号の配置の一例を示す図である。
【図１２】本発明の実施形態に係る通信システム１の下りリンクサブフレーム内の下りリンク参照信号の配置の一例を示す図である。
【図１３】８アンテナポート用のＣＳＩ−ＲＳ（伝送路状況測定用参照信号）がマッピングされたＤＬ  ＰＲＢ  ｐａｉｒを示す図である。
【図１４】本発明の実施形態に係る移動局装置５から基地局装置３、ＲＲＨ４への上りリンクの時間フレームの概略構成を示す図である。
【図１５】本発明の実施形態に係る通信システム１の第一のＰＤＣＣＨとＣＣＥの論理的な関係を説明する図である。
【図１６】本発明の実施形態に係る通信システム１の下りリンク無線フレームにおけるリソースエレメントグループの配置例を示す図である。
【図１７】本発明の実施形態に係る通信システム１において第二のＰＤＣＣＨが配置される可能性のある領域の概略構成の一例を示す図である。
【図１８】本発明の実施形態に係る通信システム１の第二のＰＤＣＣＨとＥ−ＣＣＥの論理的な関係を説明する図である。
【図１９】本発明の実施形態のＥ−ＣＣＥの構成の一例を示す図である。
【図２０】本発明の実施形態のＥ−ＣＣＥの構成の一例を示す図である。
【図２１】Ｅ−ＣＣＥ、領域とＬｏｃａｌｉｚｅｄ  Ｅ−ＰＤＣＣＨの構成の一例を示す図である。
【図２２】Ｅ−ＣＣＥ、領域とＤｉｓｔｒｉｂｕｔｅｄ  Ｅ−ＰＤＣＣＨの構成の一例を示す図である。
【図２３】Ｅ−ＣＣＥ、領域とＬｏｃａｌｉｚｅｄ  Ｅ−ＰＤＣＣＨの構成の一例を示す図である。
【図２４】Ｅ−ＣＣＥ、領域、ビットマップ、ＰＲＢ  ＰａｉｒとＤｉｓｔｒｉｂｕｔｅｄ  Ｅ−ＰＤＣＣＨの構成の一例を示す図である。（基地局装置側）
【図２５】Ｅ−ＣＣＥ、領域、ビットマップ、ＰＲＢ  ＰａｉｒとＤｉｓｔｒｉｂｕｔｅｄ  Ｅ−ＰＤＣＣＨの構成の一例を示す図である。（移動局装置側）
【図２６】Ｅ−ＣＣＥ、領域、ビットマップ、ＰＲＢ  ＰａｉｒとＤｉｓｔｒｉｂｕｔｅｄ  Ｅ−ＰＤＣＣＨの構成の一例を示す図である。（基地局装置側）
【図２７】Ｅ−ＣＣＥ、領域、ビットマップ、ＰＲＢ  ＰａｉｒとＤｉｓｔｒｉｂｕｔｅｄ  Ｅ−ＰＤＣＣＨの構成の一例を示す図である。（移動局装置側）
【図２８】Ｅ−ＣＣＥ、領域、ビットマップ、ＰＲＢ  ＰａｉｒとＤｉｓｔｒｉｂｕｔｅｄ  Ｅ−ＰＤＣＣＨの構成の一例を示す図である。（基地局装置側）
【図２９】本発明の実施形態に係る移動局装置５の第二のＰＤＣＣＨのモニタリングを説明する図である。
【発明を実施するための形態】
【００２６】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ）及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。ＵＴＲＡ及びＥ−ＵＴＲＡは、汎用移動通信システム（ＵＭＴＳ）の一部である。３ＧＰＰ ＬＴＥ（Ｌｏｎｇ  Ｔｅｒｍ  Ｅｖｏｌｕｔｉｏｎ）は、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。ＵＴＲＡ、Ｅ−ＵＴＲＡ、ＵＭＴＳ、ＬＴＥ、ＬＴＥ−Ａ及びＧＳＭは、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００２７】
以下、図面を参照しながら本発明の実施形態について詳しく説明する。図９〜図２６を用いて、本実施形態に係る通信システムの全体像、および無線フレームの構成などについて説明する。図１〜図６を用いて、本実施形態に係る通信システムの構成について説明する。図７〜図８を用いて、本実施形態に係る通信システムの動作処理について説明する。
【００２８】
図９は、本発明の実施形態に係る通信システムの全体像についての概略を説明する図である。この図が示す通信システム１は、基地局装置（eNodeB、NodeB、BS: Base Station、AP: Access Point; アクセスポイント、マクロ基地局とも呼称する。）３と、複数のＲＲＨ（Remote Radio Head、基地局装置より小型の屋外型の無線部を有する装置、Remote Radio Unit: RRUとも称す）（リモートアンテナ、分散アンテナとも呼称する。）４Ａ、４Ｂ、４Ｃと、複数の移動局装置（UE: User Equipment、MS: Mobile Station、MT: Mobile Terminal、端末、端末装置、移動端末とも呼称する）５Ａ、５Ｂ、５Ｃとが通信を行なう。以下、本実施形態において、ＲＲＨ４Ａ、４Ｂ、４ＣをＲＲＨ４と呼び、移動局装置５Ａ、５Ｂ、５Ｃを移動局装置５と呼び、適宜説明を行なう。通信システム１では、基地局装置３とＲＲＨ４が協調して、移動局装置５と通信を行う。図９では、基地局装置３とＲＲＨ４Ａとが移動局装置５Ａと協調通信を行い、基地局装置３とＲＲＨ４Ｂとが移動局装置５Ｂと協調通信を行い、基地局装置３とＲＲＨ４Ｃとが移動局装置５Ｃと協調通信を行う。
【００２９】
なお、ＲＲＨは、基地局装置の特殊な形態とも言える。例えば、ＲＲＨは信号処理部のみを有し、他の基地局装置によってＲＲＨで用いられるパラメータの設定、スケジューリングの決定などが行われる基地局装置と言うことができる。よって、以降の説明では、基地局装置３という表現は、適宜ＲＲＨ４を含むことに注意すべきである。
【００３０】
＜協調通信＞
本発明の実施形態に係る通信システム１では、複数のセルを用いて協調して信号の送受信が行なわれる協調通信（Cooperative Multipoint: CoMP通信）が用いられうる。なお、例えば、基地局装置が任意の１つの周波数帯域を用いて通信する形態のことを「セル（Cell）」と呼称する。例えば、協調通信として、複数のセル（基地局装置３とＲＲＨ４）で異なる重み付け信号処理（プリコーディング処理）が信号に適用され、基地局装置３とＲＲＨ４がその信号を協調して同一の移動局装置５に送信する（Joint Processing、Joint Transmission）。例えば、協調通信として、複数のセル（基地局装置３とＲＲＨ４）で協調して移動局装置５に対してスケジューリングを行う（Coordinated Scheduling: CS）。例えば、協調通信として、複数のセル（基地局装置３とＲＲＨ４）で協調してビームフォーミングを適用して移動局装置５に信号を送信する（Coordinated Beamforming: CB）。例えば、協調通信として、一方のセル（基地局装置３、またはＲＲＨ４）でのみ所定のリソースを用いて信号を送信し、一方のセル（基地局装置３、またはＲＲＨ４）では所定のリソースで信号を送信しない（Blanking, Muting）。
【００３１】
なお、本発明の実施形態では説明を省略するが、協調通信に用いられる複数のセルに関して、異なるセルは異なる基地局装置３により構成されてもよいし、異なるセルは同じ基地局装置３に管理される異なるＲＲＨ４により構成されてもよいし、異なるセルは基地局装置３とその基地局装置とは異なる基地局装置３に管理されるＲＲＨ４により構成されてもよい。
【００３２】
なお、複数のセルは物理的には異なるセルとして用いられるが、論理的には同一のセルとして用いられてもよい。具体的には、共通のセル識別子（物理セルＩＤ：Physical cell ID）が各セルに用いられる構成でもよい。複数の送信装置（基地局装置３とＲＲＨ４）が同一の周波数帯域を用いて同一の受信装置に対して共通の信号を送信する構成を単一周波数ネットワーク（SFN; Single Frequency Network）と呼称する。
【００３３】
本発明の実施形態の通信システム１の展開は、ヘテロジーニアスネットワーク展開を想定する。通信システム１は、基地局装置３と、ＲＲＨ４により構成され、基地局装置３によりサポートされるカバレッジがＲＲＨ４によりサポートされるカバレッジの一部または全部を含んで構成される。ここで、カバレッジとは、要求を満たしつつ通信を実現することができるエリアのことを意味する。通信システム１では、基地局装置３とＲＲＨ４が、お互いに重複したカバレッジ内に位置する移動局装置５に対して、協調して信号を送信する。ここで、ＲＲＨ４は、基地局装置３により管理され、送受信が制御されている。なお、基地局装置３とＲＲＨ４は、光ファイバ等の有線回線や、リレー技術を用いた無線回線により接続されている。
【００３４】
移動局装置５は、基地局装置３またはＲＲＨ４の付近に位置している場合、基地局装置３またはＲＲＨ４とシングルセル通信を用いてもよい。つまり、ある移動局装置５は、協調通信を用いずに、基地局装置３またはＲＲＨ４と通信を行い、信号の送受信を行なってもよい。例えば、基地局装置３は、自装置に距離的に近い移動局装置５からの上りリンクの信号を受信してもよい。例えば、ＲＲＨ４は、自装置に距離的に近い移動局装置５からの上りリンクの信号を受信してもよい。また、例えば、基地局装置３とＲＲＨ４の両方が、ＲＲＨ４が構築するカバレッジの端付近（セルエッジ）に位置する移動局装置５からの上りリンクの信号を受信してもよい。
【００３５】
また、移動局装置５は、下りリンクでは、協調通信を用いて、基地局装置３とＲＲＨ４の双方から送信された信号を受信し、上りリンクでは、基地局装置３、またはＲＲＨ４の何れかに対して適した形で信号を送信してもよい。例えば、移動局装置５は、基地局装置３で信号が受信されるのに適した送信電力で上りリンクの信号を送信する。例えば、移動局装置５は、ＲＲＨ４で信号が受信されるのに適した送信電力で上りリンクの信号を送信する。
【００３６】
また、本発明の実施形態では、１つの基地局装置３内でＭＵ（Multi-User）−ＭＩＭＯが適用されうる。例えば、ＭＵ−ＭＩＭＯは、複数の送信アンテナを用いた基地局装置３のエリア内の異なる位置（例えば、エリアＡ、エリアＢ）に存在する複数の移動局装置５に対して、プリコーディング技術等を用いて、各移動局装置５に対する信号に対してビームを制御することにより、周波数領域および時間領域で同一のリソースを用いた場合であっても、移動局装置５間の信号に対して互いに直交性の維持または同一チャネル干渉の低減を行う技術である。空間的に移動局装置５間の信号を多重分離することから、ＳＤＭＡ（Space Division Multiple Access）とも呼称する。
【００３７】
ＭＵ−ＭＩＭＯでは、基地局装置３は、異なる移動局装置５間で直交となるＵＥ−ｓｐｅｃｉｆｉｃ  ＲＳを送信すると共に、共通のリソースに異なる第二のＰＤＣＣＨの信号を空間多重して送信する。ＭＵ−ＭＩＭＯでは、空間多重される、それぞれの移動局装置５に対して異なるプリコーディング処理が適用される。基地局装置３のエリア内で、エリアＡに位置する移動局装置５とエリアＢに位置する移動局装置５の第二のＰＤＣＣＨとＵＥ−ｓｐｅｃｉｆｉｃ  ＲＳに対して異なるプリコーディング処理が行われうる。第二のＰＤＣＣＨが配置される可能性のある領域に関して、エリアＡに位置する移動局装置５とエリアＢに位置する移動局装置５に対してその領域が独立に設定され、独立にプリコーディング処理が適用されうる。
【００３８】
通信システム１では、基地局装置３、またはＲＲＨ４から移動局装置５への通信方向である下りリンク（DL: Downlinkとも呼称する。）が、下りリンクパイロットチャネル、物理下りリンク制御チャネル（PDCCH: Physical Downlink Control CHannelとも呼称する。）、および物理下りリンク共用チャネル（PDSCH: Physical Downlink Shared CHannelとも呼称する。）を含んで構成される。ＰＤＳＣＨは、協調通信が適用されたり、適用されなかったりする。ＰＤＣＣＨは、第一のＰＤＣＣＨと、第二のＰＤＣＣＨ（Ｅ−ＰＤＣＣＨ：Ｅｎｈａｎｃｅｄ‐ＰＤＣＣＨ）とにより構成される。下りリンクパイロットチャネルは、ＰＤＳＣＨ、第一のＰＤＣＣＨの復調に用いられる第一のタイプの参照信号（後述するＣＲＳ）と、ＰＤＳＣＨ、第二のＰＤＣＣＨの復調に用いられる第二のタイプの参照信号（後述するＵＥ−ｓｐｅｃｉｆｉｃ  ＲＳ）と、第三のタイプの参照信号（後述するＣＳＩ‐ＲＳ）とにより構成される。
【００３９】
なお、１つの観点から見ると、第一のＰＤＣＣＨは、第一のタイプの参照信号と同じ送信ポート（アンテナポート、送信アンテナ）が用いられる物理チャネルである。また、第二のＰＤＣＣＨは、第二のタイプの参照信号と同じ送信ポートが用いられる物理チャネルである。移動局装置５は、第一のＰＤＣＣＨにマッピングされる信号に対して、第一のタイプの参照信号を用いて復調し、第二のＰＤＣＣＨにマッピングされる信号に対して、第二のタイプの参照信号を用いて復調する。第一のタイプの参照信号は、セル内の全移動局装置５に共通の参照信号であって、ほぼすべてのリソースブロックに挿入されており、いずれの移動局装置５も使用可能な参照信号である。このため、第一のＰＤＣＣＨは、いずれの移動局装置５も復調可能である。一方、第二のタイプの参照信号は、割り当てられたリソースブロックのみに基本的に挿入されうる参照信号である。第二のタイプの参照信号には、データと同じように適応的にプリコーディング処理が適用されうる。
【００４０】
なお、１つの観点から見ると、第一のＰＤＣＣＨは、ＰＤＳＣＨが配置されないＯＦＤＭシンボルに配置される制御チャネルである。また、第二のＰＤＣＣＨは、ＰＤＳＣＨが配置されるＯＦＤＭシンボルに配置される制御チャネルである。なお、１つの観点から見ると、第一のＰＤＣＣＨは、基本的に下りリンクシステム帯域の全てのＰＲＢ（１番目のスロットのＰＲＢ）に亘って信号が配置される制御チャネルであり、第二のＰＤＣＣＨは、下りリンクシステム帯域内の基地局装置３より構成されたＰＲＢ  ｐａｉｒ（ＰＲＢ）に亘って信号が配置される制御チャネルである。なお、詳細は後述するが、１つの観点から見ると、第一のＰＤＣＣＨと第二のＰＤＣＣＨは異なる信号構成が用いられる。第一のＰＤＣＣＨは後述するＣＣＥ構造が信号構成に用いられ、第二のＰＤＣＣＨは後述するＥ−ＣＣＥ（Ｅｎｈａｎｃｅｄ−ＣＣＥ）（第一の要素）構造が信号構成に用いられる。言い換えると、第一のＰＤＣＣＨと第二のＰＤＣＣＨとで、１つの制御チャネルの構成に用いられるリソースの最小単位（要素）が異なり、各制御チャネルはそれぞれの最小単位を１つ以上含んで構成される。
【００４１】
また、通信システム１では、移動局装置５から基地局装置３、またはＲＲＨ４への通信方向である上りリンク（UL: Uplinkとも呼称する）が、物理上りリンク共用チャネル（PUSCH: PhysicalUplink Shared CHannelとも呼称する。）、上りリンクパイロットチャネル（上りリンク参照信号; UL RS: Uplink Reference Signal、SRS: Sounding Reference Signal、DM RS: Demodulation Reference Signal）、および物理上りリンク制御チャネル（PUCCH: Physical Uplink Control CHannelとも呼称する。）を含んで構成される。チャネルとは、信号の送信に用いられる媒体を意味する。物理層で用いられるチャネルは物理チャネル、媒体アクセス制御（Medium Access Control: MAC）層で用いられるチャネルは論理チャネルと呼称する。
【００４２】
また、本発明は、例えば下りリンクに協調通信が適用される場合、例えば下りリンクに複数アンテナ送信が適用される場合の通信システムに適用可能であり、説明の簡略化のため、上りリンクにおいては協調通信が適用されない場合、上りリンクにおいては複数アンテナ送信が適用されない場合について説明するが、そのような場合に本発明は限定されない。
【００４３】
ＰＤＳＣＨは、下りリンクのデータおよび制御情報（ＰＤＣＣＨで送信される制御情報とは異なる）の送受信に用いられる物理チャネルである。ＰＤＣＣＨは、下りリンクの制御情報（ＰＤＳＣＨで送信される制御情報とは異なる）の送受信に用いられる物理チャネルである。ＰＵＳＣＨは、上りリンクのデータおよび制御情報（下りリンクで送信される制御情報とは異なる）の送受信に用いられる物理チャネルである。ＰＵＣＣＨは、上りリンクの制御情報（上りリンク制御情報; Uplink Control Information: UCI）の送受信に用いられる物理チャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が用いられる。その他の物理チャネルの種類としては、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報（SIB: System Information Blockとも呼称する。）の送信に用いられる物理報知チャネル（Physical Broadcast CHannel: PBCH）等が用いられる。また、ＰＤＳＣＨは下りリンクのシステム情報の送信にも用いられる。
【００４４】
移動局装置５、基地局装置３、またはＲＲＨ４は、制御情報、データなどから生成した信号を各物理チャネルに配置して、送信する。ＰＤＳＣＨ、またはＰＵＳＣＨで送信されるデータは、トランスポートブロックと呼称する。また、基地局装置３、またはＲＲＨ４が管轄するエリアのことをセルと呼ぶ。
【００４５】
＜下りリンクの時間フレームの構成＞
図１０は、本発明の実施形態に係る基地局装置３、またはＲＲＨ４から移動局装置５への下りリンクの時間フレームの概略構成を示す図である。この図において、横軸は時間領域、縦軸は周波数領域を表している。下りリンクの時間フレームは、リソースの割り当てなどの単位であり、下りリンクの予め決められた幅の周波数帯および時間帯からなるリソースブロック（RB）（物理リソースブロック; PRB: Physical Resource Blockとも呼称する。）のペア（物理リソースブロックペア; PRB pairと呼称する。）から構成される。１個の下りリンクのＰＲＢ  ｐａｉｒ（下りリンク物理リソースブロックペア; DL PRB pairと呼称する。）は下りリンクの時間領域で連続する２個のＰＲＢ（下りリンク物理リソースブロック; DL PRBと呼称する。）から構成される。
【００４６】
また、この図において、１個のＤＬ  ＰＲＢは、下りリンクの周波数領域において１２個のサブキャリア（下りリンクサブキャリアと呼称する。）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する。）は、基地局装置３、またはＲＲＨ４の下りリンクの通信帯域である。例えば、下りリンクのシステム帯域幅（下りリンクシステム帯域幅と呼称する。）は、２０ＭＨｚの周波数帯域幅から構成される。
【００４７】
なお、下りリンクシステム帯域では下りリンクシステム帯域幅に応じて複数のＤＬ  ＰＲＢ（ＤＬ  ＰＲＢ  ｐａｉｒ）が配置される。例えば、２０ＭＨｚの周波数帯域幅の下りリンクシステム帯域は、１１０個のＤＬ  ＰＲＢ（ＤＬ  ＰＲＢ  ｐａｉｒ）から構成される。
【００４８】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）がある。なお、１個の下りリンクサブキャリアと１個のＯＦＤＭシンボルから構成されるユニットをリソースエレメント（Resource Element: RE）（下りリンクリソースエレメント）と呼称する。各下りリンクサブフレームには少なくとも、情報データ（トランスポートブロック; Transport Blockとも呼称する。）の送信に用いられるＰＤＳＣＨ、ＰＤＳＣＨに対する制御情報の送信に用いられる第一のＰＤＣＣＨ、第二のＰＤＣＣＨが配置される。この図においては、第一のＰＤＣＣＨは下りリンクサブフレームの１番目から３番目までのＯＦＤＭシンボルから構成され、ＰＤＳＣＨ、第二のＰＤＣＣＨは下りリンクサブフレームの４番目から１４番目までのＯＦＤＭシンボルから構成される。なお、ＰＤＳＣＨと第二のＰＤＣＣＨは異なるＤＬ  ＰＲＢ  ｐａｉｒに配置される。なお、第一のＰＤＣＣＨを構成するＯＦＤＭシンボルの数と、ＰＤＳＣＨ、第二のＰＤＣＣＨを構成するＯＦＤＭシンボルの数は、下りリンクサブフレーム毎に変更されてもよい。なお、第二のＰＤＣＣＨを構成するＯＦＤＭシンボルの数は、固定としてもよい。例えば、第一のＰＤＣＣＨを構成するＯＦＤＭシンボルの数や、ＰＤＳＣＨを構成するＯＦＤＭシンボルの数に関わらず、第二のＰＤＣＣＨが下りリンクサブフレームの４番目から１４番目までのＯＦＤＭシンボルから構成されてもよい。
【００４９】
この図において図示は省略するが、下りリンクの参照信号（Reference signal: RS）（下りリンク参照信号と呼称する。）の送信に用いられる下りリンクパイロットチャネルが複数の下りリンクリソースエレメントに分散して配置される。ここで、下りリンク参照信号は、少なくとも異なるタイプの第一のタイプの参照信号と第二のタイプの参照信号と第三のタイプの参照信号から構成される。例えば、下りリンク参照信号は、ＰＤＳＣＨおよびＰＤＣＣＨ（第一のＰＤＣＣＨ、第二のＰＤＣＣＨ）の伝搬路変動の推定に用いられる。第一のタイプの参照信号は、ＰＤＳＣＨ、第一のＰＤＣＣＨの復調に用いられ、Ｃｅｌｌ  ｓｐｅｃｉｆｉｃ  ＲＳ：ＣＲＳとも呼称する。第二のタイプの参照信号は、ＰＤＳＣＨ、第二のＰＤＣＣＨの復調に用いられ、ＵＥ‐ｓｐｅｃｉｆｉｃ  ＲＳとも呼称する。例えば、第三のタイプの参照信号は、伝搬路変動の推定のみに用いられ、Ｃｈａｎｎｅｌ  Ｓｔａｔｅ  Ｉｎｆｏｒｍａｔｉｏｎ  ＲＳ：ＣＳＩ−ＲＳとも呼称する。下りリンク参照信号は、通信システム１において既知の信号である。なお、下りリンク参照信号を構成する下りリンクリソースエレメントの数は、基地局装置３、ＲＲＨ４において移動局装置５への通信に用いられる送信アンテナ（アンテナポート）の数に依存してもよい。以降の説明では、第一のタイプの参照信号としてＣＲＳ、第二のタイプの参照信号としてＵＥ‐ｓｐｅｃｉｆｉｃ  ＲＳ、第三のタイプの参照信号としてＣＳＩ−ＲＳが用いられる場合について説明する。なお、ＵＥ‐ｓｐｅｃｉｆｉｃ  ＲＳは、協調通信が適用されるＰＤＳＣＨ、協調通信が適用されないＰＤＳＣＨの復調にも用いられうる。なお、ＵＥ‐ｓｐｅｃｉｆｉｃ  ＲＳは、協調通信（プリコーディング処理）が適用される第二のＰＤＣＣＨ、協調通信が適用されない第二のＰＤＣＣＨの復調にも用いられうる。
【００５０】
ＰＤＣＣＨ（第一のＰＤＣＣＨ、または第二のＰＤＣＣＨ）は、ＰＤＳＣＨに対するＤＬ  ＰＲＢ  ｐａｉｒの割り当てを示す情報、ＰＵＳＣＨに対するＵＬ  ＰＲＢ  ｐａｉｒの割り当てを示す情報、移動局識別子（Radio Network Temporary Identifier: RNTIと呼称する。）、変調方式、符号化率、再送パラメータ、空間多重数、プリコーディング行列、送信電力制御コマンド（TPC command）を示す情報などの制御情報から生成された信号が配置される。ＰＤＣＣＨに含まれる制御情報を下りリンク制御情報（Downlink Control Information: DCI）と呼称する。ＰＤＳＣＨに対するＤＬ  ＰＲＢ  ｐａｉｒの割り当てを示す情報を含むＤＣＩは下りリンクアサインメント（Downlink assignment: DL assignment、またDownlink grantとも呼称する。）と呼称し、ＰＵＳＣＨに対するＵＬ  ＰＲＢ  ｐａｉｒの割り当てを示す情報を含むＤＣＩは上りリンクグラント（Uplink grant: UL grantと呼称する。）と呼称する。なお、下りリンクアサインメントは、ＰＵＣＣＨに対する送信電力制御コマンドを含む。なお、上りリンクアサインメントは、ＰＵＳＣＨに対する送信電力制御コマンドを含む。なお、１個のＰＤＣＣＨは、１個のＰＤＳＣＨのリソースの割り当てを示す情報、または１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００５１】
更に、ＰＤＣＣＨで送信される情報として、巡回冗長検査ＣＲＣ（Ｃｙｃｌｉｃ  Ｒｅｄｕｎｄａｎｃｙ  Ｃｈｅｃｋ）符号がある。ＰＤＣＣＨで送信される、ＤＣＩ、ＲＮＴＩ、ＣＲＣの関係について詳細に説明する。予め決められた生成多項式を用いてＤＣＩからＣＲＣ符号が生成される。生成されたＣＲＣ符号に対してＲＮＴＩを用いて排他的論理和（スクランブリングとも呼称する）の処理が行われる。ＤＣＩを示すビットと、ＣＲＣ符号に対してＲＮＴＩを用いて排他的論理和の処理が行われて生成されたビット（ＣＲＣ  ｍａｓｋｅｄ  ｂｙ  ＵＥ  ＩＤと呼称する）を変調した信号が、ＰＤＣＣＨで実際に送信される。
【００５２】
ＰＤＳＣＨのリソースは、時間領域において、そのＰＤＳＣＨのリソースの割り当てに用いられた下りリンクアサインメントを含むＰＤＣＣＨのリソースが配置された下りリンクサブフレームと同一の下りリンクサブフレームに配置される。
【００５３】
下りリンク参照信号の配置について説明する。図１１は、本発明の実施形態に係る通信システム１の下りリンクサブフレーム内の下りリンク参照信号の配置の一例を示す図である。説明の簡略化のため、図１１では、ある１個のＤＬ  ＰＲＢ  ｐａｉｒ内の下りリンク参照信号の配置について説明するが、下りリンクシステム帯域内の複数のＤＬ  ＰＲＢ  ｐａｉｒにおいて共通した配置方法が用いられる。
【００５４】
網掛けした下りリンクリソースエレメントのうち、Ｒ０〜Ｒ１は、それぞれアンテナポート０〜１のＣＲＳを示す。ここで、アンテナポートとは、信号処理で用いる論理的なアンテナを意味し、１個のアンテナポートは複数の物理的なアンテナから構成されてもよい。同一のアンテナポートを構成する複数の物理的なアンテナは、同一の信号を送信する。同一のアンテナポート内で、複数の物理的なアンテナを用いて、遅延ダイバーシチ、またはＣＤＤ（Cyclic Delay Diversity）を適用することはできるが、その他の信号処理を用いることはできない。ここで、図１１においては、ＣＲＳが２つのアンテナポートに対応する場合について示すが、本実施形態の通信システムは異なる数のアンテナポートに対応してもよく、例えば、１つのアンテナポートや４つのアンテナポートに対するＣＲＳが下りリンクのリソースにマッピングされてもよい。ＣＲＳは、下りリンクシステム帯域内の全てのＤＬ  ＰＲＢ  ｐａｉｒ内に配置されうる。
【００５５】
網掛けした下りリンクリソースエレメントのうち、Ｄ１はＵＥ‐ｓｐｅｃｉｆｉｃ  ＲＳを示す。複数のアンテナポートを用いてＵＥ‐ｓｐｅｃｉｆｉｃ  ＲＳが送信される場合、各アンテナポートで異なる符号が用いられる。つまり、ＵＥ‐ｓｐｅｃｉｆｉｃ  ＲＳにＣＤＭ（Code Division Multiplexing）が適用される。ここで、ＵＥ‐ｓｐｅｃｉｆｉｃ  ＲＳは、そのＤＬ  ＰＲＢ  ｐａｉｒにマッピングされる制御信号やデータ信号に用いられる信号処理のタイプ（アンテナポートの数）に応じて、ＣＤＭに用いられる符号の長さやマッピングされる下りリンクリソースエレメントの数が変えられてもよい。図１１は、ＵＥ‐ｓｐｅｃｉｆｉｃ  ＲＳの送信に用いられるアンテナポートの数が１本（アンテナポート７）、または２本（アンテナポート７とアンテナポート８）の場合のＵＥ‐ｓｐｅｃｉｆｉｃ  ＲＳの配置の一例を示している。例えば、基地局装置３、ＲＲＨ４において、ＵＥ‐ｓｐｅｃｉｆｉｃ  ＲＳの送信に用いられるアンテナポートの数が２本の場合、符号の長さが２である符号を用いて、同じ周波数領域（サブキャリア）で連続する時間領域（ＯＦＤＭシンボル）の２個の下りリンクリソースエレメントを一単位（ＣＤＭの単位）としてＵＥ‐ｓｐｅｃｉｆｉｃ  ＲＳが多重されて、配置される。言い換えると、この場合、ＵＥ‐ｓｐｅｃｉｆｉｃ  ＲＳの多重にＣＤＭが適用される。図１１において、Ｄ１にアンテナポート７とアンテナポート８のＵＥ‐ｓｐｅｃｉｆｉｃ  ＲＳがＣＤＭで多重される。
【００５６】
図１２は、本発明の実施形態に係る通信システム１の下りリンクサブフレーム内の下りリンク参照信号の配置の一例を示す図である。網掛けした下りリンクリソースエレメントのうち、Ｄ１とＤ２はＵＥ‐ｓｐｅｃｉｆｉｃ  ＲＳを示す。図１２は、ＵＥ‐ｓｐｅｃｉｆｉｃ  ＲＳの送信に用いられるアンテナポートの数が３本（アンテナポート７とアンテナポート８とアンテナポート９）、または４本（アンテナポート７とアンテナポート８とアンテナポート９とアンテナポート１０）の場合のＵＥ‐ｓｐｅｃｉｆｉｃ  ＲＳの配置の一例を示している。例えば、基地局装置３、ＲＲＨ４においてＵＥ‐ｓｐｅｃｉｆｉｃ  ＲＳの送信に用いられるアンテナポートの数が４本の場合、ＵＥ‐ｓｐｅｃｉｆｉｃ  ＲＳがマッピングされる下りリンクリソースエレメントの数が２倍に変えられ、２本のアンテナポート毎に異なる下りリンクリソースエレメントにＵＥ‐ｓｐｅｃｉｆｉｃ  ＲＳが多重されて、配置される。言い換えると、この場合、ＵＥ‐ｓｐｅｃｉｆｉｃ  ＲＳの多重にＣＤＭとＦＤＭ（Frequency Division Multiplexing）が適用される。図１２において、Ｄ１にアンテナポート７とアンテナポート８のＵＥ‐ｓｐｅｃｉｆｉｃ  ＲＳがＣＤＭで多重され、Ｄ２にアンテナポート８とアンテナポート９のＵＥ‐ｓｐｅｃｉｆｉｃ  ＲＳがＣＤＭで多重される。
【００５７】
例えば、基地局装置３、ＲＲＨ４においてＵＥ‐ｓｐｅｃｉｆｉｃ  ＲＳの送信に用いられるアンテナポートの数が８本の場合、ＵＥ‐ｓｐｅｃｉｆｉｃ  ＲＳがマッピングされる下りリンクリソースエレメントの数が２倍に変えられ、符号の長さが４である符号を用いて、４個の下りリンクリソースエレメントを一単位としてＵＥ‐ｓｐｅｃｉｆｉｃ  ＲＳが多重されて、配置される。言い換えると、この場合、ＵＥ‐ｓｐｅｃｉｆｉｃ  ＲＳの多重に異なる符号長のＣＤＭが適用される。
【００５８】
また、ＵＥ‐ｓｐｅｃｉｆｉｃ  ＲＳにおいて、各アンテナポートの符号に対してスクランブル符号がさらに重畳される。このスクランブル符号は、基地局装置３、ＲＲＨ４から通知されるセルＩＤおよびスクランブルＩＤに基づいて生成される。例えば、スクランブル符号は、基地局装置３、ＲＲＨ４から通知されるセルＩＤおよびスクランブルＩＤに基づいて生成される擬似ランダム系列から生成される。例えば、スクランブルＩＤは、０または１を示す値である。また、用いられるスクランブルＩＤおよびアンテナポートは、ジョイントコーディング（Joint coding）されて、それらを示す情報をインデックス化することもできる。また、ＵＥ‐ｓｐｅｃｉｆｉｃ  ＲＳに用いられるスクランブル符号の生成に、移動局装置５毎に個別に通知されるパラメータが用いられてもよい。ＵＥ‐ｓｐｅｃｉｆｉｃ  ＲＳは、ＵＥ‐ｓｐｅｃｉｆｉｃ  ＲＳを用いることが設定された移動局装置５に割り当てられたＰＤＳＣＨ、第二のＰＤＣＣＨのＤＬ  ＰＲＢ  ｐａｉｒ内に配置される。
【００５９】
また、基地局装置３およびＲＲＨ４はそれぞれ、異なる下りリンクリソースエレメントにＣＲＳの信号を割り当ててもよいし、同じ下りリンクリソースエレメントにＣＲＳの信号を割り当ててもよい。例えば、基地局装置３およびＲＲＨ４から通知されるセルＩＤが異なる場合には、異なる下りリンクリソースエレメントにＣＲＳの信号が割り当ててもよい。別の例では、基地局装置３のみが一部の下りリンクリソースエレメントにＣＲＳの信号を割り当て、ＲＲＨ４は何れの下りリンクリソースエレメントにもＣＲＳの信号を割り当てなくてもよい。例えば、基地局装置３からのみセルＩＤが通知される場合には、前述のように、基地局装置３のみが一部の下りリンクリソースエレメントにＣＲＳの信号を割り当て、ＲＲＨ４は何れの下りリンクリソースエレメントにもＣＲＳの信号を割り当てなくてもよい。別の例では、基地局装置３およびＲＲＨ４が同じ下りリンクリソースエレメントにＣＲＳの信号を割り当て、同じ系列を基地局装置３およびＲＲＨ４から送信してもよい。例えば、基地局装置３およびＲＲＨ４から通知されるセルＩＤが同じ場合には、前述のようにＣＲＳの信号が割り当ててもよい。
【００６０】
図１３は、８アンテナポート用のＣＳＩ−ＲＳ（伝送路状況測定用参照信号）がマッピングされたＤＬ  ＰＲＢ  ｐａｉｒを示す図である。図１３は、基地局装置３およびＲＲＨ４において用いられるアンテナポート数（ＣＳＩポート数）が８の場合のＣＳＩ−ＲＳがマッピングされる場合を示している。なお、図１３において、ＣＲＳ、ＵＥ‐ｓｐｅｃｉｆｉｃ  ＲＳ、ＰＤＣＣＨ、ＰＤＳＣＨ等の記載は、説明の簡略化のため、省略している。
【００６１】
ＣＳＩ−ＲＳは、それぞれのＣＤＭグループにおいて、２チップの直交符号（Ｗａｌｓｈ符号）が用いられ、それぞれの直交符号にＣＳＩポート（ＣＳＩ−ＲＳのポート（アンテナポート、リソースグリッド））が割り当てられ、２ＣＳＩポート毎に符号分割多重される。さらに、それぞれのＣＤＭグループが周波数分割多重される。４つのＣＤＭグループを用いて、ＣＳＩポート１〜８（アンテナポート１５〜２２）の８アンテナポートのＣＳＩ−ＲＳがマッピングされる。例えば、ＣＳＩ−ＲＳのＣＤＭグループＣ１では、ＣＳＩポート１および２（アンテナポート１５および１６）のＣＳＩ−ＲＳが符号分割多重され、マッピングされる。ＣＳＩ−ＲＳのＣＤＭグループＣ２では、ＣＳＩポート３および４（アンテナポート１７および１８）のＣＳＩ−ＲＳが符号分割多重され、マッピングされる。ＣＳＩ−ＲＳのＣＤＭグループＣ３では、ＣＳＩポート５および６（アンテナポート１９および２０）のＣＳＩ−ＲＳが符号分割多重され、マッピングされる。ＣＳＩ−ＲＳのＣＤＭグループＣ４では、ＣＳＩポート７および８（アンテナポート２１および２２）のＣＳＩ−ＲＳが符号分割多重され、マッピングされる。
【００６２】
基地局装置３およびＲＲＨ４のＣＳＩ−ＲＳのアンテナポートの数が８の場合、基地局装置３およびＲＲＨ４はＰＤＳＣＨに適用するレイヤー数（ランク数、空間多重数）を最大８とすることができる。また、基地局装置３およびＲＲＨ４は、ＣＳＩ−ＲＳのアンテナポートの数が１、２または４の場合のＣＳＩ−ＲＳを送信することができる。基地局装置３およびＲＲＨ４は、１アンテナポート用または２アンテナポート用のＣＳＩ−ＲＳを、図１３で示すＣＳＩ−ＲＳのＣＤＭグループＣ１を用いて、送信することができる。基地局装置３およびＲＲＨ４は、４アンテナポート用のＣＳＩ−ＲＳを、図１３で示すＣＳＩ−ＲＳのＣＤＭグループＣ１、Ｃ２を用いて、送信することができる。
【００６３】
また、基地局装置３およびＲＲＨ４はそれぞれ、異なる下りリンクリソースエレメントにＣＳＩ−ＲＳの信号を割り当てる場合もあるし、同じ下りリンクリソースエレメントにＣＳＩ−ＲＳの信号を割り当てる場合もある。例えば、基地局装置３およびＲＲＨ４はそれぞれ、異なる下りリンクリソースエレメントおよび、または異なる信号系列をＣＳＩ−ＲＳに割り当てる場合がある。移動局装置５においては、基地局装置３から送信されるＣＳＩ−ＲＳ、ＲＲＨ４から送信されるＣＳＩ−ＲＳは、それぞれ異なるアンテナポートに対応するＣＳＩ−ＲＳと認識される。例えば、基地局装置およびＲＲＨ４が同じ下りリンクリソースエレメントをＣＳＩ−ＲＳに割り当て、同じ系列を基地局装置３およびＲＲＨ４から送信する場合がある。
【００６４】
ＣＳＩ−ＲＳの構成（ＣＳＩ−ＲＳ−Ｃｏｎｆｉｇ−ｒ１０）は、基地局装置３、ＲＲＨ４から移動局装置５に通知される。ＣＳＩ−ＲＳの構成としては、ＣＳＩ−ＲＳに設定されるアンテナポートの数を示す情報（ａｎｔｅｎｎａＰｏｒｔｓＣｏｕｎｔ−ｒ１０）、ＣＳＩ−ＲＳが配置される下りリンクサブフレームを示す情報（ｓｕｂｆｒａｍｅＣｏｎｆｉｇ−ｒ１０）、ＣＳＩ−ＲＳが配置される周波数領域を示す情報（ＲｅｓｏｕｒｃｅＣｏｎｆｉｇ−ｒ１０）が少なくとも含まれる。ＣＳＩ−ＲＳのアンテナポートの数は、例えば、１，２，４，８の値の何れかが用いられる。ＣＳＩ−ＲＳが配置される周波数領域を示す情報として、アンテナポート１５（ＣＳＩポート１）に対応するＣＳＩ−ＲＳが配置されるリソースエレメントの中で、先頭のリソースエレメントの位置を示すインデックスが用いられる。アンテナポート１５に対応するＣＳＩ−ＲＳの位置が決まれば、他のアンテナポートに対応するＣＳＩ−ＲＳは予め決められたルールに基づき一意に決まる。ＣＳＩ−ＲＳが配置される下りリンクサブフレームを示す情報として、ＣＳＩ−ＲＳが配置される下りリンクサブフレームの位置と周期がインデックスにより示される。例えば、ｓｕｂｆｒａｍｅＣｏｎｆｉｇ−ｒ１０のインデックスが５であれば、１０サブフレーム毎にＣＳＩ−ＲＳが配置されることを示し、１０サブフレームを単位とする無線フレーム中ではサブフレーム０（無線フレーム内のサブフレームの番号）にＣＳＩ−ＲＳが配置されることを示す。また、別の例では、例えばｓｕｂｆｒａｍｅＣｏｎｆｉｇ−ｒ１０のインデックスが１であれば、５サブフレーム毎にＣＳＩ−ＲＳが配置されることを示し、１０サブフレームを単位とする無線フレーム中ではサブフレーム１と６にＣＳＩ−ＲＳが配置されることを示す。
【００６５】
＜上りリンクの時間フレームの構成＞
図１４は、本発明の実施形態に係る移動局装置５から基地局装置３、ＲＲＨ４への上りリンクの時間フレームの概略構成を示す図である。この図において、横軸は時間領域、縦軸は周波数領域を表している。上りリンクの時間フレームは、リソースの割り当てなどの単位であり、上りリンクの予め決められた幅の周波数帯および時間帯からなる物理リソースブロックのペア（上りリンク物理リソースブロックペア; UL PRB pairと呼称する。）から構成される。１個のＵＬ  ＰＲＢ  ｐａｉｒは、上りリンクの時間領域で連続する２個の上りリンクのＰＲＢ（上りリンク物理リソースブロック; UL PRBと呼称する。）から構成される。
【００６６】
また、この図において、１個のＵＬ  ＰＲＢは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３、ＲＲＨ４の上りリンクの通信帯域である。上りリンクのシステム帯域幅（上りリンクシステム帯域幅と呼称する。）は、例えば、２０ＭＨｚの周波数帯域幅から構成される。
【００６７】
なお、上りリンクシステム帯域では上りリンクシステム帯域幅に応じて複数のＵＬ  ＰＲＢ  ｐａｉｒが配置される。例えば、２０ＭＨｚの周波数帯域幅の上りリンクシステム帯域は、１１０個のＵＬ  ＰＲＢ  ｐａｉｒから構成される。また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）がある。なお、１個の上りリンクサブキャリアと１個のＳＣ−ＦＤＭＡシンボルから構成されるユニットをリソースエレメント（上りリンクリソースエレメントと呼称する。）と呼称する。
【００６８】
各上りリンクサブフレームには、少なくとも情報データの送信に用いられるＰＵＳＣＨ、上りリンク制御情報（UCI: Uplink Control Information）の送信に用いられるＰＵＣＣＨ、ＰＵＳＣＨとＰＵＣＣＨの復調（伝搬路変動の推定）のためのＵＬ  ＲＳ（ＤＭ  ＲＳ）が配置される。また、図示は省略するが、何れかの上りリンクサブフレームには、上りリンクの同期確立のために用いられるＰＲＡＣＨが配置される。また、図示は省略するが、何れかの上りリンクサブフレームには、チャネル品質、同期ずれの測定等に用いられるＵＬ  ＲＳ（ＳＲＳ）が配置される。ＰＵＣＣＨは、ＰＤＳＣＨを用いて受信されたデータに対する肯定応答（ACK: Acknowledgement）または否定応答（NACK: Negative Acknowledgement）を示すＵＣＩ（ACK/NACK）、上りリンクのリソースの割り当てを要求するか否かを少なくとも示すＵＣＩ（SR: Scheduling Request; スケジューリング要求）、下りリンクの受信品質（チャネル品質とも呼称する。）を示すＵＣＩ（CQI: Channel Quality Indicator; チャネル品質指標）を送信するために用いられる。
【００６９】
なお、移動局装置５が上りリンクのリソースの割り当てを要求することを基地局装置３に示す場合に、移動局装置５はＳＲの送信用のＰＵＣＣＨで信号を送信する。基地局装置３は、ＳＲの送信用のＰＵＣＣＨのリソースで信号を検出したという結果から移動局装置５が上りリンクのリソースの割り当てを要求していることを認識する。移動局装置５が上りリンクのリソースの割り当てを要求しないことを基地局装置３に示す場合に、移動局装置５は予め割り当てられたＳＲの送信用のＰＵＣＣＨのリソースで何も信号を送信しない。基地局装置３は、ＳＲの送信用のＰＵＣＣＨのリソースで信号を検出しなかったという結果から移動局装置５が上りリンクのリソースの割り当てを要求していないことを認識する。
【００７０】
また、ＰＵＣＣＨは、ＡＣＫ／ＮＡＣＫからなるＵＣＩが送信される場合と、ＳＲからなるＵＣＩが送信される場合と、ＣＱＩからなるＵＣＩが送信される場合とで異なる種類の信号構成が用いられる。ＡＣＫ／ＮＡＣＫの送信に用いられるＰＵＣＣＨをＰＵＣＣＨ  ｆｏｒｍａｔ  １ａ、またはＰＵＣＣＨ  ｆｏｒｍａｔ  １ｂと呼称する。ＰＵＣＣＨ  ｆｏｒｍａｔ  １ａでは、ＡＣＫ／ＮＡＣＫに関する情報を変調する変調方式としてＢＰＳＫ（二位相偏移変調; Binary Phase Shift Keying）が用いられる。ＰＵＣＣＨ  ｆｏｒｍａｔ  １ａでは、1ビットの情報が変調信号から示される。ＰＵＣＣＨ  ｆｏｒｍａｔ  １ｂでは、ＡＣＫ／ＮＡＣＫに関する情報を変調する変調方式としてＱＰＳＫ（四位相偏移変調; Quadrature Phase Shift Keying）が用いられる。ＰＵＣＣＨ  ｆｏｒｍａｔ  １ｂでは、２ビットの情報が変調信号から示される。ＳＲの送信に用いられるＰＵＣＣＨをＰＵＣＣＨ  ｆｏｒｍａｔ  １と呼称する。ＣＱＩの送信に用いられるＰＵＣＣＨをＰＵＣＣＨ  ｆｏｒｍａｔ  ２と呼称する。ＣＱＩとＡＣＫ／ＮＡＣＫの同時送信に用いられるＰＵＣＣＨをＰＵＣＣＨ  ｆｏｒｍａｔ  ２ａ、またはＰＵＣＣＨ  ｆｏｒｍａｔ  ２ｂと呼称する。ＰＵＣＣＨ  ｆｏｒｍａｔ  ２ａ、ＰＵＣＣＨ  ｆｏｒｍａｔ  ２ｂでは、上りリンクパイロットチャネルの参照信号（ＤＭ  ＲＳ）にＡＣＫ／ＮＡＣＫの情報から生成された変調信号が乗算される。ＰＵＣＣＨ  ｆｏｒｍａｔ  ２ａでは、ＡＣＫ／ＮＡＣＫに関する１ビットの情報とＣＱＩの情報が送信される。ＰＵＣＣＨ  ｆｏｒｍａｔ  ２ｂでは、ＡＣＫ／ＮＡＣＫに関する２ビットの情報とＣＱＩの情報が送信される。
【００７１】
なお、１個のＰＵＳＣＨは１個以上のＵＬ  ＰＲＢ  ｐａｉｒから構成され、１個のＰＵＣＣＨは上りリンクシステム帯域内において周波数領域に対称関係にあり、異なる上りリンクスロットに位置する２個のＵＬ  ＰＲＢから構成され、１個のＰＲＡＣＨは６個のＵＬ  ＰＲＢ  ｐａｉｒから構成される。例えば、図１４において、上りリンクサブフレーム内において、１番目の上りリンクスロットの最も周波数が低いＵＬ  ＰＲＢと、２番目の上りリンクスロットの最も周波数が高いＵＬ  ＰＲＢと、により、ＰＵＣＣＨに用いられるＵＬ  ＰＲＢ  ｐａｉｒの１個が構成される。なお、移動局装置５は、ＰＵＳＣＨとＰＵＣＣＨの同時送信を行なわないように設定されている場合、同一上りリンクサブフレームでＰＵＣＣＨのリソースとＰＵＳＣＨのリソースが割り当てられた場合は、ＰＵＳＣＨのリソースのみを用いて信号を送信する。なお、移動局装置５は、ＰＵＳＣＨとＰＵＣＣＨの同時送信を行なうように設定されている場合、同一上りリンクサブフレームでＰＵＣＣＨのリソースとＰＵＳＣＨのリソースが割り当てられた場合は、基本的にＰＵＣＣＨのリソースとＰＵＳＣＨのリソースの両方を用いて信号を送信することができる。
【００７２】
ＵＬ  ＲＳは、上りリンクパイロットチャネルに用いられる信号である。ＵＬ  ＲＳは、ＰＵＳＣＨおよびＰＵＣＣＨの伝搬路変動の推定に用いられる復調参照信号（DM RS: Demodulation Reference Signal）と、基地局装置３、ＲＲＨ４のＰＵＳＣＨの周波数スケジューリングおよび適応変調のためのチャネル品質の測定、基地局装置３、ＲＲＨ４と移動局装置５間の同期ずれの測定に用いられるサウンディング参照信号（SRS: Sounding Reference Signal）とから構成される。なお、説明の簡略化のため、図１４において、ＳＲＳは図示されていない。ＤＭ  ＲＳは、ＰＵＳＣＨと同じＵＬ  ＰＲＢ内に配置される場合と、ＰＵＣＣＨと同じＵＬ  ＰＲＢ内に配置される場合とで、異なるＳＣ−ＦＤＭＡシンボルに配置される。ＤＭ  ＲＳは、ＰＵＳＣＨおよびＰＵＣＣＨの伝搬路変動の推定に用いられる、通信システム１において既知の信号である。
【００７３】
ＤＭ  ＲＳは、ＰＵＳＣＨと同じＵＬ  ＰＲＢ内に配置される場合、上りリンクスロット内の４番目のＳＣ−ＦＤＭＡシンボルに配置される。ＤＭ  ＲＳは、ＡＣＫ／ＮＡＣＫを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＳＲを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＣＱＩを含むＰＵＣＣＨと同じＵＬ  ＰＲＢ内に配置される場合、上りリンクスロット内の２番目と６番目のＳＣ−ＦＤＭＡシンボルに配置される。
【００７４】
ＳＲＳは、基地局装置３が決定したＵＬ  ＰＲＢ内に配置され、上りリンクサブフレーム内の１４番目のＳＣ−ＦＤＭＡシンボル（上りリンクサブフレームの２番目の上りリンクスロットの７番目のＳＣ−ＦＤＭＡシンボル）に配置される。ＳＲＳは、セル内において基地局装置３が決定した周期の上りリンクサブフレーム（調査参照信号サブフレーム; SRS subframeと呼称する。）のみに配置され得る。ＳＲＳ  ｓｕｂｆｒａｍｅに対して、基地局装置３は移動局装置５毎にＳＲＳを送信する周期、ＳＲＳに割り当てるＵＬ  ＰＲＢを割り当てる。
【００７５】
図１４では、ＰＵＣＣＨが上りリンクシステム帯域の周波数領域で最も端のＵＬ  ＰＲＢに配置された場合を示しているが、上りリンクシステム帯域の端から２番目、３番目などのＵＬ  ＰＲＢがＰＵＣＣＨに用いられてもよい。
【００７６】
なお、ＰＵＣＣＨにおいて周波数領域での符号多重、時間領域での符号多重が用いられる。周波数領域での符号多重は、サブキャリア単位で符号系列の各符号が上りリンク制御情報から変調された変調信号に乗算されることにより処理される。時間領域での符号多重は、ＳＣ−ＦＤＭＡシンボル単位で符号系列の各符号が上りリンク制御情報から変調された変調信号に乗算されることにより処理される。複数のＰＵＣＣＨが同一のＵＬ  ＰＲＢに配置され、各ＰＵＣＣＨは異なる符号が割り当てられ、割り当てられた符号により周波数領域、または時間領域において符号多重が実現される。ＡＣＫ／ＮＡＣＫを送信するために用いられるＰＵＣＣＨ（ＰＵＣＣＨ  ｆｏｒｍａｔ  １ａ、またはＰＵＣＣＨ  ｆｏｒｍａｔ  １ｂと呼称する。）においては、周波数領域及び時間領域での符号多重が用いられる。ＳＲを送信するために用いられるＰＵＣＣＨ（ＰＵＣＣＨ  ｆｏｒｍａｔ  １と呼称する。）においては、周波数領域及び時間領域での符号多重が用いられる。ＣＱＩを送信するために用いられるＰＵＣＣＨ（ＰＵＣＣＨ  ｆｏｒｍａｔ  ２、またはＰＵＣＣＨ  ｆｏｒｍａｔ  ２ａ、またはＰＵＣＣＨ  ｆｏｒｍａｔ  ２ｂと呼称する。）においては、周波数領域での符号多重が用いられる。なお、説明の簡略化のため、ＰＵＣＣＨの符号多重に係る内容の説明は適宜省略する。
【００７７】
ＰＵＳＣＨのリソースは、時間領域において、そのＰＵＳＣＨのリソースの割り当てに用いられた上りリンクグラントを含むＰＤＣＣＨのリソースが配置された下りリンクサブフレームから所定の数（例えば、４）後の上りリンクサブフレームに配置される。
【００７８】
ＰＤＳＣＨのリソースは、時間領域において、そのＰＤＳＣＨのリソースの割り当てに用いられた下りリンクアサインメントを含むＰＤＣＣＨのリソースが配置された下りリンクサブフレームと同一の下りリンクサブフレームに配置される。
【００７９】
＜第一のＰＤＣＣＨの構成＞
第一のＰＤＣＣＨは、複数の制御チャネルエレメント（CCE: Control Channel Element）により構成される。各下りリンクシステム帯域で用いられるＣＣＥの数は、下りリンクシステム帯域幅と、第一のＰＤＣＣＨを構成するＯＦＤＭシンボルの数と、通信に用いる基地局装置３（または、ＲＲＨ４）の送信アンテナの数に応じた下りリンクパイロットチャネルの下りリンク参照信号の数に依存する。ＣＣＥは、後述するように、複数の下りリンクリソースエレメントにより構成される。
【００８０】
図１５は、本発明の実施形態に係る通信システム１の第一のＰＤＣＣＨとＣＣＥの論理的な関係を説明する図である。基地局装置３（または、ＲＲＨ４）と移動局装置５間で用いられるＣＣＥには、ＣＣＥを識別するための番号が付与されている。ＣＣＥの番号付けは、予め決められた規則に基づいて行なわれる。ここで、ＣＣＥ  ｔは、ＣＣＥ番号ｔのＣＣＥを示す。第一のＰＤＣＣＨは、複数のＣＣＥからなる集合（CCE Aggregation）により構成される。この集合を構成するＣＣＥの数を、以下、「ＣＣＥ集合数」（CCE aggregation number）と称す。第一のＰＤＣＣＨを構成するＣＣＥ  ａｇｇｒｅｇａｔｉｏｎ  ｎｕｍｂｅｒは、第一のＰＤＣＣＨに設定される符号化率、第一のＰＤＣＣＨに含められるＤＣＩのビット数に応じて基地局装置３において設定される。また、ｎ個のＣＣＥからなる集合を、以下、「ＣＣＥ  ａｇｇｒｅｇａｔｉｏｎ  ｎ」という。
【００８１】
例えば、基地局装置３は、１個のＣＣＥにより第一のＰＤＣＣＨを構成したり（ＣＣＥ  ａｇｇｒｅｇａｔｉｏｎ  １）、２個のＣＣＥにより第一のＰＤＣＣＨを構成したり（ＣＣＥ  ａｇｇｒｅｇａｔｉｏｎ  ２）、４個のＣＣＥにより第一のＰＤＣＣＨを構成したり（ＣＣＥ  ａｇｇｒｅｇａｔｉｏｎ  ４）、８個のＣＣＥにより第一のＰＤＣＣＨを構成したりする（ＣＣＥ  ａｇｇｒｅｇａｔｉｏｎ  ８）。例えば、基地局装置３はチャネル品質の良い移動局装置３に対しては第一のＰＤＣＣＨを構成するＣＣＥの数が少ないＣＣＥ  ａｇｇｒｅｇａｔｉｏｎ  ｎｕｍｂｅｒを用い、チャネル品質の悪い移動局装置３に対しては第一のＰＤＣＣＨを構成するＣＣＥの数が多いＣＣＥ  ａｇｇｒｅｇａｔｉｏｎ  ｎｕｍｂｅｒを用いる。また、例えば、基地局装置３はビット数の少ないＤＣＩを送信する場合、第一のＰＤＣＣＨを構成するＣＣＥの数が少ないＣＣＥ  ａｇｇｒｅｇａｔｉｏｎ  ｎｕｍｂｅｒを用い、ビット数の多いＤＣＩを送信する場合、第一のＰＤＣＣＨを構成するＣＣＥの数が多いＣＣＥ  ａｇｇｒｅｇａｔｉｏｎ  ｎｕｍｂｅｒを用いる。
【００８２】
図１５において、斜線で示されるものは、第一のＰＤＣＣＨ候補を意味する。第一のＰＤＣＣＨ候補（ＰＤＣＣＨ  ｃａｎｄｉｄａｔｅ）とは、移動局装置５が第一のＰＤＣＣＨの復号検出を行う対象であり、ＣＣＥ  ａｇｇｒｅｇａｔｉｏｎ  ｎｕｍｂｅｒ毎に独立に第一のＰＤＣＣＨ候補が構成される。ＣＣＥ  ａｇｇｒｅｇａｔｉｏｎ  ｎｕｍｂｅｒ毎に構成される第一のＰＤＣＣＨ候補は、それぞれ異なる１つ以上のＣＣＥから構成される。ＣＣＥ  ａｇｇｒｅｇａｔｉｏｎ  ｎｕｍｂｅｒ毎に、独立に第一のＰＤＣＣＨ候補の数が設定される。ＣＣＥ  ａｇｇｒｅｇａｔｉｏｎ  ｎｕｍｂｅｒ毎に構成される第一のＰＤＣＣＨ候補は、番号の連続するＣＣＥから構成される。移動局装置５は、ＣＣＥ  ａｇｇｒｅｇａｔｉｏｎ  ｎｕｍｂｅｒ毎に設定された数の第一のＰＤＣＣＨ候補に対して第一のＰＤＣＣＨの復号検出を行う。なお、移動局装置５は、自装置宛ての第一のＰＤＣＣＨを検出したと判断した場合、設定された第一のＰＤＣＣＨ候補の一部に対して第一のＰＤＣＣＨの復号検出を行わなくてもよい（停止してもよい）。
【００８３】
ＣＣＥを構成する複数の下りリンクリソースエレメントは、複数のリソースエレメントグループ（REG、mini-CCEとも称す）により構成される。リソースエレメントグループは複数の下りリンクリソースエレメントから構成される。例えば、１個のリソースエレメントグループは４個の下りリンクリソースエレメントから構成される。図１６は、本発明の実施形態に係る通信システム１の下りリンク無線フレームにおけるリソースエレメントグループの配置例を示す図である。ここでは、第一のＰＤＣＣＨに用いられるリソースエレメントグループについて示し、関連しない部分（ＰＤＳＣＨ、第二のＰＤＣＣＨ、ＵＥ‐ｓｐｅｃｉｆｉｃ  ＲＳ、ＣＳＩ−ＲＳ）についての図示および説明は省略する。ここでは、第一のＰＤＣＣＨが１番目から３番目までのＯＦＤＭシンボルにより構成され、２本の送信アンテナ（アンテナポート０、アンテナポート１）のＣＲＳに対応する下りリンク参照信号（Ｒ０、Ｒ１）が配置される場合について示す。この図において、縦軸は周波数領域、横軸は時間領域を表わしている。
【００８４】
図１６の配置例では、１個のリソースエレメントグループは周波数領域の隣接する４個の下りリンクリソースエレメントにより構成される。図１６において、第一のＰＤＣＣＨの同一の符号が付された下りリンクリソースエレメントは、同一のリソースエレメントグループに属することを示す。なお、下りリンク参照信号が配置されたリソースエレメントＲ０（アンテナポート０の下りリンク参照信号）、Ｒ１（アンテナポート１の下りリンク参照信号）は飛ばされて、リソースエレメントグループが構成される。図１６では、周波数が最も低く、１番目のＯＦＤＭシンボルのリソースエレメントグループから番号付け（符号「１」）が行なわれ、次に周波数が最も低く、２番目のＯＦＤＭシンボルのリソースエレメントグループに番号付け（符号「２」）が行なわれ、次に周波数が最も低く、３番目のＯＦＤＭシンボルのリソースエレメントグループに番号付け（符号「３」）が行なわれることを示す。また、図１６では、次に下りリンク参照信号が配置されない２番目のＯＦＤＭシンボルの番号付け（符号「２」）が行なわれたリソースエレメントグループの周波数の隣接するリソースエレメントグループに番号付け（符号「４」）が行なわれ、次に下りリンク参照信号が配置されない３番目のＯＦＤＭシンボルの番号付け（符号「３」）が行なわれたリソースエレメントグループの周波数の隣接するリソースエレメントグループに番号付け（符号「５」）が行なわれることを示す。さらに、図１６では、次に１番目のＯＦＤＭシンボルの番号付け（符号「１」）が行なわれたリソースエレメントグループの周波数の隣接するリソースエレメントグループに番号付け（符号「６」）が行なわれ、次に２番目のＯＦＤＭシンボルの番号付け（符号「４」）が行なわれたリソースエレメントグループの周波数の隣接するリソースエレメントグループに番号付け（符号「７」）が行なわれ、次に３番目のＯＦＤＭシンボルの番号付け（符号「５」）が行なわれたリソースエレメントグループの周波数の隣接するリソースエレメントグループに番号付け（符号「８」）が行なわれることを示す。以降のリソースエレメントグループに対しても同様の番号付けが行なわれる。
【００８５】
ＣＣＥは、図１６に示す、複数のリソースエレメントグループにより構成される。例えば、１個のＣＣＥは、周波数領域及び時間領域に分散した９個の異なるリソースエレメントグループにより構成される。具体的には、第一のＰＤＣＣＨに用いられるＣＣＥにおいては、下りリンクシステム帯域全体に対して、図１６に示すように番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００８６】
＜第二のＰＤＣＣＨの構成＞
図１７は、本発明の実施形態に係る通信システム１において第二のＰＤＣＣＨが配置される可能性のある領域（説明の簡略化のため、以降、第二のＰＤＣＣＨ領域と称す。）の概略構成の一例を示す図である。基地局装置３は、下りリンクシステム帯域内に複数の第二のＰＤＣＣＨ領域（第二のＰＤＣＣＨ領域１、第二のＰＤＣＣＨ領域２、第二のＰＤＣＣＨ領域３）を構成（設定、配置）することができる。１個の第二のＰＤＣＣＨ領域は、１個以上のＤＬ  ＰＲＢ  ｐａｉｒから構成される。１個の第二のＰＤＣＣＨ領域が複数のＤＬ  ＰＲＢ  ｐａｉｒにより構成される場合、周波数領域で分散するＤＬ  ＰＲＢ  ｐａｉｒにより構成されてもよいし、周波数領域で連続するＤＬ  ＰＲＢ  ｐａｉｒにより構成されてもよい。例えば、基地局装置３は、複数の移動局装置５毎に第二のＰＤＣＣＨ領域を構成することができる。
【００８７】
第二のＰＤＣＣＨ領域のそれぞれに対して、配置される信号に異なる送信方法が設定される。例えば、ある第二のＰＤＣＣＨ領域に対して、配置される信号にプリコーディング処理が適用される。例えば、ある第二のＰＤＣＣＨ領域に対して、配置される信号にプリコーディング処理が適用されない。なお、配置される信号にプリコーディング処理が適用される第二のＰＤＣＣＨ領域では、ＤＬ  ＰＲＢ  ｐａｉｒ内において第二のＰＤＣＣＨと、ＵＥ−ｓｐｅｃｉｆｉｃ  ＲＳとは、同一のプリコーディング処理が適用されうる。なお、配置される信号にプリコーディング処理が適用される第二のＰＤＣＣＨ領域では、第二のＰＤＣＣＨと、ＵＥ−ｓｐｅｃｉｆｉｃ  ＲＳとに適用されるプリコーディング処理は、異なるＤＬ  ＰＲＢ  ｐａｉｒ間では異なるプリコーディング処理（適用されるプリコーディングベクトルが異なる）（適用されるプリコーディング行列が異なる）が適用されてもよい。
【００８８】
１つの第二のＰＤＣＣＨは、１つ以上のＥ−ＣＣＥ（第一の要素）から構成される。図１８は、本発明の実施形態に係る通信システム１の第二のＰＤＣＣＨとＥ−ＣＣＥの論理的な関係を説明する図である。基地局装置３（または、ＲＲＨ４）と移動局装置５間で用いられるＥ−ＣＣＥには、Ｅ−ＣＣＥを識別するための番号が付与されている。Ｅ−ＣＣＥの番号付けは、予め決められた規則に基づいて行なわれる。ここで、Ｅ−ＣＣＥ  ｔは、Ｅ−ＣＣＥ番号（Ｅ−ＣＣＥ  ｉｎｄｅｘ、Ｅ−ＣＣＥインデックス）ｔのＥ−ＣＣＥを示す。第二のＰＤＣＣＨは、複数のＥ−ＣＣＥからなる集合（E-CCE Aggregation）により構成される。この集合を構成するＥ−ＣＣＥの数を、以下、「Ｅ−ＣＣＥ集合数」（E-CCE aggregation number）と称す。例えば、第二のＰＤＣＣＨを構成するＥ−ＣＣＥ  ａｇｇｒｅｇａｔｉｏｎ  ｎｕｍｂｅｒは、第二のＰＤＣＣＨに設定される符号化率、第二のＰＤＣＣＨに含められるＤＣＩのビット数に応じて基地局装置３において設定される。また、ｎ個のＥ−ＣＣＥからなる集合を、以下、「Ｅ−ＣＣＥ  ａｇｇｒｅｇａｔｉｏｎ  ｎ」という。
【００８９】
例えば、基地局装置３は、１個のＥ−ＣＣＥにより第二のＰＤＣＣＨを構成したり（Ｅ−ＣＣＥ  ａｇｇｒｅｇａｔｉｏｎ  １）、２個のＥ−ＣＣＥにより第二のＰＤＣＣＨを構成したり（Ｅ−ＣＣＥ  ａｇｇｒｅｇａｔｉｏｎ  ２）、４個のＥ−ＣＣＥにより第二のＰＤＣＣＨを構成したり（Ｅ−ＣＣＥ  ａｇｇｒｅｇａｔｉｏｎ  ４）、８個のＥ−ＣＣＥにより第二のＰＤＣＣＨを構成したりする（Ｅ−ＣＣＥ  ａｇｇｒｅｇａｔｉｏｎ  ８）。例えば、基地局装置３はチャネル品質の良い移動局装置３に対しては第二のＰＤＣＣＨを構成するＥ−ＣＣＥの数が少ないＥ−ＣＣＥ  ａｇｇｒｅｇａｔｉｏｎ  ｎｕｍｂｅｒを用い、チャネル品質の悪い移動局装置３に対しては第二のＰＤＣＣＨを構成するＥ−ＣＣＥの数が多いＥ−ＣＣＥ  ａｇｇｒｅｇａｔｉｏｎ  ｎｕｍｂｅｒを用いる。また、例えば、基地局装置３はビット数の少ないＤＣＩを送信する場合、第二のＰＤＣＣＨを構成するＥ−ＣＣＥの数が少ないＥ−ＣＣＥ  ａｇｇｒｅｇａｔｉｏｎ  ｎｕｍｂｅｒを用い、ビット数の多いＤＣＩを送信する場合、第二のＰＤＣＣＨを構成するＥ−ＣＣＥの数が多いＥ−ＣＣＥ  ａｇｇｒｅｇａｔｉｏｎ  ｎｕｍｂｅｒを用いる。
【００９０】
図１８において、斜線で示されるものは、第二のＰＤＣＣＨ候補を意味する。第二のＰＤＣＣＨ候補（Ｅ−ＰＤＣＣＨ  ｃａｎｄｉｄａｔｅ）とは、移動局装置５が第二のＰＤＣＣＨの復号検出を行う対象であり、Ｅ−ＣＣＥ  ａｇｇｒｅｇａｔｉｏｎ  ｎｕｍｂｅｒ毎に独立に第二のＰＤＣＣＨ候補が構成される。Ｅ−ＣＣＥ  ａｇｇｒｅｇａｔｉｏｎ  ｎｕｍｂｅｒ毎に構成される第二のＰＤＣＣＨ候補は、それぞれ異なる１つ以上のＥ−ＣＣＥから構成される。Ｅ−ＣＣＥ  ａｇｇｒｅｇａｔｉｏｎ  ｎｕｍｂｅｒ毎に、独立に第二のＰＤＣＣＨ候補の数が設定される。Ｅ−ＣＣＥ  ａｇｇｒｅｇａｔｉｏｎ  ｎｕｍｂｅｒ毎に構成される第二のＰＤＣＣＨ候補は、番号の連続するＥ−ＣＣＥ、または番号の連続しないＥ−ＣＣＥから構成される。移動局装置５は、Ｅ−ＣＣＥ  ａｇｇｒｅｇａｔｉｏｎ  ｎｕｍｂｅｒ毎に設定された数の第二のＰＤＣＣＨ候補に対して第二のＰＤＣＣＨの復号検出を行う。なお、移動局装置５は、自装置宛ての第二のＰＤＣＣＨを検出したと判断した場合、設定された第二のＰＤＣＣＨ候補の一部に対して第二のＰＤＣＣＨの復号検出を行わなくてもよい（停止してもよい）。
【００９１】
第二のＰＤＣＣＨ領域で構成されるＥ−ＣＣＥの数は、第二のＰＤＣＣＨ領域を構成するＤＬ  ＰＲＢ  ｐａｉｒの数に依存する。例えば、１つのＥ−ＣＣＥが対応するリソースの量（リソースエレメントの数）は、１つのＤＬ  ＰＲＢ  ｐａｉｒ内で第二のＰＤＣＣＨの信号に用いることが可能なリソース（下りリンク参照信号、第一のＰＤＣＣＨに用いられるリソースエレメントは除く）を４つに分割した量とほぼ等しい。また、１つの第二のＰＤＣＣＨ領域は、下りリンクのサブフレームの一方のスロットのみで構成されても、複数のＰＲＢにより構成されてもよい。また、第二のＰＤＣＣＨ領域は、下りリンクサブフレーム内の１番目のスロットと、２番目のスロットで、それぞれ独立に構成されてもよい。なお、本発明の実施形態では、説明の簡略化のため、第二のＰＤＣＣＨ領域は、下りリンクサブフレーム内の複数のＤＬ  ＰＲＢ  ｐａｉｒから構成される場合について主に説明するが、本発明がそのような場合に限定されるということではない。
【００９２】
図１９は、本発明の実施形態の領域（ｒｅｇｉｏｎ, ｒｅｓｏｕｒｃｅ）の構成の一例を示す図である。ここでは、領域を構成するリソースについて示し、関連しない部分（ＰＤＳＣＨ、第一のＰＤＣＣＨ）についての図示および説明は省略する。ここでは、１つのＤＬ  ＰＲＢ  ｐａｉｒについて示す。ここでは、第二のＰＤＣＣＨが下りリンクサブフレームの１番目のスロットの４番目から１４番目までのＯＦＤＭシンボルにより構成され、２本の送信アンテナ（アンテナポート０、アンテナポート１）に対するＣＲＳ（Ｒ０、Ｒ１）、１本、または２本の送信アンテナ（アンテナポート７、アンテナポート８、図示せず）に対するＵＥ‐ｓｐｅｃｉｆｉｃ  ＲＳ（Ｄ１）が配置される場合について示す。この図において、縦軸は周波数領域、横軸は時間領域を表わしている。ＤＬ  ＰＲＢ  ｐａｉｒ内で第二のＰＤＣＣＨの信号に用いることが可能なリソースが４つに分割されたリソースが、１つの領域として構成される。例えば、周波数領域でＤＬ  ＰＲＢ  ｐａｉｒのリソースが４つに分割されたリソースが１個の領域として構成される。具体的には、ＤＬ  ＰＲＢ  ｐａｉｒ内の３個のサブキャリア毎に分割されたリソースが１個の領域として構成される。例えば、ＤＬ  ＰＲＢ  ｐａｉｒ内のＥ−ＣＣＥは、周波数領域で低いサブキャリアを含むＥ−ＣＣＥから昇順で番号付けが行なわれる。
【００９３】
図２０は、本発明の実施形態の領域の構成の一例を示す図である。図１９で示す例と比較して、ＵＥ‐ｓｐｅｃｉｆｉｃ  ＲＳのアンテナポートの数が異なり、３本、または４本の送信アンテナ（アンテナポート７、アンテナポート８、アンテナポート９、アンテナポート１０、図示せず）に対するＵＥ‐ｓｐｅｃｉｆｉｃ  ＲＳ（Ｄ１、Ｄ２）が配置される場合について示す。
【００９４】
第二のＰＤＣＣＨ領域に対して、異なる物理リソースマッピング（第一の物理リソースマッピング、第二の物理リソースマッピング）が適用される。具体的には、１つの第二のＰＤＣＣＨを構成するＥ−ＣＣＥの構成（集合方法；Ａｇｇｒｅｇａｔｉｏｎ  ｍｅｔｈｏｄ）が異なる。例えば、第一の物理リソースマッピングが適用される第二のＰＤＣＣＨは、Ｌｏｃａｌｉｚｅｄ  Ｅ−ＰＤＣＣＨと称す。例えば、第二の物理リソースマッピングが適用される第二のＰＤＣＣＨは、Ｄｉｓｔｒｉｂｕｔｅｄ  Ｅ−ＰＤＣＣＨと称す。例えば、Ｌｏｃａｌｉｚｅｄ  Ｅ−ＰＤＣＣＨは、１つのＥ−ＣＣＥ（Ｅ−ＣＣＥ  ａｇｇｒｅｇａｔｉｏｎ  １）から構成され、または２つのＥ−ＣＣＥ（Ｅ−ＣＣＥ  ａｇｇｒｅｇａｔｉｏｎ  ２）から構成され、または４つのＥ−ＣＣＥ（Ｅ−ＣＣＥ  ａｇｇｒｅｇａｔｉｏｎ  ４）から構成される。Ｅ−ＣＣＥ  ａｇｇｒｅｇａｔｉｏｎ  ｎｕｍｂｅｒが２以上のＬｏｃａｌｉｚｅｄ  Ｅ−ＰＤＣＣＨは、Ｅ−ＣＣＥの番号が連続する（周波数領域で連続する）複数のＥ−ＣＣＥから構成される。例えば、Ｄｉｓｔｒｉｂｕｔｅｄ  Ｅ−ＰＤＣＣＨは、４つのＥ−ＣＣＥ（Ｅ−ＣＣＥ  ａｇｇｒｅｇａｔｉｏｎ  ４）から構成され、または８つのＥ−ＣＣＥ（Ｅ−ＣＣＥ  ａｇｇｒｅｇａｔｉｏｎ  ８）から構成される。Ｄｉｓｔｒｉｂｕｔｅｄ  Ｅ−ＰＤＣＣＨは、周波数領域で非連続な領域に関連付けられた複数のＥ−ＣＣＥから構成される。例えば、Ｅ−ＣＣＥ  ａｇｇｒｅｇａｔｉｏｎ  ４のＤｉｓｔｒｉｂｕｔｅｄ  Ｅ−ＰＤＣＣＨを構成する４個のＥ−ＣＣＥは、それぞれ異なるＤＬ  ＰＲＢ  ｐａｉｒ内の領域から構成される。なお、Ｅ−ＣＣＥ  ａｇｇｒｅｇａｔｉｏｎ  ８のＤｉｓｔｒｉｂｕｔｅｄ  Ｅ−ＰＤＣＣＨを構成する８個のＥ−ＣＣＥは、それぞれ異なるＤＬ  ＰＲＢ  ｐａｉｒ内の領域から構成されてもよいし、一部の複数のＥ−ＣＣＥは同じＤＬ  ＰＲＢ  ｐａｉｒ内の領域から構成されてもよい。例えば、１個のＬｏｃａｌｉｚｅｄ  Ｅ−ＰＤＣＣＨに用いられる複数のＥ−ＣＣＥは、１つのＤＬ  ＰＲＢ  ｐａｉｒ内の領域からなり、１個のＤｉｓｔｒｉｂｕｔｅｄ  Ｅ−ＰＤＣＣＨに用いられる複数のＥ−ＣＣＥは、複数のＤＬ  ＰＲＢ  ｐａｉｒ内の領域からなる。
【００９５】
図２１は、Ｅ−ＣＣＥとＬｏｃａｌｉｚｅｄ  Ｅ−ＰＤＣＣＨの構成の一例を示す図である。ここでは、第二のＰＤＣＣＨが下りリンクサブフレームの４番目から１４番目までのＯＦＤＭシンボルにより構成される場合について示す。この図において、縦軸は周波数領域、横軸は時間領域を表わしている。例えば、あるＥ−ＣＣＥは、あるＤＬ  ＰＲＢ  ｐａｉｒ内の領域（ｒｅｇｉｏｎ, ｒｅｓｏｕｒｃｅ）の番号の小さい（周波数領域で低い）方から２個のＥ−ＣＣＥから構成されている（例えばＥ−ＣＣＥ  ２１５１は領域２１０１と領域２１０２から構成されている。言い換えると、Ｅ−ＣＣＥ  ２１５１は領域２１０１と領域２１０２に関連付けられている）。またあるＥ−ＣＣＥはあるＤＬ  ＰＲＢ  ｐａｉｒ内の領域の番号の大きい（周波数領域で高い）方から２個のＥ−ＣＣＥから構成される（例えばＥ−ＣＣＥ  ２１５２は領域２１０３と領域２１０４から構成されている）。
【００９６】
図２２は、Ｅ−ＣＣＥとＤｉｓｔｒｉｂｕｔｅｄ  Ｅ−ＰＤＣＣＨの構成の一例を示す図である。ここでは、第二のＰＤＣＣＨが下りリンクサブフレームの４番目から１４番目までのＯＦＤＭシンボルにより構成される場合について示す。この図において、縦軸は周波数領域、横軸は時間領域を表わしている。例えば、あるＥ−ＣＣＥは、２個の領域がそれぞれ異なるＤＬ  ＰＲＢ  ｐａｉｒ内の領域で構成される。例えば、あるＥ−ＣＣＥは、それぞれのＤＬ  ＰＲＢ  ｐａｉｒ内で領域の番号が最も小さい（周波数領域で最も低い）Ｅ−ＣＣＥから構成される（例えばＥ−ＣＣＥ  ２２５１は領域２２０１と領域２２０５から構成されている。言い換えると、Ｅ−ＣＣＥ  ２２５１は領域２２０１と領域２２０５に関連付けられている）。例えば、あるＥ−ＣＣＥは、それぞれのＤＬ  ＰＲＢ  ｐａｉｒ内で領域の番号が２番目に小さい（周波数領域で２番目に低い）領域から構成される（例えばＥ−ＣＣＥ  ２２５２は領域２２０２と領域２２０６から構成されている）。例えば、あるＥ−ＣＣＥは、それぞれのＤＬ  ＰＲＢ  ｐａｉｒ内で領域の番号が３番目に小さい（周波数領域で３番目に低い）領域から構成される（例えばＥ−ＣＣＥ  ２２５３は領域２２０３と領域２２０７から構成されている）。例えば、あるＥ−ＣＣＥは、それぞれのＤＬ  ＰＲＢ  ｐａｉｒ内で領域の番号が一番大きい（周波数領域で１番目に高い）領域から構成される（例えばＥ−ＣＣＥ  ２２５４は領域２２０４と領域２２０８から構成されている）。
【００９７】
図２３は、Ｅ−ＣＣＥとＬｏｃａｌｉｚｅｄ  Ｅ−ＰＤＣＣＨの構成の一例を示す図である。ここでは、第二のＰＤＣＣＨが下りリンクサブフレームの４番目から１４番目までのＯＦＤＭシンボルにより構成される場合について示す。この図において、縦軸は周波数領域、横軸は時間領域を表わしている。例えば、あるＥ−ＣＣＥは、あるＤＬ  ＰＲＢ  ｐａｉｒ内の一つの領域（ｒｅｇｉｏｎ）から構成されている（例えばＥ−ＣＣＥ  ２３５１は領域２３０１から構成されている。言い換えると、Ｅ−ＣＣＥ  ２３５１は領域２３０１と関連付けられている。）。またあるＥ−ＣＣＥは、あるＤＬ  ＰＲＢ  ｐａｉｒ内のある領域から構成される（例えばＥ−ＣＣＥ  ２１５２は領域２１０３と領域２１０４から構成されている。言い換えると、Ｅ−ＣＣＥ  ２１５２は領域２１０３と領域２１０４に関連付けられている）。このように、図２１および図２２ではあるＥ−ＣＣＥは２つの領域から構成（または関連付け）されていたが、図２３のようにあるＥ−ＣＣＥは１つの領域から構成（または関連付け）されてもよい。また図２３はＬｏｃａｌｉｚｅｄ  Ｅ−ＰＤＣＣＨの構成の一例であるが、Ｄｉｓｔｒｉｂｕｔｅｄ  Ｅ−ＰＤＣＣＨの構成においてＥ−ＣＣＥは１つの領域から構成（または関連付け）されても良い。図示しないが、あるＥ−ＣＣＥは３つ以上の領域から構成（または関連付け）されても良い。またＥ−ＣＣＥがいくつの領域により構成されるか（つまりＥ−ＣＣＥと領域の関連付け）は、基地局装置３により通知されて、これにより移動局装置５において設定されても良い。例えば、その情報は、ＲＲＣ（Radio Resource Control）シグナリングを用いて通知されてもよい。この通知は移動局装置５毎に行われても良いし、その他の情報に関連付けられても良い。例えば、ＤＬ  ＰＲＢ  ｐａｉｒ中に含まれる第一のＰＤＣＣＨのＯＦＤＭシンボル数であるＣＦＩ（Ｃｏｎｔｒｏｌ  Ｆｏｒｍａｔ  Ｉｎｄｉｃａｔｏｒ）の値、ＤＣＩ  Ｆｏｒｍａｔ，ＣＲＳのポート数などと関連付けられても良し、これらとは独立にＥ−ＣＣＥ  ａｇｇｒｅｇａｔｉｏｎ  ｎｕｍｂｅｒの取り得る範囲が基地局から端末に明示的にシグナリング（例えばＲＲＣシグナリング）されてもよい。例えばＣＦＩの値に関連付けられた場合には、ＣＦＩの値が２または３であれば図２１および図２２のように２つの領域が１つのＥ−ＣＣＥを構成（または関連付け）し、ＣＦＩの値が０の場合には図２３のように１つの領域が１つのＥ−ＣＣＥを構成（または関連付け）してもよい。また別の例では、ＤＣＩ  Ｆｏｒｍａｔ  ２、２Ａ，  ２Ｂおよび２Ｃ（例えば10MHzのシステム帯域幅を考えた場合、これらは５６bit以上のビット数を持つフォーマットである。また別の視点で考えると、これらはMIMO送信のために用いられるフォーマットであり、２つのコードワードに対応した２つのＭＣＳ（Ｍｏｄｕｌａｔｉｏｎ  ａｎｄ  Ｃｏｄｉｎｇ  Ｓｃｈｅｍｅ）値を通知することができる。またこの他にも２つのＭＣＳを含むＤＣＩ  Ｆｏｒｍａｔ  ４が含まれても良い）の場合には図２１および図２２のように２つの領域が１つのＥ−ＣＣＥを構成し、ＤＣＩ  Ｆｏｒｍａｔ  ０、１Ａ、１Ｃ，３および３Ａ（例えば10MHzのシステム帯域幅を考えた場合、���れらは４４bit以下のビット数を持つフォーマットである。また別の視点で考えると、これらはシングルアンテナ送信もしくは送信ダイバーシチのために用いられるフォーマットであり、１つのコードワードに対応した１つのＭＣＳ（Ｍｏｄｕｌａｔｉｏｎ  ａｎｄ  Ｃｏｄｉｎｇ  Ｓｃｈｅｍｅ）値を通知することができる）の場合には図２３のように１つの領域が１つのＥ−ＣＣＥを構成してもよい。また別の例ではＣＲＳに２つ以上のポート（例えばアンテナポート０，１、またはアンテナポート０，１，２，３など）が設定された場合には図２１および図２２のように２つの領域が１つのＥ−ＣＣＥを構成し、ＣＲＳに１つ以下のポート（例えばアンテナポート０のみなど）が設定された場合には図２３のように１つの領域が１つのＥ−ＣＣＥを構成してもよい。なお上記の情報（つまり、ＣＦＩ、ＣＲＳポート数など）と関連付けて、領域とＥ−ＣＣＥの関連付けが設定される場合に、閾値がＲＲＣ（Radio Resource Control）シグナリングを用いて基地局装置３により通知されてもよい。例えばＣＦＩが関連付けられた場合には、ＣＦＩが２以上で２つの領域が１つのＥ−ＣＣＥを構成（または関連付け）するのか、ＣＦＩが１以上で２つの領域が１つのＥ−ＣＣＥを構成（または関連付け）するのか、が通知されても良い。またＣＲＳに１つ以下のポート（例えばアンテナポート０のみなど）が設定された場合に図２３のように１つの領域が１つのＥ−ＣＣＥを構成するのか、ＣＲＳにポートが設定されない（ＣＲＳが送信されない）場合にのみ図２３のように１つの領域が１つのＥ−ＣＣＥを構成するのか、が通知されても良い。
【００９８】
図２４では基地局装置３の視点からＥ−ＣＣＥが領域にマッピングされる例について示している。なおここでは図２３のように１つのＥ−ＣＣＥが１つの領域から構成されているが、図２１や図２２のように１つのＥ−ＣＣＥが２つの領域から構成されても良い。また図２４ではＤｉｓｔｒｉｂｕｔｅｄ  Ｅ−ＰＤＣＣＨの構成の一例を示す図を示している。まず基地局装置３はＲＲＣ（Radio Resource Control）シグナリングを用いて、ビットマップ（Ｂｉｔ  Ｍａｐ）を移動局装置５毎に通知する。ここでビットマップは、第二のＰＤＣＣＨが配置される可能性のあるＰＲＢ  ｐａｉｒ，かつＥ−ＣＣＥと領域のマッピング時における、Ｅ−ＣＣＥのリソース数および領域のリソース数を示すことがある。移動局装置５向けのＤＣＩから生成される信号を配置する下りリンク制御チャネルが割り当てられる可能性のあるＥ−ＣＣＥを示すサーチスペース（ＳＳ，Ｓｅａｒｃｈ  Ｓｐａｃｅ）は別途通知される可能性がある。基地局装置３では、通知したビットマップに応じて、Ｅ−ＣＣＥのリソース数（図２４ではＥ−ＣＣＥのリソース数は１６。４つのＰＲＢ  ｐａｉｒがビットマップにより選択され、各ＰＲＢ  ｐａｉｒが４つのＥ−ＣＣＥに関連付けられているため、Ｅ−ＣＣＥのリソース数は１６となる）を決定し、これがＤｉｓｔｒｉｂｕｔｅｄ  Ｅ−ＰＤＣＣＨの場合には並びかえられ、Ｅ−ＣＣＥ（並び替え後）となる。続いてＥ−ＣＣＥ（並び替え後）が対応する領域と関連付けられる。例えば図２４ではＥ−ＣＣＥ（並び替え後）のＥ−ＣＣＥ＃０、＃４、＃８、＃１２、＃２、＃６、＃１０、＃１４、＃１、＃５、＃９、＃１３、＃３、＃７、＃１１、＃１５が領域＃０、＃１、＃２、＃３、＃４、＃５、＃６、＃７、＃８、＃９、＃１０、＃１１、＃１２、＃１３、＃１４、＃１５、＃１６のそれぞれに順番に関連付けられていることが分かる。続いて、例えば図２４ではＰＲＢ  Ｐａｉｒ２４０２に領域＃１から＃３が、ＰＲＢ  Ｐａｉｒ２４０３に領域＃４から＃７が、ＰＲＢ  Ｐａｉｒ２４０５に領域＃８から＃１１が、ＰＲＢ  Ｐａｉｒ２４０６に領域＃１２から＃１５が配置される。つまり上記のプロセスを通じて、図２４の例では、例えばＰＲＢ  ｐａｉｒ２４０２には４つの領域が割り当てられ、割り当てられたそれぞれの領域はＥ−ＣＣＥ＃０，  ＃４，  ＃８および＃１２と関連付けられていることがわかる。ここではＤｉｓｔｒｉｂｕｔｅｄ  Ｅ−ＰＤＣＣＨの例を示したが、この場合には基地局装置３から各移動局装置５へ共通のビットマップを通知することにより、複数の移動局装置５で、共通のＥ−ＣＣＥとＥ−ＣＣＥ（並び替え後）に用いる並び替え用のマッピングを使用することが可能となる。なおここでは図２３のように１つのＥ−ＣＣＥが１つの領域から構成されているが、図２１や図２２のように１つのＥ−ＣＣＥが２つの領域から構成されても良い。この場合には、Ｅ−ＣＣＥ番号（Ｅ−ＣＣＥ  ｉｎｄｅｘ、Ｅ−ＣＣＥインデックス）はサブＥ−ＣＣＥ番号（ｓｕｂ  Ｅ−ＣＣＥ  ｉｎｄｅｘ、サブＥ−ＣＣＥインデックス）に関連付けられる可能性がある（図２６、図２７のように、例えばＥ−ＣＣＥ＃０は、ｓｕｂ  Ｅ−ＣＣＥ＃０および＃１と関連付けられ、Ｅ−ＣＣＥ＃１は、ｓｕｂ  Ｅ−ＣＣＥ＃２および＃３と関連付けられる。続いてｓｕｂ  Ｅ−ＣＣＥインデックスが図２６に示すように領域と関連付けられる。例えばＰＲＢ  ｐａｉｒ２６０２はサブＥ−ＣＣＥ＃０、＃４、＃８、＃１２と関連付けられる。）またＳｅａｒｃｈ  Ｓｐａｃｅには複数の移動局装置５に共通して設定される共通Ｓｅａｒｃｈ  Ｓｐａｃｅと移動局装置５毎に個別に設定される端末固有Ｓｅａｒｃｈ  Ｓｐａｃｅが存在しても良い。共通Ｓｅａｒｃｈ  Ｓｐａｃｅは特定のＥ−ＣＣＥ番号を始点とするとして設定されても良い。例えば、常にＥ−ＣＣＥ＃０が共通Ｓｅａｒｃｈ  Ｓｐａｃｅの始点として設定されても良いし、その他の特定のＥ−ＣＣＥ番号が共通Ｓｅａｒｃｈ  Ｓｐａｃｅの始点となってもよい。また端末固有Ｓｅａｒｃｈ  Ｓｐａｃｅの始点は基地局装置３より移動局装置５に向けて、明示的に設定されても良い。例えば、移動局装置５毎に異なる始点が設定されても良い。これにより、複数の移動局装置５が共通のビットマップを通知され、通知された同じリソースブロックペアを用いて第二のＰＤＣＣＨを受信する場合でも、移動局装置５毎に異なる端末固有Ｓｅａｒｃｈ  Ｓｐａｃｅを設定することが可能となる。
【００９９】
図２５では移動局装置５の視点から領域がＥ−ＣＣＥにマッピングされる例について示している。なお図２５のＥ−ＣＣＥと領域の関連付けは、図２４の場合とまったく同じである。なおここでは図２３のように１つのＥ−ＣＣＥが１つの領域から構成されているが、図２１や図２２のように１つのＥ−ＣＣＥが２つの領域から構成されても良い。また図２５ではＤｉｓｔｒｉｂｕｔｅｄ  Ｅ−ＰＤＣＣＨの構成の一例を示す図を示している。まず移動局装置５はＲＲＣ（Radio Resource Control）シグナリングにより、ビットマップ（Ｂｉｔ  Ｍａｐ）が基地局装置３から通知される。ここでビットマップは、第二のＰＤＣＣＨが配置される可能性のあるＰＲＢ  ｐａｉｒ，かつＥ−ＣＣＥと領域のマッピング時における、Ｅ−ＣＣＥのリソース数および領域のリソース数を示すことがある。なお、移動局装置５向けのＤＣＩから生成される信号を配置する下りリンク制御チャネルが割り当てられる可能性のあるＥ−ＣＣＥを示すサーチスペース（ＳＳ，Ｓｅａｒｃｈ  Ｓｐａｃｅ）は別途通知される可能性がある。移動局装置３では、通知されたビットマップに応じて、領域の抽出を行う。図２４の例では、例えばＰＲＢ  ｐａｉｒ２５０２には４つの領域が割り当てられ、割り当てられたそれぞれの領域＃０、＃１、＃２、３であることが分かる。さらに具体的に説明すると、ＰＲＢ  ｐａｉｒ２５０２、２５０３、２５０５、２５０６に関連付けられている、領域＃０から１５が抽出される。続いて、領域＃０から＃１５は、並べ替え後のＥ−ＣＣＥ＃０から＃１５に図に示す順序に従い関連付けられる。この後、並べ替え後のＥ−ＣＣＥは、Ｅ−ＣＣＥに並びかえられる。この手順に従うことにより、移動局装置３では受信した信号とビットマップからＥ−ＣＣＥへと並び替えを行い、第二のＰＤＣＣＨの復調を行うこととなる。なお、Ｓｅａｒｃｈ  Ｓｐａｃｅには複数の移動局装置５でモニター（例えば復調）する共通Ｓｅａｒｃｈ  Ｓｐａｃｅ（ＣＳＳ、Ｃｏｍｍｏｎ  Ｓｅａｒｃｈ  Ｓｐａｃｅ）と特定の移動局装置５のみがモニター（例えば復調）する端末固有Ｓｅａｒｃｈ  Ｓｐａｃｅ（ＵＳＳ、ＵＥ  Ｓｐｅｃｉｆｉｃ  Ｓｅａｒｃｈ  Ｓｐａｃｅ）が存在する。図２４、図２５の例では特定のＥ−ＣＣＥ番号（例えばＥ−ＣＣＥ番号＃０〜７。もしくは共通Ｓｅａｒｃｈ  Ｓｐａｃｅの開始位置がＥ−ＣＣＥ番号＃０）が共通Ｓｅａｒｃｈ  Ｓｐａｃｅに設定されても良い。これとは別に端末固有Ｓｅａｒｃｈ  Ｓｐａｃｅが各移動局装置５に通知されても良い。
【０１００】
図２６では基地局装置３の視点からＥ−ＣＣＥが領域にマッピングされる例について示している。なおここでは図２１や図２２のように１つのＥ−ＣＣＥが２つの領域から構成されている例を示している。また図２６ではＤｉｓｔｒｉｂｕｔｅｄ  Ｅ−ＰＤＣＣＨの構成の一例を示す図を示している。まず基地局装置３はＲＲＣ（Radio Resource Control）シグナリングを用いて、ビットマップ（Ｂｉｔ  Ｍａｐ）を移動局装置５毎に通知する。ここでビットマップは、第二のＰＤＣＣＨが配置される可能性のあるＰＲＢ  ｐａｉｒ，かつＥ−ＣＣＥと領域のマッピング時における、Ｅ−ＣＣＥのリソース数および領域のリソース数を示すことがある。移動局装置５向けのＤＣＩから生成される信号を配置する下りリンク制御チャネルが割り当てられる可能性のあるＥ−ＣＣＥを示すサーチスペース（ＳＳ，Ｓｅａｒｃｈ  Ｓｐａｃｅ）は別途通知される可能性がある。基地局装置３では、通知したビットマップに応じて、Ｅ−ＣＣＥのリソース数（図２６ではＥ−ＣＣＥのリソース数は８。４つのＰＲＢ  ｐａｉｒがビットマップにより選択され、各ＰＲＢ  ｐａｉｒが２つのＥ−ＣＣＥに関連付けられているため、Ｅ−ＣＣＥのリソース数は８となる）を決定し、これがサブＥ−ＣＣＥに関連付けらている（例えばＥ−ＣＣＥ＃０はサブＥ−ＣＣＥ＃０，１に。Ｅ−ＣＣＥ＃１はサブＥ−ＣＣＥ＃２，３に）。このサブＥ−ＣＣＥがＤｉｓｔｒｉｂｕｔｅｄ  Ｅ−ＰＤＣＣＨの場合には並びかえられ、サブＥ−ＣＣＥ（並び替え後）となる。続いてサブＥ−ＣＣＥ（並び替え後）が対応する領域と関連付けられる。例えば図２６ではサブＥ−ＣＣＥ（並び替え後）のサブＥ−ＣＣＥ＃０、＃４、＃８、＃１２、＃２、＃６、＃１０、＃１４、＃１、＃５、＃９、＃１３、＃３、＃７、＃１１、＃１５が領域＃０、＃１、＃２、＃３、＃４、＃５、＃６、＃７、＃８、＃９、＃１０、＃１１、＃１２、＃１３、＃１４、＃１５、＃１６のそれぞれに順番に関連付けられていることが分かる。続いて、例えば図２６ではＰＲＢ  Ｐａｉｒ２４０２に領域＃１から＃３が、ＰＲＢ  Ｐａｉｒ２４０３に領域＃４から＃７が、ＰＲＢ  Ｐａｉｒ２４０５に領域＃８から＃１１が、ＰＲＢ  Ｐａｉｒ２４０６に領域＃１２から＃１５が配置される。つまり上記のプロセスを通じて、図２６の例では、例えばＰＲＢ  ｐａｉｒ２４０２には４つの領域が割り当てられ、割り当てられたそれぞれの領域はサブＥ−ＣＣＥ＃０，  ＃４，  ＃８および＃１２（別の観点ではＥ−ＣＣＥ＃０、＃２、＃４、＃６）と関連付けられていることがわかる。ここではＤｉｓｔｒｉｂｕｔｅｄ  Ｅ−ＰＤＣＣＨの例を示したが、この場合には基地局装置３から各移動局装置５へ共通のビットマップを通知することにより、複数の移動局装置５で、共通のＥ−ＣＣＥとＥ−ＣＣＥ（並び替え後）に用いる並び替え用のマッピングを使用することが可能となる。なお、Ｓｅａｒｃｈ  Ｓｐａｃｅには複数の移動局装置５でモニター（例えば復調）する共通Ｓｅａｒｃｈ  Ｓｐａｃｅ（ＣＳＳ、Ｃｏｍｍｏｎ  Ｓｅａｒｃｈ  Ｓｐａｃｅ）と特定の移動局装置５のみがモニター（例えば復調）する端末固有Ｓｅａｒｃｈ  Ｓｐａｃｅ（ＵＳＳ、ＵＥ  Ｓｐｅｃｉｆｉｃ  Ｓｅａｒｃｈ  Ｓｐ���ｃｅ）が存在する。図２４の例では特定のＥ−ＣＣＥ番号（例えばＥ−ＣＣＥ番号＃０〜７。もしくは共通Ｓｅａｒｃｈ  Ｓｐａｃｅの開始位置がＥ−ＣＣＥ番号＃０）が共通Ｓｅａｒｃｈ  Ｓｐａｃｅに設定されても良い。これとは別に端末固有Ｓｅａｒｃｈ  Ｓｐａｃｅが各移動局装置５に通知されても良い。
【０１０１】
図２７では移動局装置５の視点から領域がＥ−ＣＣＥにマッピングされる例について示している。なお図２７のＥ−ＣＣＥと領域の関連付けは、図２６の場合とまったく同じである。なおここでは図２１や図２２のように１つのＥ−ＣＣＥが２つの領域から構成されている。また図２５ではＤｉｓｔｒｉｂｕｔｅｄ  Ｅ−ＰＤＣＣＨの構成の一例を示す図を示している。まず移動局装置５はＲＲＣ（Radio Resource Control）シグナリングにより、ビットマップ（Ｂｉｔ  Ｍａｐ）が基地局装置３から通知される。ここでビットマップは、第二のＰＤＣＣＨが配置される可能性のあるＰＲＢ  ｐａｉｒ，かつＥ−ＣＣＥと領域のマッピング時における、Ｅ−ＣＣＥのリソース数および領域のリソース数を示すことがある。なお、移動局装置５向けのＤＣＩから生成される信号を配置する下りリンク制御チャネルが割り当てられる可能性のあるＥ−ＣＣＥを示すサーチスペース（ＳＳ，Ｓｅａｒｃｈ  Ｓｐａｃｅ）は別途通知される可能性がある。移動局装置３では、通知されたビットマップに応じて、領域の抽出を行う。図２７の例では、例えばＰＲＢ  ｐａｉｒ２７０２には４つの領域が割り当てられ、割り当てられたそれぞれの領域＃０、＃１、＃２、３であることが分かる。さらに具体的に説明すると、ＰＲＢ  ｐａｉｒ２７０２、２７０３、２７０５、２７０６に関連付けられている、領域＃０から１５が抽出される。続いて、領域＃０から＃１５は、並べ替え後のサブＥ−ＣＣＥ＃０から＃１５に図に示す順序に従い関連付けられる（例えば領域１はサブＥ−ＣＣＥ＃４に、領域２はサブＥ−ＣＣＥ＃８に、関連付けられる）。この後、並べ替え後のサブＥ−ＣＣＥは、サブＥ−ＣＣＥに並びかえられる。さらにサブＥ−ＣＣＥはＥ−ＣＣＥへと結合される（例えばサブＥ−ＣＣＥ＃０，＃１はＥ−ＣＣＥ＃０に結合される）。
この手順に従うことにより、移動局装置３では受信した信号とビットマップからＥ−ＣＣＥへと並び替えを行い、第二のＰＤＣＣＨの復調を行うこととなる。なお、Ｓｅａｒｃｈ  Ｓｐａｃｅには複数の移動局装置５でモニター（例えば復調）する共通Ｓｅａｒｃｈ  Ｓｐａｃｅ（ＣＳＳ、Ｃｏｍｍｏｎ  Ｓｅａｒｃｈ  Ｓｐａｃｅ）と特定の移動局装置５のみがモニター（例えば復調）する端末固有Ｓｅａｒｃｈ  Ｓｐａｃｅ（ＵＳＳ、ＵＥ  Ｓｐｅｃｉｆｉｃ  Ｓｅａｒｃｈ  Ｓｐａｃｅ）が存在する。図２６、図２７の例では特定のＥ−ＣＣＥ番号（例えばＥ−ＣＣＥ番号＃０〜７。もしくは共通Ｓｅａｒｃｈ  Ｓｐａｃｅの開始位置がＥ−ＣＣＥ番号＃０）が共通Ｓｅａｒｃｈ  Ｓｐａｃｅに設定されても良い。これとは別に端末固有Ｓｅａｒｃｈ  Ｓｐａｃｅが各移動局装置５に通知されても良い。
【０１０２】
図２８ではＥ−ＣＣＥが領域にマッピングされる別の例について示している。なおここでは図２３のように１つのＥ−ＣＣＥが１つの領域から構成されているが、図２１や図２２のように１つのＥ−ＣＣＥが２つの領域から構成されても良い。また図２８ではＤｉｓｔｒｉｂｕｔｅｄ  Ｅ−ＰＤＣＣＨの構成の一例を示す図を示している。まず基地局装置３はＲＲＣ（Radio Resource Control）シグナリングを用いて、ビットマップ（Ｂｉｔ  Ｍａｐ）を移動局装置５毎に通知する。ここでビットマップは、第二のＰＤＣＣＨが配置される可能性のあるＰＲＢ  ｐａｉｒ，かつ移動局装置５向けのＤＣＩが割り当てられる可能性のあるＥ−ＣＣＥ（もしくは領域）を示すサーチスペース（ＳＳ，Ｓｅａｒｃｈ  Ｓｐａｃｅ）を示している。Ｅ−ＣＣＥと領域のマッピング時における、Ｅ−ＣＣＥのリソース数および領域のリソース数は、ビットマップ（Ｂｉｔ  Ｍａｐ）とは独立であり例えばシステム帯域幅によって決まる（図２８ではシステム帯域幅が６ＲＢ(Ｒｅｓｏｕｒｃｅ  Ｂｌｏｃｋ、リソースブロック)なので、各ＰＲＢ  ｐａｉｒが４つのＥ−ＣＣＥと関連付けられているとして、２４のＥ−ＣＣＥが想定されている）。まず基地局装置３および移動局装置５では、システム帯域幅に応じてＥ−ＣＣＥの数を設定する。続いて、これを並び替え、並び替え後のＥ−ＣＣＥを生成する。ここで並び替え後のＥ−ＣＣＥと領域の関連付けを行う。図中でビットマップはこの領域に関連付けられており、移動局装置５向けのＤＣＩを含む第二のＰＤＣＣＨが割り当てられる可能性のある領域を指し示している。ビットマップで指定された領域をＥ−ＣＣＥ（並び替え後）に対応付けることにより、サーチスペースに含まれるＥ−ＣＣＥが明らかになる（図中、Ｅ−ＣＣＥ（並び替え後）に含まれる斜線部分）。一方で、対応する領域には第二のＰＤＣＣＨが割り当てられる可能性があることになる（図中、領域に含まれる斜線部分）。
例えば図２８ではＰＲＢ  ｐａｉｒ２８０２には４つの領域が割り当てられ、それぞれの領域はＥ−ＣＣＥ＃２，  ＃８，  ＃１４および＃２０が関連付けられている。同様にＰＲＢ  ｐａｉｒ２８０３、２８０５、２８０６がビットマップにより移動局装置５に割り当てられており、Ｅ−ＣＣＥ＃２〜５、＃８〜＃１１、＃１４〜＃１７、＃２０〜＃２３が移動局装置５に対するサーチスペースとなる）。この場合には基地局装置３から各移動局装置５へ異なるビットマップを通知することにより、複数の移動局装置５で異なるＳｅａｒｃｈ  Ｓｐａｃｅを設定することが可能となる。なおここでは図２３のように１つのＥ−ＣＣＥが１つの領域から構成されているが、図２１や図２２のように１つのＥ−ＣＣＥが２つの領域から構成されても良い。この場合には、Ｅ−ＣＣＥ番号（Ｅ−ＣＣＥ  ｉｎｄｅｘ、Ｅ−ＣＣＥ  インデックス）はサブＥ−ＣＣＥ番号（ｓｕｂ  Ｅ−ＣＣＥ  ｉｎｄｅｘ、サブＥ−ＣＣＥインデックス）に関連付けられる可能性がある（図示しないが、例えばＥ−ＣＣＥ＃０は、ｓｕｂ  Ｅ−ＣＣＥ＃０および＃１と関連付けられ、Ｅ−ＣＣＥ＃１は、ｓｕｂ  Ｅ−ＣＣＥ＃２および＃３と関連付けられる。続いてｓｕｂ  Ｅ−ＣＣＥインデックスが図２５に示すように領域と関連付けられる。例えばＰＲＢ  ｐａｉｒ２５０２はｓｕｂ  Ｅ−ＣＣＥ＃２、＃８、＃１４、＃２０と関連付けられる。）
【０１０３】
なお図２１、図２２および図２３ではＥ−ＣＣＥと領域の関連付けが設定される例について示したが、Ｅ−ＣＣＥと領域の関連付けは常に図２３（つまり１つのＥ−ＣＣＥが１つの領域と関連付けられる）もしくは常に図２１および図２２（つまり１つのＥ−ＣＣＥが２つの領域と関連付けられる）である一方で、第二のＰＤＣＣＨを構成するＥ−ＣＣＥ  ａｇｇｒｅｇａｔｉｏｎ  ｎｕｍｂｅｒが条件により異なる例も考えられる。例えば、Ｅ−ＣＣＥ  ａｇｇｒｅｇａｔｉｏｎ  ｎｕｍｂｅｒがＤＬ  ＰＲＢ  ｐａｉｒ中に含まれる第一のＰＤＣＣＨのＯＦＤＭシンボル数であるＣＦＩ（Ｃｏｎｔｒｏｌ  Ｆｏｒｍａｔ  Ｉｎｄｉｃａｔｏｒ）の値、ＤＣＩ  Ｆｏｒｍａｔ，ＣＲＳのポート数などと関連付けられても良い。例えばＣＦＩの値に関連付けられた場合には、ＣＦＩの値が２または３であれば２個、４個、８個または１６個のＥ−ＣＣＥが１つの第二のＰＤＣＣＨを構成し、ＣＦＩの値が０の場合には１個、2個、4個または8個のＥ−ＣＣＥが１つの第二のＰＤＣＣＨを構成してもよい。また別の例では、ＤＣＩ  Ｆｏｒｍａｔ  ２、２Ａ，  ２Ｂおよび２Ｃの場合には２個、４個、８個または１６個のＥ−ＣＣＥが第二のＰＤＣＣＨを構成し、ＤＣＩ  Ｆｏｒｍａｔ  ０、１Ａ、１Ｃ，３および３Ａの場合には１個、2個、4個または8個のＥ−ＣＣＥが第二のＰＤＣＣＨを構成してもよい。また別の例ではＣＲＳに２つ以上のポート（例えばアンテナポート０，１、またはアンテナポート０，１，２，３など）が設定された場合には２個、４個、８個または１６個のＥ−ＣＣＥが第二のＰＤＣＣＨを構成し、ＣＲＳに１つ以下のポート（例えばアンテナポート０のみなど）が設定された場合には１個、2個、4個または8個のＥ−ＣＣＥが第二のＰＤＣＣＨを構成してもよい。なお上記の情報と関連付けて、領域とＥ−ＣＣＥの関連付けが設定される場合に、閾値がＲＲＣ（Radio Resource Control）シグナリングを用いて基地局装置３により通知されてもよい。例えばここで、第二のＰＤＣＣＨを構成するＥ−ＣＣＥ  ａｇｇｒｅｇａｔｉｏｎ  ｎｕｍｂｅｒは、第二のＰＤＣＣＨに設定される符号化率、第二のＰＤＣＣＨに含められるＤＣＩのビット数に応じて基地局装置３において設定される。また、ｎ個のＥ−ＣＣＥからなる集合を、以下、「Ｅ−ＣＣＥ  ａｇｇｒｅｇａｔｉｏｎ  ｎ」という。
【０１０４】
例えば、基地局装置３は、１個のＥ−ＣＣＥにより第二のＰＤＣＣＨを構成したり（Ｅ−ＣＣＥ  ａｇｇｒｅｇａｔｉｏｎ  １）、２個のＥ−ＣＣＥにより第二のＰＤＣＣＨを構成したり（Ｅ−ＣＣＥ  ａｇｇｒｅｇａｔｉｏｎ  ２）、４個のＥ−ＣＣＥにより第二のＰＤＣＣＨを構成したり（Ｅ−ＣＣＥ  ａｇｇｒｅｇａｔｉｏｎ  ４）、８個のＥ−ＣＣＥにより第二のＰＤＣＣＨを構成したり（Ｅ−ＣＣＥ  ａｇｇｒｅｇａｔｉｏｎ  ８）、１６個のＥ−ＣＣＥにより第二のＰＤＣＣＨを構成したりする（Ｅ−ＣＣＥ  ａｇｇｒｅｇａｔｉｏｎ  １６）。例えば、基地局装置３はチャネル品質の良い移動局装置３に対しては第二のＰＤＣＣＨを構成するＥ−ＣＣＥの数が少ないＥ−ＣＣＥ  ａｇｇｒｅｇａｔｉｏｎ  ｎｕｍｂｅｒを用い、チャネル品質の悪い移動局装置３に対しては第二のＰＤＣＣＨを構成するＥ−ＣＣＥの数が多いＥ−ＣＣＥ  ａｇｇｒｅｇａｔｉｏｎ  ｎｕｍｂｅｒを用いる。また、例えば、基地局装置３はビット数の少ないＤＣＩを送信する場合、第二のＰＤＣＣＨを構成するＥ−ＣＣＥの数が少ないＥ−ＣＣＥ  ａｇｇｒｅｇａｔｉｏｎ  ｎｕｍｂｅｒを用い、ビット数の多いＤＣＩを送信する場合、第二のＰＤＣＣＨを構成するＥ−ＣＣＥの数が多いＥ−ＣＣＥ  ａｇｇｒｅｇａｔｉｏｎ  ｎｕｍｂｅｒを用いる。
【０１０５】
また、別の例では、Ｅ−ＣＣＥと領域の関連付けの設定と第二のＰＤＣＣＨを構成するＥ−ＣＣＥ  ａｇｇｒｅｇａｔｉｏｎ  ｎｕｍｂｅｒの設定は併用されても良い。例えば、ＣＦＩ（Ｃｏｎｔｒｏｌ  Ｆｏｒｍａｔ  Ｉｎｄｉｃａｔｏｒ）の値、ＤＣＩ  Ｆｏｒｍａｔ，ＣＲＳのポート数などと関連付けられて、Ｅ−ＣＣＥと領域の関連付けと第二のＰＤＣＣＨを構成するＥ−ＣＣＥ  ａｇｇｒｅｇａｔｉｏｎ  ｎｕｍｂｅｒが同時に設定されても良いし、基地局装置３から移動局装置５に明示的にシグナリング（例えばＲＲＣシグナリング）されてもよい。例えば、１つのＥ−ＣＣＥと１つの領域が関連付けられている場合（図２３の場合）、Ｅ−ＣＣＥ  ａｇｇｒｅｇａｔｉｏｎ  ｎｕｍｂｅｒは１、２、４、８に設定されても良い。また１つのＥ−ＣＣＥと２つの領域が関連付けられている場合（図２１、図２２の場合）、Ｅ−ＣＣＥ  ａｇｇｒｅｇａｔｉｏｎ  ｎｕｍｂｅｒは２、４、８、１６に設定されても良い。また別の例では、１つのＥ−ＣＣＥと１つの領域が関連付けられている場合（図２３の場合）、Ｅ−ＣＣＥ  ａｇｇｒｅｇａｔｉｏｎ  ｎｕｍｂｅｒは１、２、４、８に設定されても良い。また１つのＥ−ＣＣＥと２つの領域が関連付けられている場合（図２１、図２２の場合）、Ｅ−ＣＣＥ  ａｇｇｒｅｇａｔｉｏｎ  ｎｕｍｂｅｒは２、４、８、１２に設定されても良い。このように、Ｅ−ＣＣＥ  ａｇｇｒｅｇａｔｉｏｎ  ｎｕｍｂｅｒは倍数の関係になる必要もない。またこのとき、図１８において斜線で示された第二のＰＤＣＣＨ候補（Ｅ−ＰＤＣＣＨ  ｃａｎｄｉｄａｔｅ）数は、Ｅ−ＣＣＥ  ａｇｇｒｅｇａｔｉｏｎ  ｎｕｍｂｅｒ毎に、独立に第二のＰＤＣＣＨ候補の数が設定される。この第二のＰＤＣＣＨ候補の数が前記Ｅ−ＣＣＥと領域の関連付けの設定や第二のＰＤＣＣＨを構成するＥ−ＣＣＥ  ａｇｇｒｅｇａｔｉｏｎ  ｎｕｍｂｅｒの設定によって異なる値に設定されても良い。例えば、１つのＥ−ＣＣＥと１つの領域が関連付けられている場合（図２３の場合）かつＥ−ＣＣＥ  ａｇｇｒｅｇａｔｉｏｎ  ｎｕｍｂｅｒは１、２、４、８に設定されている場合は、Ｅ−ＣＣＥ  ａｇｇｒｅｇａｔｉｏｎ  ｎｕｍｂｅｒ＝２の第二のＰＤＣＣＨ候補の数が４、１つのＥ−ＣＣＥと２つの領域が関連付けられている場合（図２１、２２の場合）かつＥ−ＣＣＥ  ａｇｇｒｅｇａｔｉｏｎ  ｎｕｍｂｅｒが２、４、８、１６に設定されている場合は、Ｅ−ＣＣＥ  ａｇｇｒｅｇａｔｉｏｎ  ｎｕｍｂｅｒ＝２の第二のＰＤＣＣＨ候補の数が６に設定されても良い。このようにＥ−ＣＣＥと領域の関連付けの設定と第二のＰＤＣＣＨを構成するＥ−ＣＣＥ  ａｇｇｒｅｇａｔｉｏｎ  ｎｕｍｂｅｒの設定を併用して設定することにより、基地局装置３はより柔軟に第二のＰＤＣＣＨの品質を制御することが可能になる。つまり、ＯＦＤＭシンボル数はＣＲＳポート数などが様々に設定される状況においても、第二のＰＤＣＣＨに用いられるリソースを上記手法により適切に設定することにより、第二のＰＤＣＣＨの品質を適切に保ちつつ、運用を行うことが可能となる。
【０１０６】
なお、図２４から図２７においては、第二の物理リソースマッピングでは、１つのＤｉｓｔｒｉｂｕｔｅｄ  Ｅ−ＰＤＣＣＨを構成するＥ−ＣＣＥにおいて、それぞれのＤＬ  ＰＲＢ  ｐａｉｒ内での領域の位置が異なる（周波数位置が異なる）Ｅ−ＣＣＥを用いてＤｉｓｔｒｉｂｕｔｅｄ  Ｅ−ＰＤＣＣＨが構成されてもよい（例えば図２４ではＥ−ＣＣＥ＃０とＥ−ＣＣＥ＃１により、Ｅ−ＰＤＣＣＨが構成されており、ＰＲＢ  ｐａｉｒ２４０２の左から1番目とＰＲＢ  ｐａｉｒ２４０５の左から1番目の領域が使用されているが、例えばＥ−ＣＣＥ＃２がＰＲＢ  ｐａｉｒ２４０５の左から1番目以外の領域を使用しても良い）。例えば、あるＤＬ  ＰＲＢ  ｐａｉｒ内で左から一番目にある（周波数領域で最も低い）領域と、あるＤＬ  ＰＲＢ  ｐａｉｒ内で左から２番目にある（周波数で２番目に低い）領域と、あるＤＬ  ＰＲＢ  ｐａｉｒ内で左から３番目にある（周波数で３番目に低い）領域と、あるＤＬ  ＰＲＢ  ｐａｉｒ内で左から４番目にある（周波数で４番目に低い）（周波数領域で最も高い）領域とから、１つのＤｉｓｔｒｉｂｕｔｅｄ  Ｅ−ＰＤＣＣＨが構成されてもよい。
【０１０７】
また、１つの第二のＰＤＣＣＨが、１つ以上のＤＬ  ＰＲＢから構成される場合にも本発明は適用できる。言い換えると、１つの第二のＰＤＣＣＨ領域が下りリンクサブフレームの１番目のスロットのみの複数のＤＬ  ＰＲＢから構成される場合や、１つの第二のＰＤＣＣＨ領域が下りリンクサブフレームの２番目のスロットのみの複数のＤＬ  ＰＲＢから構成される場合にも本発明は適用できる。また、第二のＰＤＣＣＨ領域に構成されたＤＬ  ＰＲＢ  ｐａｉｒ内で、第一のＰＤＣＣＨと下りリンク参照信号を除く全てのリソース（下りリンクリソースエレメント）が第二のＰＤＣＣＨの信号に用いられるのではなく、一部のリソース（下りリンクリソースエレメント）には信号が配置されない（ヌル）構成でもよい。
【０１０８】
基本的に、プリコーディング処理が適用される第二のＰＤＣＣＨ領域では第一の物理リソースマッピングが適用されることができ、プリコーディング処理が適用されない第二のＰＤＣＣＨ領域では第二の物理リソースマッピングが適用されることができる。第二の物理リソースマッピングでは、１つのＥ−ＰＤＣＣＨは周波数領域で非連続なリソースから構成されるので、周波数ダイバーシチ効果が得られる。
【０１０９】
移動局装置５は、基地局装置３より１つ以上の第二のＰＤＣＣＨ領域が構成される。例えば、移動局装置５は、第一の物理リソースマッピングが適用され、プリコーディング処理が適用される第二のＰＤＣＣＨ領域と、第二の物理リソースマッピングが適用され、プリコーディング処理が適用されない第二のＰＤＣＣＨ領域との２つの第二のＰＤＣＣＨ領域が構成される。例えば、移動局装置５は、第二の物理リソースマッピングが適用され、プリコーディング処理が適用されない第二のＰＤＣＣＨ領域だけが構成される。移動局装置５は、基地局装置３より構成された第二のＰＤＣＣＨ領域において第二のＰＤＣＣＨを検出する処理（モニタリング）を行うように指定（設定、構成）される。第二のＰＤＣＣＨのモニタリングの指定は、第二のＰＤＣＣＨ領域が移動局装置５に構成されることにより、自動的に（暗黙的に）なされてもよいし、第二のＰＤＣＣＨ領域の構成を示すシグナリングとは異なるシグナリングによりなされてもよい。複数の移動局装置５が、同じ第二のＰＤＣＣＨ領域が基地局装置３より指定されうる。
【０１１０】
第二のＰＤＣＣＨ領域の構成（指定、設定）を示す情報は、第二のＰＤＣＣＨを用いた通信を開始する前に、基地局装置３と移動局装置５間でやり取りが行われる。例えば、その情報は、ＲＲＣ（Radio Resource Control）シグナリングを用いて行われる。具体的には、移動局装置５は、基地局装置３より第二のＰＤＣＣＨ領域のＤＬ  ＰＲＢ  ｐａｉｒの位置（割り当て）を示す情報を受信する。また、第二のＰＤＣＣＨ領域のそれぞれに対して、第二のＰＤＣＣＨの物理リソースマッピングの種類（第一の物理リソースマッピング、第二の物理リソースマッピング）を示す情報が、基地局装置３から移動局装置５に通知される。なお、明示的に第二のＰＤＣＣＨの物理リソースマッピングの種類を示す情報ではなく、他の情報が基地局装置３から移動局装置５に通知され、その情報に基づき暗黙的に第二のＰＤＣＣＨの物理リソースマッピングの種類が移動局装置５で認識される構成でもよい。例えば、各第二のＰＤＣＣＨ領域での第二のＰＤＣＣＨの送信方法を示す情報が基地局装置３から移動局装置５に通知され、プリコーディング処理が適用される送信方法が示された場合はその第二のＰＤＣＣＨ領域の物理リソースマッピングは第一の物理リソースマッピングであると移動局装置５が認識し、プリコーディング処理が適用されない送信方法が示された場合はその第二のＰＤＣＣＨ領域の物理リソースマッピングは第二の物理リソースマッピングであると移動局装置５が認識する。また、デフォルトとして、何れかの第二のＰＤＣＣＨの物理リソースマッピングが予め第二のＰＤＣＣＨ領域に設定されており、その設定と異なる物理リソースマッピングが用いられる場合にのみ、その旨を示す情報が基地局装置３から移動局装置５に通知される構成でもよい。移動局装置５は、基地局装置３より設定された第二のＰＤＣＣＨ領域内で受信したＵＥ‐ｓｐｅｃｉｆｉｃ  ＲＳを用いて、第二のＰＤＣＣＨの信号の復調を行い、自装置宛ての第二のＰＤＣＣＨを検出する処理を行なう。例えば、移動局装置５は、第二のＰＤＣＣＨの信号の復調を、復調を行なうリソースが属するＤＬ  ＰＲＢ  ｐａｉｒ内のＵＥ‐ｓｐｅｃｉｆｉｃ  ＲＳを用いて行う。
【０１１１】
移動局装置５は、第一の物理リソースマッピングが適用される第二のＰＤＣＣＨ領域に対して、Ｌｏｃａｌｉｚｅｄ  Ｅ−ＰＤＣＣＨに対するＥ−ＣＣＥ  ａｇｇｒｅｇａｔｉｏｎ  ｎｕｍｂｅｒの候補（候補の組み合わせ）（候補セット）が基地局装置３から設定（構成）されてもよい。例えば、ある移動局装置５は、第一の物理リソースマッピングが適用される第二のＰＤＣＣＨ領域に対して、Ｌｏｃａｌｉｚｅｄ  Ｅ−ＰＤＣＣＨに対するＥ−ＣＣＥ  ａｇｇｒｅｇａｔｉｏｎ  ｎｕｍｂｅｒの候補として、Ｅ−ＣＣＥ  ａｇｇｒｅｇａｔｉｏｎ  １と、Ｅ−ＣＣＥ  ａｇｇｒｅｇａｔｉｏｎ  ２と、Ｅ−ＣＣＥ  ａｇｇｒｅｇａｔｉｏｎ  ４と、が設定されてもよい。例えば、ある移動局装置５は、第一の物理リソースマッピングが適用される第二のＰＤＣＣＨ領域に対して、Ｌｏｃａｌｉｚｅｄ  Ｅ−ＰＤＣＣＨに対するＥ−ＣＣＥ  ａｇｇｒｅｇａｔｉｏｎ  ｎｕｍｂｅｒの候補として、Ｅ−ＣＣＥ  ａｇｇｒｅｇａｔｉｏｎ  ２と、Ｅ−ＣＣＥ  ａｇｇｒｅｇａｔｉｏｎ  ４と、が設定されてもよい。
【０１１２】
ＤＬ  ＰＲＢ  ｐａｉｒ内の各Ｅ−ＣＣＥと、それぞれのＥ−ＣＣＥが対応するアンテナポート（送信アンテナ）との対応関係に関して、ＤＬ  ＰＲＢ  ｐａｉｒ内の各Ｅ−ＣＣＥは、それぞれ異なるアンテナポートから送信される。
【０１１３】
Ｌｏｃａｌｉｚｅｄ  Ｅ−ＰＤＣＣＨが配置される第二のＰＤＣＣＨ領域においては、図２０に示すように、４本の送信アンテナ（アンテナポート７、アンテナポート８、アンテナポート９、アンテナポート１０）に対するＵＥ−ｓｐｅｃｉｆｉｃ  ＲＳ（Ｄ１、Ｄ２）が配置されうる。ＤＬ  ＰＲＢ  ｐａｉｒ内の各Ｅ−ＣＣＥと対応するアンテナポートとの組み合わせに関して、複数の組み合わせが用いられる。それぞれの組み合わせでは、ＤＬ  ＰＲＢ  ｐａｉｒ内の各Ｅ−ＣＣＥに対して対応するアンテナポートが異なる。ＤＬ  ＰＲＢ  ｐａｉｒ内の各Ｅ−ＣＣＥの信号は、対応するアンテナポートから送信される。Ｅ−ＣＣＥの信号に用いられるアンテナポートと、ＵＥ−ｓｐｅｃｉｆｉｃ  ＲＳの送信に用いられるアンテナポートは共通である。例えば、４種類の組み合わせ（第一の組み合わせ、第二の組み合わせ、第三の組み合わせ、第四の組み合わせ）がＤＬ  ＰＲＢ  ｐａｉｒ内の各Ｅ−ＣＣＥと対応するアンテナポートとの組み合わせに用いられうる。第一の組み合わせでは、図２０において、Ｅ−ＣＣＥ  ｎの第二のＰＤＣＣＨの信号はアンテナポート７から送信され、Ｅ−ＣＣＥ  ｎ＋１の第二のＰＤＣＣＨの信号はアンテナポート８から送信され、Ｅ−ＣＣＥ  ｎ＋２の第二のＰＤＣＣＨの信号はアンテナポート９から送信され、Ｅ−ＣＣＥ  ｎ＋３の第二のＰＤＣＣＨの信号はアンテナポート１０から送信される。第二の組み合わせでは、図２０において、Ｅ−ＣＣＥ  ｎの第二のＰＤＣＣＨの信号はアンテナポート８から送信され、Ｅ−ＣＣＥ  ｎ＋１の第二のＰＤＣＣＨの信号はアンテナポート９から送信され、Ｅ−ＣＣＥ  ｎ＋２の第二のＰＤＣＣＨの信号はアンテナポート１０から送信され、Ｅ−ＣＣＥ  ｎ＋３の第二のＰＤＣＣＨの信号はアンテナポート１１から送信される。第三の組み合わせでは、図２０において、Ｅ−ＣＣＥ  ｎの第二のＰＤＣＣＨの信号はアンテナポート９から送信され、Ｅ−ＣＣＥ  ｎ＋１の第二のＰＤＣＣＨの信号はアンテナポート１０から送信され、Ｅ−ＣＣＥ  ｎ＋２の第二のＰＤＣＣＨの信号はアンテナポート７から送信され、Ｅ−ＣＣＥ  ｎ＋３の第二のＰＤＣＣＨの信号はアンテナポート８から送信される。第四の組み合わせでは、図２０において、Ｅ−ＣＣＥ  ｎの第二のＰＤＣＣＨの信号はアンテナポート１０から送信され、Ｅ−ＣＣＥ  ｎ＋１の第二のＰＤＣＣＨの信号はアンテナポート７から送信され、Ｅ−ＣＣＥ  ｎ＋２の第二のＰＤＣＣＨの信号はアンテナポート８から送信され、Ｅ−ＣＣＥ  ｎ＋３の第二のＰＤＣＣＨの信号はアンテナポート９から送信される。
【０１１４】
移動局装置５毎に、ＤＬ  ＰＲＢ  ｐａｉｒ内の各Ｅ−ＣＣＥと対応するアンテナポートとの組み合わせに関して、何れかの組み合わせが基地局装置３より設定される。例えば、この設定は、ＲＲＣシグナリングを用いて行われる。基地局装置３は、ＤＬ  ＰＲＢ  ｐａｉｒ内の各Ｅ−ＣＣＥの信号を対応する送信アンテナから送信する。つまり、基地局装置は、ＤＬ  ＰＲＢ  ｐａｉｒ内の各Ｅ−ＣＣＥの信号を何れの移動局装置５に対して送信するかに応じて、各Ｅ−ＣＣＥの信号を送信するアンテナポートを制御する。移動局装置５は、ＤＬ  ＰＲＢ  ｐａｉｒ内の各Ｅ−ＣＣＥの信号を対応する送信アンテナから送信されたＵＥ−ｓｐｅｃｉｆｉｃ  ＲＳを用いて復調する。
【０１１５】
例えば、基地局装置３は、ＭＵ−ＭＩＭＯの適用に適した状況であると判断した場合、ＤＬ  ＰＲＢ  ｐａｉｒ内の各Ｅ−ＣＣＥと対応するアンテナポートとの組み合わせに関して、異なる組み合わせを異なる移動局装置５に対する第二のＰＤＣＣＨ領域に対して設定する。例えば、ＭＵ−ＭＩＭＯの適用に適した状況とは、基地局装置３が異なる移動局装置５に対する信号に対して、大きな干渉が生じないようなビームフォーミング（プリコーディング処理）を適用可能な状況であり、地理的に離れた複数の移動局装置５のそれぞれの移動局装置５に対して第二のＰＤＣＣＨの信号を送信する要求が存在する場合である。例えば、地理的に近い位置に存在する複数の移動局装置５に対しては、それぞれの移動局装置５に対する信号間で大きな干渉が生じないようなビームフォーミングを適用することが困難であるため、基地局装置３は、それらの移動局装置５に対する第二のＰＤＣＣＨの信号に対してはＭＵ−ＭＩＭＯを適用しない。また、地理的に近い位置に存在する複数の移動局装置５に対しては、送受信信号の特性に最適なビームフォーミング（プリコーディング）は共通となる。例えば、基地局装置３は、ＭＵ−ＭＩＭＯの適用に適した状況ではないと判断した場合、ＤＬ  ＰＲＢ  ｐａｉｒ内の各Ｅ−ＣＣＥと対応するアンテナポートとの組み合わせに関して、同じ（共通の）組み合わせを異なる移動局装置５に対する第二のＰＤＣＣＨ領域に対して設定する。
【０１１６】
基地局装置３が、ＭＵ−ＭＩＭＯの適用に適した状況であると判断した場合の処理について説明する。例えば、基地局装置３のエリア内の異なる位置（例えば、エリアＡ、エリアＢ）に２つの移動局装置５が存在する場合について説明する。説明の便宜上、エリアＡに位置する移動局装置５を移動局装置５Ａ−１と称し、エリアＢに位置する移動局装置５を移動局装置５Ｂ−１と称す。基地局装置３は、ＤＬ  ＰＲＢ  ｐａｉｒ内の各Ｅ−ＣＣＥと対応するアンテナポートとの組み合わせに関して、移動局装置５Ａ−１の第二のＰＤＣＣＨ領域に対して第一の組み合わせを設定する。基地局装置３は、ＤＬ  ＰＲＢ  ｐａｉｒ内の各Ｅ−ＣＣＥと対応するアンテナポートとの組み合わせに関して、移動局装置５Ｂ−１の第二のＰＤＣＣＨ領域に対して第三の組み合わせを設定する。
【０１１７】
例えば、基地局装置３は、Ｅ−ＣＣＥ  ｎのリソースを用いてアンテナポート７から移動局装置５Ａ−１に対する第二のＰＤＣＣＨの信号を送信し、Ｅ−ＣＣＥ  ｎのリソースを用いてアンテナポート９から移動局装置５Ｂ−１に対する第二のＰＤＣＣＨの信号を送信する。ここで、基地局装置３は、アンテナポート７から送信する第二のＰＤＣＣＨの信号とＵＥ−ｓｐｅｃｉｆｉｃ  ＲＳに対して移動局装置５Ａ−１に適したプリコーディング処理を実行し、アンテナポート９から送信する第二のＰＤＣＣＨの信号とＵＥ−ｓｐｅｃｉｆｉｃ  ＲＳに対して移動局装置５Ｂ−１に適したプリコーディング処理を実行する。移動局装置５Ａ−１は、アンテナポート７に対応するＵＥ−ｓｐｅｃｉｆｉｃ  ＲＳを用いてＥ−ＣＣＥ  ｎのリソースの第二のＰＤＣＣＨの信号の復調を行う。移動局装置５Ｂ−１は、アンテナポート９に対応するＵＥ−ｓｐｅｃｉｆｉｃ  ＲＳを用いてＥ−ＣＣＥ  ｎのリソースの第二のＰＤＣＣＨの信号の復調を行う。ここで、移動局装置５Ａ−１と移動局装置５Ｂ−１は地理的に十分に異なる位置にいるため、基地局装置３は両移動局装置５に対する第二のＰＤＣＣＨの信号に対して、大きな干渉が生じないようなビームフォーミング（プリコーディング処理）を適用することができる。以上のように、ＭＵ−ＭＩＭＯが実現される。
【０１１８】
例えば、基地局装置３は、Ｅ−ＣＣＥ  ｎのリソースを用いてアンテナポート７から移動局装置５Ａ−１に対する第二のＰＤＣＣＨの信号を送信し、Ｅ−ＣＣＥ  ｎ＋１のリソースを用いてアンテナポート８から移動局装置５Ａ−１に対する第二のＰＤＣＣＨの信号を送信し、Ｅ−ＣＣＥ  ｎのリソースを用いてアンテナポート９から移動局装置５Ｂ−１に対する第二のＰＤＣＣＨの信号を送信し、Ｅ−ＣＣＥ  ｎ＋１のリソースを用いてアンテナポート１０から移動局装置５Ｂ−１に対する第二のＰＤＣＣＨの信号を送信しする。ここで、基地局装置３は、アンテナポート７とアンテナポート８から送信する第二のＰＤＣＣＨの信号とＵＥ−ｓｐｅｃｉｆｉｃ  ＲＳに対して移動局装置５Ａ−１に適したプリコーディング処理を実行し、アンテナポート９とアンテナポート１０から送信する第二のＰＤＣＣＨの信号とＵＥ−ｓｐｅｃｉｆｉｃ  ＲＳに対して移動局装置５Ｂ−１に適したプリコーディング処理を実行する。移動局装置５Ａ−１は、アンテナポート７に対応するＵＥ−ｓｐｅｃｉｆｉｃ  ＲＳを用いてＥ−ＣＣＥ  ｎのリソースの第二のＰＤＣＣＨの信号の復調を行い、アンテナポート８に対応するＵＥ−ｓｐｅｃｉｆｉｃ  ＲＳを用いてＥ−ＣＣＥ  ｎ＋１のリソースの第二のＰＤＣＣＨの信号の復調を行う。移動局装置５Ｂ−１は、アンテナポート９に対応するＵＥ−ｓｐｅｃｉｆｉｃ  ＲＳを用いてＥ−ＣＣＥ  ｎのリソースの第二のＰＤＣＣＨの信号の復調を行い、アンテナポート１０に対応するＵＥ−ｓｐｅｃｉｆｉｃ  ＲＳを用いてＥ−ＣＣＥ  ｎ＋１のリソースの第二のＰＤＣＣＨの信号の復調を行う。ここで、移動局装置５Ａ−１と移動局装置５Ｂ−１は地理的に十分に異なる位置にいるため、基地局装置３は両移動局装置５に対する第二のＰＤＣＣＨの信号に対して、大きな干渉が生じないようなビームフォーミング（プリコーディング処理）を適用することができる。以上のように、ＭＵ−ＭＩＭＯが実現される。
【０１１９】
例えば、更に、エリアＡに移動局装置５Ａ−１とは異なる移動局装置５（移動局装置５Ａ−２）が存在し、エリアＢに移動局装置５Ｂ−１とは異なる移動局装置５（移動局装置５Ｂ−２）が存在する場合について説明する。基地局装置３は、ＤＬ  ＰＲＢ  ｐａｉｒ内の各Ｅ−ＣＣＥと対応するアンテナポートとの組み合わせに関して、移動局装置５Ａ−１の第二のＰＤＣＣＨ領域に対して第一の組み合わせを設定する。基地局装置３は、ＤＬ  ＰＲＢ  ｐａｉｒ内の各Ｅ−ＣＣＥと対応するアンテナポートとの組み合わせに関して、移動局装置５Ａ−２の第二のＰＤＣＣＨ領域に対して第三の組み合わせを設定する。基地局装置３は、ＤＬ  ＰＲＢ  ｐａｉｒ内の各Ｅ−ＣＣＥと対応するアンテナポートとの組み合わせに関して、移動局装置５Ｂ−１の第二のＰＤＣＣＨ領域に対して第三の組み合わせを設定する。基地局装置３は、ＤＬ  ＰＲＢ  ｐａｉｒ内の各Ｅ−ＣＣＥと対応するアンテナポートとの組み合わせに関して、移動局装置５Ｂ−２の第二のＰＤＣＣＨ領域に対して第一の組み合わせを設定する。
【０１２０】
例えば、基地局装置３は、Ｅ−ＣＣＥ  ｎのリソースを用いてアンテナポート７から移動局装置５Ａ−１に対する第二のＰＤＣＣＨの信号を送信し、Ｅ−ＣＣＥ  ｎのリソースを用いてアンテナポート９から移動局装置５Ｂ−１に対する第二のＰＤＣＣＨの信号を送信する。基地局装置３は、Ｅ−ＣＣＥ  ｎ＋３のリソースを用いてアンテナポート８から移動局装置５Ａ−２に対する第二のＰＤＣＣＨの信号を送信し、Ｅ−ＣＣＥ  ｎ＋３のリソースを用いてアンテナポート１０から移動局装置５Ｂ−２に対する第二のＰＤＣＣＨの信号を送信する。ここで、基地局装置３は、アンテナポート７から送信する第二のＰＤＣＣＨの信号とＵＥ−ｓｐｅｃｉｆｉｃ  ＲＳに対して移動局装置５Ａ−１に適したプリコーディング処理を実行し、アンテナポート８から送信する第二のＰＤＣＣＨの信号とＵＥ−ｓｐｅｃｉｆｉｃ  ＲＳに対して移動局装置５Ａ−２に適したプリコーディング処理を実行し、アンテナポート９から送信する第二のＰＤＣＣＨの信号とＵＥ−ｓｐｅｃｉｆｉｃ  ＲＳに対して移動局装置５Ｂ−１に適したプリコーディング処理を実行し、アンテナポート１０から送信する第二のＰＤＣＣＨの信号とＵＥ−ｓｐｅｃｉｆｉｃ  ＲＳに対して移動局装置５Ｂ−２に適したプリコーディング処理を実行する。移動局装置５Ａ−１は、アンテナポート７に対応するＵＥ−ｓｐｅｃｉｆｉｃ  ＲＳを用いてＥ−ＣＣＥ  ｎのリソースの第二のＰＤＣＣＨの信号の復調を行う。移動局装置５Ａ−２は、アンテナポート８に対応するＵＥ−ｓｐｅｃｉｆｉｃ  ＲＳを用いてＥ−ＣＣＥ  ｎ＋３のリソースの第二のＰＤＣＣＨの信号の復調を行う。移動局装置５Ｂ−１は、アンテナポート９に対応するＵＥ−ｓｐｅｃｉｆｉｃ  ＲＳを用いてＥ−ＣＣＥ  ｎのリソースの第二のＰＤＣＣＨの信号の復調を行う。移動局装置５Ｂ−２は、アンテナポート１０に対応するＵＥ−ｓｐｅｃｉｆｉｃ  ＲＳを用いてＥ−ＣＣＥ  ｎ＋３のリソースの第二のＰＤＣＣＨの信号の復調を行う。ここで、移動局装置５Ａ−１と移動局装置５Ｂ−１は地理的に十分に異なる位置にいるため、基地局装置３は両移動局装置５に対する第二のＰＤＣＣＨの信号に対して、大きな干渉が生じないようなビームフォーミング（プリコーディング処理）を適用することができる。ここで、移動局装置５Ａ−２と移動局装置５Ｂ−２は地理的に十分に異なる位置にいるため、基地局装置３は両移動局装置５に対する第二のＰＤＣＣＨの信号に対して、大きな干渉が生じないようなビームフォーミング（プリコーディング処理）を適用することができる。以上のように、ＭＵ−ＭＩＭＯが実現される。
【０１２１】
例えば、基地局装置３は、Ｅ−ＣＣＥ  ｎのリソースを用いてアンテナポート７から移動局装置５Ａ−１に対する第二のＰＤＣＣＨの信号を送信し、Ｅ−ＣＣＥ  ｎ＋１のリソースを用いてアンテナポート８から移動局装置５Ａ−１に対する第二のＰＤＣＣＨの信号を送信し、Ｅ−ＣＣＥ  ｎ＋２のリソースを用いてアンテナポート７から移動局装置５Ａ−２に対する第二のＰＤＣＣＨの信号を送信し、Ｅ−ＣＣＥ  ｎ＋３のリソースを用いてアンテナポート８から移動局装置５Ａ−２に対する第二のＰＤＣＣＨの信号を送信し、Ｅ−ＣＣＥ  ｎのリソースを用いてアンテナポート９から移動局装置５Ｂ−１に対する第二のＰＤＣＣＨの信号を送信し、Ｅ−ＣＣＥ  ｎ＋１のリソースを用いてアンテナポート１０から移動局装置５Ｂ−１に対する第二のＰＤＣＣＨの信号を送信し、Ｅ−ＣＣＥ  ｎ＋２のリソースを用いてアンテナポート９から移動局装置５Ｂ−２に対する第二のＰＤＣＣＨの信号を送信し、Ｅ−ＣＣＥ  ｎ＋３のリソースを用いてアンテナポート１０から移動局装置５Ｂ−２に対する第二のＰＤＣＣＨの信号を送信する。ここで、基地局装置３は、アンテナポート７とアンテナポート８から送信する第二のＰＤＣＣＨの信号とＵＥ−ｓｐｅｃｉｆｉｃ  ＲＳに対して移動局装置５Ａ−１と移動局装置５Ａ−２に適したプリコーディング処理を実行し、アンテナポート９とアンテナポート１０から送信する第二のＰＤＣＣＨの信号とＵＥ−ｓｐｅｃｉｆｉｃ  ＲＳに対して移動局装置５Ｂ−１と移動局装置５Ｂ−２に適したプリコーディング処理を実行する。移動局装置５Ａ−１は、アンテナポート７に対応するＵＥ−ｓｐｅｃｉｆｉｃ  ＲＳを用いてＥ−ＣＣＥ  ｎのリソースの第二のＰＤＣＣＨの信号の復調を行い、アンテナポート８に対応するＵＥ−ｓｐｅｃｉｆｉｃ  ＲＳを用いてＥ−ＣＣＥ  ｎ＋１のリソースの第二のＰＤＣＣＨの信号の復調を行う。移動局装置５Ａ−２は、アンテナポート７に対応するＵＥ−ｓｐｅｃｉｆｉｃ  ＲＳを用いてＥ−ＣＣＥ  ｎ＋２のリソースの第二のＰＤＣＣＨの信号の復調を行い、アンテナポート８に対応するＵＥ−ｓｐｅｃｉｆｉｃ  ＲＳを用いてＥ−ＣＣＥ  ｎ＋３のリソースの第二のＰＤＣＣＨの信号の復調を行う。移動局装置５Ｂ−１は、アンテナポート９に対応するＵＥ−ｓｐｅｃｉｆｉｃ  ＲＳを用いてＥ−ＣＣＥ  ｎのリソースの第二のＰＤＣＣＨの信号の復調を行い、アンテナポート１０に対応するＵＥ−ｓｐｅｃｉｆｉｃ  ＲＳを用いてＥ−ＣＣＥ  ｎ＋１のリソースの第二のＰＤＣＣＨの信号の復調を行う。移動局装置５Ｂ−２は、アンテナポート９に対応するＵＥ−ｓｐｅｃｉｆｉｃ  ＲＳを用いてＥ−ＣＣＥ  ｎ＋２のリソースの第二のＰＤＣＣＨの信号の復調を行い、アンテナポート１０に対応するＵＥ−ｓｐｅｃｉｆｉｃ  ＲＳを用いてＥ−ＣＣＥ  ｎ＋３のリソースの第二のＰＤＣＣＨの信号の復調を行う。ここで、移動局装置５Ａ−１および移動局装置５Ａ−２と、移動局装置５Ｂ−１および移動局装置５Ｂ−２と間では地理的に十分に異なる位置にいるため、基地局装置３は異なるエリアに位置する移動局装置５に対する第二のＰＤＣＣＨの信号に対して、大きな干渉が生じないようなビームフォーミング（プリコーディング処理）を適用することが��きる。また、移動局装置５Ａ−１と移動局装置５Ａ−２は地理的に十分に近い位置（エリアＡ）にいるため、適したビームフォーミング（プリコーディング処理）は共通であるため、基地局装置３は同一のアンテナポート（アンテナポート７とアンテナポート８）を用いて移動局装置５Ａ−１と移動局装置５Ａ−２の両方に対して第二のＰＤＣＣＨの信号を効率良く送信することができる。また、移動局装置５Ｂ−１と移動局装置５Ｂ−２は地理的に十分に近い位置（エリアＢ）にいるため、適したビームフォーミング（プリコーディング処理）は共通であるため、基地局装置３は同一のアンテナポート（アンテナポート９とアンテナポート１０）を用いて移動局装置５Ｂ−１と移動局装置５Ｂ−２の両方に対して第二のＰＤＣＣＨの信号を効率良く送信することができる。以上のように、ＭＵ−ＭＩＭＯが実現される。
【０１２２】
基地局装置３が、ＭＵ−ＭＩＭＯの適用に適した状況ではないと判断した場合の処理について説明する。例えば、基地局装置３のエリア内の異なる位置（例えば、エリアＣ、エリアＤ、エリアＥ、エリアＦ）に４つの移動局装置５がそれぞれ存在する場合について説明する。説明の便宜上、エリアＣに位置する移動局装置５を移動局装置５Ｃ−１と称し、エリアＤに位置する移動局装置５を移動局装置５Ｄ−１と称し、エリアＥに位置する移動局装置５を移動局装置５Ｅ−１と称し、エリアＦに位置する移動局装置５を移動局装置５Ｆ−１と称す。ここで、エリアＣとエリアＤとエリアＥとエリアＦのそれぞれのエリアは十分に離れた位置ではなく、各エリアに位置する移動局装置５に対する第二のＰＤＣＣＨの信号に対して大きな干渉が生じないようなビームフォーミング（プリコーディング処理）を適用することが困難な状況であり、ＭＵ−ＭＩＭＯの適用が困難である場合について説明する。一方、エリアＣとエリアＤとエリアＥとエリアＦのそれぞれのエリアは非常に近い位置ではなく、各エリアに位置する移動局装置５に対する第二のＰＤＣＣＨの信号に適したビームフォーミング（プリコーディング処理）が異なる場合について説明する。基地局装置３は、ＤＬ  ＰＲＢ  ｐａｉｒ内の各Ｅ−ＣＣＥと対応するアンテナポートとの組み合わせに関して、移動局装置５Ｃ−１の第二のＰＤＣＣＨ領域と、移動局装置５Ｄ−１の第二のＰＤＣＣＨ領域と、移動局装置５Ｅ−１の第二のＰＤＣＣＨ領域と、移動局装置５Ｆ−１の第二のＰＤＣＣＨ領域とのそれぞれに対して第一の組み合わせを設定する。
【０１２３】
例えば、基地局装置３は、Ｅ−ＣＣＥ  ｎのリソースを用いてアンテナポート７から移動局装置５Ｃ−１に対する第二のＰＤＣＣＨの信号を送信し、Ｅ−ＣＣＥ  ｎ＋１のリソースを用いてアンテナポート８から移動局装置５Ｄ−１に対する第二のＰＤＣＣＨの信号を送信し、Ｅ−ＣＣＥ  ｎ＋２のリソースを用いてアンテナポート９から移動局装置５Ｅ−１に対する第二のＰＤＣＣＨの信号を送信し、Ｅ−ＣＣＥ  ｎのリソースを用いてアンテナポート１０から移動局装置５Ｆ−１に対する第二のＰＤＣＣＨの信号を送信する。ここで、基地局装置３は、アンテナポート７から送信する第二のＰＤＣＣＨの信号とＵＥ−ｓｐｅｃｉｆｉｃ  ＲＳに対して移動局装置５Ｃ−１に適したプリコーディング処理を実行し、アンテナポート８から送信する第二のＰＤＣＣＨの信号とＵＥ−ｓｐｅｃｉｆｉｃ  ＲＳに対して移動局装置５Ｄ−１に適したプリコーディング処理を実行し、アンテナポート９から送信する第二のＰＤＣＣＨの信号とＵＥ−ｓｐｅｃｉｆｉｃ  ＲＳに対して移動局装置５Ｅ−１に適したプリコーディング処理を実行し、アンテナポート１０から送信する第二のＰＤＣＣＨの信号とＵＥ−ｓｐｅｃｉｆｉｃ  ＲＳに対して移動局装置５Ｆ−１に適したプリコーディング処理を実行する。移動局装置５Ｃ−１は、アンテナポート７に対応するＵＥ−ｓｐｅｃｉｆｉｃ  ＲＳを用いてＥ−ＣＣＥ  ｎのリソースの第二のＰＤＣＣＨの信号の復調を行う。移動局装置５Ｄ−１は、アンテナポート８に対応するＵＥ−ｓｐｅｃｉｆｉｃ  ＲＳを用いてＥ−ＣＣＥ  ｎ＋１のリソースの第二のＰＤＣＣＨの信号の復調を行う。移動局装置５Ｅ−１は、アンテナポート９に対応するＵＥ−ｓｐｅｃｉｆｉｃ  ＲＳを用いてＥ−ＣＣＥ  ｎ＋２のリソースの第二のＰＤＣＣＨの信号の復調を行う。移動局装置５Ｆ−１は、アンテナポート１０に対応するＵＥ−ｓｐｅｃｉｆｉｃ  ＲＳを用いてＥ−ＣＣＥ  ｎ＋３のリソースの第二のＰＤＣＣＨの信号の復調を行う。以上のように、基地局装置３は、それぞれにエリアに位置する移動局装置５に対する第二のＰＤＣＣＨの信号のそれぞれに対して、適したビームフォーミング（プリコーディング処理）を独立に実行することができる。よって、それぞれにエリアに位置する移動局装置５に対する第二のＰＤＣＣＨの信号の特性に関して、要求を満足することができる。
【０１２４】
なお、エリアＣとエリアＤとエリアＥとエリアＦのそれぞれのエリアが離れた位置であり、各エリアに位置する移動局装置５に対する第二のＰＤＣＣＨの信号に対して大きな干渉が生じないようなビームフォーミング（プリコーディング処理）を適用することが可能な状況であり、ＭＵ−ＭＩＭＯの適用が可能な場合は、基地局装置３は、ＤＬ  ＰＲＢ  ｐａｉｒ内の各Ｅ−ＣＣＥと対応するアンテナポートとの組み合わせに関して、例えば、移動局装置５Ｃ−１の第二のＰＤＣＣＨ領域に対して第一の組み合わせを設定し、移動局装置５Ｄ−１の第二のＰＤＣＣＨ領域に対して第二の組み合わせを設定し、移動局装置５Ｅ−１の第二のＰＤＣＣＨ領域に対して第三の組み合わせを設定し、移動局装置５Ｆ−１の第二のＰＤＣＣＨ領域に対して第四の組み合わせを設定してもよい。
【０１２５】
以下では、第二のＰＤＣＣＨにマッピングされる制御信号について説明する。第二のＰＤＣＣＨにマッピングされる制御信号は、１つの移動局装置５に対する制御情報毎に処理され、データ信号と同様に、スクランブル処理、変調処理、レイヤーマッピング処理、プレコーディング処理等が行われうる。ここで、レイヤーマッピング処理とは、第二のＰＤＣＣＨに複数アンテナ送信が適用される場合に行われる、ＭＩＭＯ信号処理の一部を意味する。例えば、プレコーディング処理が適用される第二のＰＤＣＣＨ、プレコーディング処理は適用されないが、送信ダイバーシチが適用される第二のＰＤＣＣＨに対してレイヤーマッピング処理が実行される。また、第二のＰＤＣＣＨにマッピングされる制御信号は、ＵＥ−ｓｐｅｃｉｆｉｃ  ＲＳと共に、共通のプレコーディング処理が行われうる。そのとき、プレコーディング処理は、移動局装置５単位に好適なプレコーディング重みにより行われることが好ましい。
【０１２６】
また、第二のＰＤＣＣＨが配置されるＤＬ  ＰＲＢ  ｐａｉｒには、基地局装置３によって、ＵＥ−ｓｐｅｃｉｆｉｃ  ＲＳが多重される。移動局装置５は、第二のＰＤＣＣＨの信号を、ＵＥ−ｓｐｅｃｉｆｉｃ  ＲＳによって復調処理を行う。第二のＰＤＣＣＨの復調に用いられるＵＥ−ｓｐｅｃｉｆｉｃ  ＲＳは、第二のＰＤＣＣＨ領域毎に、ＤＬ  ＰＲＢ  ｐａｉｒ内の各Ｅ−ＣＣＥと対応するアンテナポートとの組み合わせ関して、異なる組み合わせが設定されることができる。つまり、移動局装置５毎に、第二のＰＤＣＣＨ領域のＤＬ  ＰＲＢ  ｐａｉｒ内の各Ｅ−ＣＣＥと対応するアンテナポートとの組み合わせ関して、異なる組み合わせが設定されることができる。第一の物理リソースマッピングが適用される第二のＰＤＣＣＨ領域では、複数の送信アンテナ（アンテナポート７、アンテナポート８、アンテナポート９、アンテナポート１０）のＵＥ−ｓｐｅｃｉｆｉｃ  ＲＳが配置される。第二の物理リソースマッピングが適用される第二のＰＤＣＣＨ領域では、１本の送信アンテナ（アンテナポート７）のＵＥ−ｓｐｅｃｉｆｉｃ  ＲＳが配置される。なお、第二の物理リソースマッピングが適用される第二のＰＤＣＣＨ領域では、Ｄｉｓｔｒｉｂｕｔｅｄ  Ｅ−ＰＤＣＣＨにＳＦＢＣ（Space Frequency Block Coding）などの送信ダイバーシチ等を適用する場合は、２本の送信アンテナ（アンテナポート７、アンテナポート８）のＵＥ−ｓｐｅｃｉｆｉｃ  ＲＳが配置されてもよい。
【０１２７】
第一の物理リソースマッピングが適用される第二のＰＤＣＣＨ領域では、ＤＬ  ＰＲＢ  ｐａｉｒ内の各Ｅ−ＣＣＥは、それぞれ異なる送信アンテナと対応し、対応する送信アンテナから信号が送信される。第二の物理リソースマッピングが適用される第二のＰＤＣＣＨ領域では、ＤＬ  ＰＲＢ  ｐａｉｒ内の各Ｅ−ＣＣＥは、それぞれ同じ（共通の）送信アンテナと対応し、対応するする送信アンテナから信号が送信される。
【０１２８】
例えば、第一の物理リソースマッピングが適用される第二のＰＤＣＣＨ領域では、ＤＬ  ＰＲＢ  ｐａｉｒ内の各Ｅ−ＣＣＥと対応するアンテナポートとの組み合わせ関して、第一の組み合わせ、第二の組み合わせ、第三の組み合わせ、または第四の組み合わせが用いられうる。つまり、移動局装置５毎に、複数の組み合わせの中から何れかの組み合わせが設定（構成）される。第一の組み合わせでは、図２０において、Ｅ−ＣＣＥ  ｎの第二のＰＤＣＣＨの信号はアンテナポート７から送信され、Ｅ−ＣＣＥ  ｎ＋１の第二のＰＤＣＣＨの信号はアンテナポート８から送信され、Ｅ−ＣＣＥ  ｎ＋２の第二のＰＤＣＣＨの信号はアンテナポート９から送信され、Ｅ−ＣＣＥ  ｎ＋３の第二のＰＤＣＣＨの信号はアンテナポート１０から送信される。第二の組み合わせでは、図２０において、Ｅ−ＣＣＥ  ｎの第二のＰＤＣＣＨの信号はアンテナポート８から送信され、Ｅ−ＣＣＥ  ｎ＋１の第二のＰＤＣＣＨの信号はアンテナポート９から送信され、Ｅ−ＣＣＥ  ｎ＋２の第二のＰＤＣＣＨの信号はアンテナポート１０から送信され、Ｅ−ＣＣＥ  ｎ＋３の第二のＰＤＣＣＨの信号はアンテナポート１１から送信される。第三の組み合わせでは、図２０において、Ｅ−ＣＣＥ  ｎの第二のＰＤＣＣＨの信号はアンテナポート９から送信され、Ｅ−ＣＣＥ  ｎ＋１の第二のＰＤＣＣＨの信号はアンテナポート１０から送信され、Ｅ−ＣＣＥ  ｎ＋２の第二のＰＤＣＣＨの信号はアンテナポート７から送信され、Ｅ−ＣＣＥ  ｎ＋３の第二のＰＤＣＣＨの信号はアンテナポート８から送信される。第四の組み合わせでは、図２０において、Ｅ−ＣＣＥ  ｎの第二のＰＤＣＣＨの信号はアンテナポート１０から送信され、Ｅ−ＣＣＥ  ｎ＋１の第二のＰＤＣＣＨの信号はアンテナポート７から送信され、Ｅ−ＣＣＥ  ｎ＋２の第二のＰＤＣＣＨの信号はアンテナポート８から送信され、Ｅ−ＣＣＥ  ｎ＋３の第二のＰＤＣＣＨの信号はアンテナポート９から送信される。
【０１２９】
ここで、第一の組み合わせと第二の組み合わせと第三の組み合わせと第四の組み合わせとの関係は、ＤＬ  ＰＲＢ  ｐａｉｒ内の各Ｅ−ＣＣＥと対応するアンテナポートがシフトされた関係と称することができる。また、第一の組み合わせと第三の組み合わせとの関係について説明する。ＤＬ  ＰＲＢ  ｐａｉｒ内の複数のＥ−ＣＣＥは、複数のグループ（セット）に分けられる。例えば、２つのグループ（グループＡ、グループＢ）に分けられる。第一の組み合わせと第三の組み合わせは、グループ内の各Ｅ−ＣＣＥと対応するアンテナポートのセットがグループ間で切り替えられた関係と称することができる。より詳細には、第一の組み合わせのグループＡ（図２０に記載のＥ−ＣＣＥ  ｎとＥ−ＣＣＥ  ｎ＋１）と対応するアンテナポートセット（アンテナポート７とアンテナポート８）と第三の組み合わせのグループＢ（図２０に記載のＥ−ＣＣＥ  ｎ＋２とＥ−ＣＣＥ  ｎ＋３）と対応するアンテナポートセット（アンテナポート７とアンテナポート８）と同じで、第一の組み合わせのグループＢ（図２０に記載のＥ−ＣＣＥ  ｎ＋２とＥ−ＣＣＥ  ｎ＋３）と対応するアンテナポートセット（アンテナポート９とアンテナポート１０）と第三の組み合わせのグループＡ（図２０に記載のＥ−ＣＣＥ  ｎとＥ−ＣＣＥ  ｎ＋１）と対応するアンテナポートセット（アンテナポート９とアンテナポート１０）と同じである。なお、第二の組み合わせと第四の組み合わせとの関係は、第一の組み合わせと第三の組み合わせとの関係と同じである。
【０１３０】
なお、第二のＰＤＣＣＨ領域に配置されるＵＥ−ｓｐｅｃｉｆｉｃ  ＲＳの生成には、予め規定されたスクランブルＩＤが用いられてもよい。例えば、ＵＥ−ｓｐｅｃｉｆｉｃ  ＲＳに対して用いられるスクランブルＩＤとして、０〜３のいずれかの値が規定されてもよい。
【０１３１】
図２９は、本発明の実施形態に係る移動局装置５の第二のＰＤＣＣＨのモニタリングを説明する図である。移動局装置５に対して、複数の第二のＰＤＣＣＨ領域（第二のＰＤＣＣＨ領域１、第二のＰＤＣＣＨ領域２）が構成される。移動局装置５は、各第二のＰＤＣＣＨ領域においてＳｅａｒｃｈ  ｓｐａｃｅが設定される。Ｓｅａｒｃｈ  ｓｐａｃｅとは、移動局装置５が第二のＰＤＣＣＨ領域内で第二のＰＤＣＣＨの復号検出を行なう論理的な領域を意味する。Ｓｅａｒｃｈ  ｓｐａｃｅは、複数の第二のＰＤＣＣＨ候補から構成される。第二のＰＤＣＣＨ候補とは、移動局装置５が第二のＰＤＣＣＨの復号検出を行う対象である。Ｅ−ＣＣＥ  ａｇｇｒｅｇａｔｉｏｎ  ｎｕｍｂｅｒ毎に、異なる第二のＰＤＣＣＨ候補は異なるＥ−ＣＣＥ（１つのＥ−ＣＣＥ、複数のＥ−ＣＣＥを含む）から構成される。第一の物理リソースマッピングが適用される第二のＰＤＣＣＨ領域に設定されるＳｅａｒｃｈ  ｓｐａｃｅの複数の第二のＰＤＣＣＨ候補を構成するＥ−ＣＣＥは、連続する領域から構成される複数のＥ−ＣＣＥである。第二の物理リソースマッピングが適用される第二のＰＤＣＣＨ領域に設定されるＳｅａｒｃｈ  ｓｐａｃｅの複数の第二のＰＤＣＣＨ候補を構成するＥ−ＣＣＥは、非連続な領域からなる複数のＥ−ＣＣＥである。第二のＰＤＣＣＨ領域内でＳｅａｒｃｈ  ｓｐａｃｅに用いられる最初のＥ−ＣＣＥ番号が移動局装置５毎に設定される。例えば、移動局装置５に割り当てられた識別子（移動局識別子）を用いたランダム関数により、Ｓｅａｒｃｈ  ｓｐａｃｅに用いられる最初のＥ−ＣＣＥ番号が設定される。例えば、基地局装置３がＲＲＣシグナリングを用いて、Ｓｅａｒｃｈ  ｓｐａｃｅに用いられる最初のＥ−ＣＣＥ番号を移動局装置５に通知する。
【０１３２】
複数の第二のＰＤＣＣＨ領域が構成される移動局装置５には、複数のＳｅａｒｃｈ  ｓｐａｃｅ（第一のＳｅａｒｃｈ  ｓｐａｃｅ、第二のＳｅａｒｃｈ  ｓｐａｃｅ）が設定される。移動局装置５に構成される複数の第二のＰＤＣＣＨ領域の一部の第二のＰＤＣＣＨ領域（第二のＰＤＣＣＨ領域１）には第一の物理リソースマッピングが適用され、異なる一部の第二のＰＤＣＣＨ領域（第二のＰＤＣＣＨ領域２）には第二の物理リソースマッピングが適用される。
【０１３３】
第一のＳｅａｒｃｈ  ｓｐａｃｅの第二のＰＤＣＣＨ候補の数は、第二のＳｅａｒｃｈ  ｓｐａｃｅの第二のＰＤＣＣＨの候補の数と異なりうる。例えば、基本的にプリコーディング処理が適用される第二のＰＤＣＣＨが用いられ、何かしらの状況により適したプリコーディング処理の実現が基地局装置３において困難な場合にプリコーディング処理が適用されず、周波数ダイバーシチ効果を有する第二のＰＤＣＣＨが用いられるような制御を行うためには、第一のＳｅａｒｃｈ  ｓｐａｃｅの第二のＰＤＣＣＨ候補の数を第二のＳｅａｒｃｈ  ｓｐａｃｅの第二のＰＤＣＣＨ候補の数より多く設定してもよい。
【０１３４】
また、あるＥ−ＣＣＥ集合数では、第一のＳｅａｒｃｈ  ｓｐａｃｅの第二のＰＤＣＣＨ候補の数と第二のＳｅａｒｃｈ  ｓｐａｃｅの第二のＰＤＣＣＨ候補の数とが同じで、異なるＥ−ＣＣＥ集合数では、第一のＳｅａｒｃｈ  ｓｐａｃｅの第二のＰＤＣＣＨ候補の数と第二のＳｅａｒｃｈ  ｓｐａｃｅの第二のＰＤＣＣＨ候補の数とが異なりうる。また、あるＥ−ＣＣＥ集合数では、第一のＳｅａｒｃｈ  ｓｐａｃｅの第二のＰＤＣＣＨ候補の数が第二のＳｅａｒｃｈ  ｓｐａｃｅの第二のＰＤＣＣＨ候補の数より多く、異なるＥ−ＣＣＥ集合数では、第一のＳｅａｒｃｈ  ｓｐａｃｅの第二のＰＤＣＣＨ候補の数が第二のＳｅａｒｃｈ  ｓｐａｃｅの第二のＰＤＣＣＨ候補の数より少ないとすることもできる。
【０１３５】
また、あるＥ−ＣＣＥ集合数の第二のＰＤＣＣＨ候補が、一方の第二のＰＤＣＣＨ領域のＳｅａｒｃｈ  ｓｐａｃｅには設定され、異なる一方の第二のＰＤＣＣＨ領域のＳｅａｒｃｈ  ｓｐａｃｅには設定されないとすることもできる。
【０１３６】
また、移動局装置５に構成される第二のＰＤＣＣＨ領域の数に応じて、１つの第二のＰＤＣＣＨ領域内のＳｅａｒｃｈ  ｓｐａｃｅの第二のＰＤＣＣＨ候補数を変動させるようにすることができる。例えば、移動局装置５に構成される第二のＰＤＣＣＨ領域の数が増えるにつれ、１つの第二のＰＤＣＣＨ領域内のＳｅａｒｃｈ  ｓｐａｃｅの第二のＰＤＣＣＨ候補数を少なくする。
【０１３７】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部（第二の受信処理部）１０１、無線リソース制御部（第二の無線リソース制御部）１０３、制御部（第二の制御部）１０５、および、送信処理部（第二の送信処理部）１０７を含んで構成される。
【０１３８】
受信処理部１０１は、制御部１０５の指示に従い、受信アンテナ１０９により移動局装置５から受信した、ＰＵＣＣＨ、ＰＵＳＣＨの受信信号をＵＬ  ＲＳを用いて復調し、復号して、制御情報、情報データを抽出する。受信処理部１０１は、自装置が移動局装置５にＰＵＣＣＨのリソースを割り当てた上りリンクサブフレーム、ＵＬ  ＰＲＢに対してＵＣＩを抽出する処理を行なう。受信処理部１０１は、何れの上りリンクサブフレーム、何れのＵＬ  ＰＲＢに対してどのような処理を行なうかを制御部１０５から指示される。例えば、受信処理部１０１は、ＡＣＫ／ＮＡＣＫ用のＰＵＣＣＨ（ＰＵＣＣＨ  ｆｏｒｍａｔ  １ａ、ＰＵＣＣＨ  ｆｏｒｍａｔ  １ｂ）の信号に対して時間領域での符号系列の乗算と合成、周波数領域での符号系列の乗算と合成を行う検出処理を制御部１０５から指示される。また、受信処理部１０１は、ＰＵＣＣＨからＵＣＩを検出する処理に用いる周波数領域の符号系列および／または時間領域の符号系列を制御部１０５から指示される。受信処理部１０１は、抽出したＵＣＩを制御部１０５に出力し、情報データを上位層に出力する。受信処理部１０１の詳細については、後述する。
【０１３９】
また、受信処理部１０１は、制御部１０５の指示に従い、受信アンテナ１０９により移動局装置５から受信したＰＲＡＣＨの受信信号から、プリアンブル系列を検出（受信）する。また、受信処理部１０１は、プリアンブル系列の検出と共に、到来タイミング（受信タイミング）の推定も行う。受信処理部１０１は、自装置がＰＲＡＣＨのリソースを割り当てた上りリンクサブフレーム、ＵＬ  ＰＲＢ  ｐａｉｒに対してプリアンブル系列を検出する処理を行う。受信処理部１０１は、推定した到来タイミングに関する情報を制御部１０５に出力する。
【０１４０】
また、受信処理部１０１は、移動局装置５から受信したＳＲＳを用いて１個以上のＵＬ  ＰＲＢ（ＵＬ  ＰＲＢ  ｐａｉｒ）のチャネル品質を測定する。また、受信処理部１０１は、移動局装置５から受信したＳＲＳを用いて上りリンクの同期ずれを検出（算出、測定）する。受信処理部１０１は、何れの上りリンクサブフレーム、何れのＵＬ  ＰＲＢ（ＵＬ  ＰＲＢ  ｐａｉｒ）に対してどのような処理を行うかを制御部１０５から指示される。受信処理部１０１は、測定したチャネル品質、検出した上りリンクの同期ずれに関する情報を制御部１０５に出力する。受信処理部１０１の詳細については、後述する。
【０１４１】
無線リソース制御部１０３は、ＰＤＣＣＨ（第一のＰＤＣＣＨ、第二のＰＤＣＣＨ）に対するリソースの割り当て、ＰＵＣＣＨに対するリソースの割り当て、ＰＤＳＣＨに対するＤＬ  ＰＲＢ  ｐａｉｒの割り当て、ＰＵＳＣＨに対するＵＬ  ＰＲＢ  ｐａｉｒの割り当て、ＰＲＡＣＨに対するリソースの割り当て、ＳＲＳに対するリソースの割り当て、各種チャネルの変調方式・符号化率・送信電力制御値・プリコーディング処理に用いる位相回転量（重み付け値）、ＵＥ−ｓｐｅｃｉｆｉｃ  ＲＳのプリコーディング処理に用いる位相回転量（重み付け値）などを設定する。なお、無線リソース制御部１０３は、ＰＵＣＣＨに対する周波数領域の符号系列、時間領域の符号系列なども設定する。また、無線リソース制御部１０３は、複数の第二のＰＤＣＣＨ領域を設定し、それぞれの第二のＰＤＣＣＨ領域に用いるＤＬ  ＰＲＢ  ｐａｉｒを設定する。また、無線リソース制御部１０３は、それぞれの第二のＰＤＣＣＨ領域の物理リソースマッピングを設定する。また、無線リソース制御部１０３は、第二のＰＤＣＣＨ領域に対して、ＤＬ  ＰＲＢ  ｐａｉｒ内の各Ｅ−ＣＣＥと対応するアンテナポートとの組み合わせを設定する。具体的には、無線リソース制御部１０３は、ＤＬ  ＰＲＢ  ｐａｉｒ内の各Ｅ−ＣＣＥの信号を送信する送信アンテナを設定する。無線リソース制御部１０３で設定された情報の一部は送信処理部１０７を介して移動局装置５に通知され、例えば第二のＰＤＣＣＨ領域のＤＬ  ＰＲＢ  ｐａｉｒを示す情報、第二のＰＤＣＣＨ領域の物理リソースマッピングを示す情報（第一の物理リソースマッピング、または第二の物理リソースマッピングを示す情報）、ＤＬ  ＰＲＢ  ｐａｉｒ内の各Ｅ−ＣＣＥと対応するアンテナポートとの組み合わせを示す情報（第一の組み合わせ、第二の組み合わせ、第三の組み合わせ、または第四の組み合わせ）、第二のＰＤＣＣＨに用いられる可能性のあるリソースブロックペアを示す情報（例えばビットマップ）が移動局装置５に通知される。
【０１４２】
また、無線リソース制御部１０３は、受信処理部１０１においてＰＵＣＣＨを用いて取得され、制御部１０５を介して入力されたＵＣＩに基づいてＰＤＳＣＨの無線リソースの割り当てなどを設定する。例えば、無線リソース制御部１０３は、ＰＵＣＣＨを用いて取得されたＡＣＫ／ＮＡＣＫが入力された場合、ＡＣＫ／ＮＡＣＫでＮＡＣＫが示されたＰＤＳＣＨのリソースの割り当てを移動局装置５に対して行なう。
【０１４３】
無線リソース制御部１０３は、各種制御信号を制御部１０５に出力する。例えば、制御信号は、第二のＰＤＣＣＨ領域の物理リソースマッピングを示す制御信号、第二のＰＤＣＣＨ領域のＤＬ  ＰＲＢ  ｐａｉｒ内の各Ｅ−ＣＣＥの信号を送信する送信アンテナを示す制御信号、第二のＰＤＣＣＨのリソースの割り当てを示す制御信号、プリコーディング処理に用いる位相回転量を示す制御信号などである。
【０１４４】
制御部１０５は、無線リソース制御部１０３から入力された制御信号に基づき、ＰＤＳＣＨに対するＤＬ  ＰＲＢ  ｐａｉｒの割り当て、ＰＤＣＣＨに対するリソースの割り当て、ＰＤＳＣＨに対する変調方式の設定、ＰＤＳＣＨおよびＰＤＣＣＨに対する符号化率（第二のＰＤＣＣＨのＥ−ＣＣＥ  ａｇｇｒｅｇａｔｉｏｎ  ｎｕｍｂｅｒ）の設定、第二のＰＤＣＣＨ領域のＵＥ−ｓｐｅｃｉｆｉｃ  ＲＳの設定、Ｅ−ＣＣＥの信号を送信する送信アンテナの設定、ＰＤＳＣＨおよびＰＤＣＣＨおよびＵＥ−ｓｐｅｃｉｆｉｃ  ＲＳに対するプリコーディング処理の設定などの制御を送信処理部１０７に対して行なう。また、制御部１０５は、無線リソース制御部１０３から入力された制御信号に基づき、ＰＤＣＣＨを用いて送信されるＤＣＩを生成し、送信処理部１０７に出力する。ＰＤＣＣＨを用いて送信されるＤＣＩは、下りリンクアサインメント、上りリンクグラントなどである。また、制御部１０５は、第二のＰＤＣＣＨ領域を示す情報、第二のＰＤＣＣＨ領域の物理リソースマッピングを示す情報、ＤＬ  ＰＲＢ  ｐａｉｒ内の各Ｅ−ＣＣＥと対応するアンテナポートとの組み合わせを示す情報（第一の組み合わせ、第二の組み合わせ、第三の組み合わせ、または第四の組み合わせ）、第二の制御チャネルに用いられる可能性のあるリソースブロックペアを示すビットマップなどを、送信処理部１０７を介して、移動局装置５にＰＤＳＣＨを用いて送信するように制御を行なう。
【０１４５】
制御部１０５は、無線リソース制御部１０３から入力された制御信号に基づき、ＰＵＳＣＨに対するＵＬ  ＰＲＢ  ｐａｉｒの割り当て、ＰＵＣＣＨに対するリソースの割り当て、ＰＵＳＣＨおよびＰＵＣＣＨの変調方式の設定、ＰＵＳＣＨの符号化率の設定、ＰＵＣＣＨに対する検出処理、ＰＵＣＣＨに対する符号系列の設定、ＰＲＡＣＨに対するリソースの割り当て、ＳＲＳに対するリソースの割り当てなどの制御を受信処理部１０１に対して行なう。また、制御部１０５は、移動局装置５によってＰＵＣＣＨを用いて送信されたＵＣＩが受信処理部１０１より入力され、入力されたＵＣＩを無線リソース制御部１０３に出力する。
【０１４６】
また、制御部１０５は、受信処理部１０１より、検出されたプリアンブル系列の到来タイミングを示す情報、受信されたＳＲＳから検出された上りリンクの同期ずれを示す情報が入力され、上りリンクの送信タイミングの調整値（TA: Timing Advance、Timing Adjustment、Timing Alignment）（TA value）を算出する。算出された上りリンクの送信タイミングの調整値を示す情報（TA command）は、送信処理部１０７を介して移動局装置５に通知される。
【０１４７】
送信処理部１０７は、制御部１０５から入力された制御信号に基づき、ＰＤＣＣＨ、ＰＤＳＣＨを用いて送信する信号を生成して、送信アンテナ１１１を介して送信する。送信処理部１０７は、無線リソース制御部１０３から入力された、第二のＰＤＣＣＨ領域を示す情報、第二のＰＤＣＣＨ領域の物理リソースマッピングを示す情報、ＤＬ  ＰＲＢ  ｐａｉｒ内の各Ｅ−ＣＣＥと対応するアンテナポートとの組み合わせを示す情報（第一の組み合わせ、第二の組み合わせ、第三の組み合わせ、または第四の組み合わせ）、上位層から入力された情報データ等を、ＰＤＳＣＨを用いて移動局装置５に対して送信し、制御部１０５から入力されたＤＣＩをＰＤＣＣＨ（第一のＰＤＣＣＨ、第二のＰＤＣＣＨ）を用いて移動局装置５に対して送信する。また、送信処理部１０７は、ＣＲＳ、ＵＥ−ｓｐｅｃｉｆｉｃ  ＲＳ、ＣＳＩ−ＲＳを送信する。なお、説明の簡略化のため、以降、情報データは数種の制御に関する情報を含むものとする。送信処理部１０７の詳細については、後述する。
【０１４８】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、プリコーディング処理部２３１、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog converter; ディジタルアナログ変換）部２１３、送信ＲＦ（Radio Frequency; 無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。なお、説明の簡略化のため、送信アンテナ１１１は、複数のアンテナポート（アンテナポート０〜２２）をまとめたものとする。
【０１４９】
また、この図に示すように、物理下りリンク共用チャネル処理部２０１は、それぞれ、ターボ符号部２１９、データ変調部２２１およびプリコーディング処理部２２９を備える。また、この図に示すように、物理下りリンク制御チャネル処理部２０３は、畳み込み符号部２２３、ＱＰＳＫ変調部２２５およびプリコーディング処理部２２７を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; Quadrature Phase Shift Keying）、１６ＱＡＭ（16値直交振幅変調; 16 Quadrature Amplitude Modulation）、６４ＱＡＭ（64値直交振幅変調; 64 Quadrature Amplitude Modulation）のような変調方式で変調し、変調シンボルの信号系列を生成する。データ変調部２２１は、生成した信号系列を、プリコーディング処理部２２９に出力する。プリコーディング処理部２２９は、データ変調部２２１から入力された信号に対してプリコーディング処理（ビームフォーミング処理）を行い、多重部２０７に出力する。ここで、プリコーディング処理は、移動局装置５が効率よく受信できるように（例えば、受信電力が最大になるように、干渉が最小になるように）、生成する信号に対して位相回転などを行うことが好ましい。なお、プリコーディング処理部２２９は、データ変調部２２１から入力された信号に対してプリコーディング処理を行わない場合は、データ変調部２２１から入力された信号をそのまま多重部２０７に出力する。
【０１５０】
物理下りリンク制御チャネル処理部２０３は、制御部１０５から入力されたＤＣＩを、ＯＦＤＭ方式で伝送するためのベースバンド信号処理を行なう。畳み込み符号部２２３は、制御部１０５から入力された符号化率に基づき、ＤＣＩの誤り耐性を高めるための畳み込み符号化を行なう。ここで、ＤＣＩはビット単位で制御される。なお、第二のＰＤＣＣＨで送信されるＤＣＩの符号化率は、設定されたＥ−ＣＣＥ  ａｇｇｒｅｇａｔｉｏｎ  ｎｕｍｂｅｒと関連する。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、プリコーディング処理部２２７に出力する。プリコーディング処理部２２７は、ＱＰＳＫ変調部２２５から入力された信号に対してプリコーディング処理を行い、多重部２０７に出力する。なお、プリコーディング処理部２２７は、ＱＰＳＫ変調部２２５から入力された信号に対してプリコーディング処理を行わず、多重部２０７に出力することができる。
【０１５１】
下りリンクパイロットチャネル処理部２０５は、移動局装置５において既知の信号である下りリンク参照信号（ＣＲＳ、ＵＥ−ｓｐｅｃｉｆｉｃ  ＲＳ、ＣＳＩ−ＲＳ）を生成し、プリコーディング処理部２３１に出力する。プリコーディング処理部２３１は、下りリンクパイロットチャネル処理部２０５より入力されたＣＲＳ、ＣＳＩ−ＲＳ、一部のＵＥ−ｓｐｅｃｉｆｉｃ  ＲＳに対してはプリコーディング処理を行わず、多重部２０７に出力する。例えば、プリコーディング処理部２３１でプリコーディング処理が行われないＵＥ−ｓｐｅｃｉｆｉｃ  ＲＳは、第二の物理リソースマッピングの第二のＰＤＣＣＨ領域で第二のＰＤＣＣＨに用いられるＤＬ  ＰＲＢ  ｐａｉｒ内のＵＥ−ｓｐｅｃｉｆｉｃ  ＲＳである。プリコーディング処理部２３１は、下りリンクパイロットチャネル処理部２０５より入力された一部のＵＥ−ｓｐｅｃｉｆｉｃ  ＲＳに対してプリコーディング処理を行ない、多重部２０７に出力する。例えば、プリコーディング処理部２３１でプリコーディング処理が行われるＵＥ−ｓｐｅｃｉｆｉｃ  ＲＳは、第一の物理リソースマッピングの第二のＰＤＣＣＨ領域で第二のＰＤＣＣＨに用いられるＤＬ  ＰＲＢ  ｐａｉｒ内のＵＥ−ｓｐｅｃｉｆｉｃ  ＲＳである。プリコーディング処理部２３１は、プリコーディング処理部２２９においてＰＤＳＣＨに行われる処理、および／またはプリコーディング処理部２２７において第二のＰＤＣＣＨに行なわれる処理と同様の処理を一部のＵＥ−ｓｐｅｃｉｆｉｃ  ＲＳに対して行なう。より詳細には、プリコーディング処理部２３１は、あるＥ−ＣＣＥの信号に対してプリコーディング処理を実行し、そのＥ−ＣＣＥとアンテナポートが対応したＵＥ−ｓｐｅｃｉｆｉｃ  ＲＳに対しても同様のプリコーディング処理を実行する。そのため、移動局装置５においてプリコーディング処理が適用された第二のＰＤＣＣＨの信号を復調するに際し、ＵＥ−ｓｐｅｃｉｆｉｃ  ＲＳは、下りリンクにおける伝搬路（伝送路）の変動とプレコーディング処理部２２７による位相回転があわさった等化チャネルの推定に用いられることができる。すなわち、基地局装置３は、移動局装置５に対して、プレコーディング処理部２２７によるプレコーディング処理の情報（位相回転量）を通知する必要が無く、移動局装置５はプレコーディング処理された信号を復調することができる。
【０１５２】
なお、ＵＥ−ｓｐｅｃｉｆｉｃ  ＲＳを用いて伝搬路補償などの復調処理が行われるＰＤＳＣＨ、第二のＰＤＣＣＨにプリコーディング処理が用いられない場合などは、プリコーディング処理部２３１は、ＵＥ−ｓｐｅｃｉｆｉｃ  ＲＳに対してプリコーディング処理を行わず、多重部２０７に出力する。
【０１５３】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンクサブフレームに多重する。無線リソース制御部１０３によって設定されたＰＤＳＣＨに対するＤＬ  ＰＲＢ  ｐａｉｒの割り当て、ＰＤＣＣＨ（第一のＰＤＣＣＨ、第二のＰＤＣＣＨ）に対するリソースの割り当て、第二のＰＤＣＣＨ領域の物理リソースマッピングに関する制御信号が制御部１０５に入力され、その制御信号に基づき、制御部１０５は多重部２０７の処理を制御する。例えば、多重部２０７は、無線リソース制御部１０３によって設定されたＥ−ＣＣＥ  ａｇｇｒｅｇａｔｉｏｎ  ｎｕｍｂｅｒで第二のＰＤＣＣＨの信号を下りリンクのリソースに多重する。多重部２０７は、多重化した信号を、ＩＦＦＴ部２０９に出力する。
【０１５４】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【０１５５】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital converter; アナログディジタル変換）部３０３、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、物理上りリンク制御チャネル検出部３２９、プリアンブル検出部３３１、およびＳＲＳ処理部３３３を含んで構成される。
【０１５６】
受信ＲＦ部３０１は、受信アンテナ１０９で受信された信号を、適切に増幅し、中間周波数に変換し（ダウンコンバート）、不要な周波数成分を除去し、信号レベルが適切に維持されるように増幅レベルを制御し、受信された信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をシンボルタイミング検出部３０９およびＧＩ除去部３１１に出力する。
【０１５７】
シンボルタイミング検出部３０９は、Ａ／Ｄ部３０３より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、Ａ／Ｄ部３０３より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【０１５８】
サブキャリアデマッピング部３１５は、制御部１０５から入力された制御信号に基づき、ＦＦＴ部３１３が復調した信号を、ＤＭ  ＲＳと、ＳＲＳと、ＰＵＳＣＨの信号と、ＰＵＣＣＨの信号とに分離する。サブキャリアデマッピング部３１５は、分離したＤＭ  ＲＳを伝搬路推定部３１７に出力し、分離したＳＲＳをＳＲＳ処理部３３３に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【０１５９】
伝搬路推定部３１７は、サブキャリアデマッピング部３１５が分離したＤＭ  ＲＳと既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【０１６０】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【０１６１】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【０１６２】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、周波数領域、および／または時間領域で符号多重された信号を分離する処理を行なう。物理上りリンク制御チャネル検出部３２９は、送信側で用いられた符号系列を用いて周波数領域、および／または時間領域で符号多重されたＰＵＣＣＨの信号からＡＣＫ／ＮＡＣＫ、ＳＲ、ＣＱＩを検出するための処理を行う。具体的には、物理上りリンク制御チャネル検出部３２９は、周波数領域での符号系列を用いた検出処理、つまり周波数領域で符号多重された信号を分離する処理として、ＰＵＣＣＨのサブキャリア毎の信号に対して符号系列の各符号を乗算した後、各符号を乗算した信号を合成する。具体的には、物理上りリンク制御チャネル検出部３２９は、時間領域での符号系列を用いた検出処理、つまり時間領域での符号多重された信号を分離する処理として、ＰＵＣＣＨのＳＣ−ＦＤＭＡシンボル毎の信号に対して符号系列の各符号を乗算した後、各符号を乗算した信号を合成する。なお、物理上りリンク制御チャネル検出部３２９は、制御部１０５からの制御信号に基づき、ＰＵＣＣＨの信号に対する検出処理を設定する。
【０１６３】
ＳＲＳ処理部３３３は、サブキャリアでマッピング部３１５から入力されたＳＲＳを用いて、チャネル品質を測定し、ＵＬ  ＰＲＢ（ＵＬ  ＰＲＢ  ｐａｉｒ）のチャネル品質の測定結果を制御部１０５に出力する。ＳＲＳ処理部３３３は、どの上りリンクサブフレーム、どのＵＬ  ＰＲＢ（ＵＬ  ＰＲＢ  ｐａｉｒ）の信号に対して移動局装置５のチャネル品質の測定を行うかが制御部１０５より指示される。また、ＳＲＳ処理部３３３は、サブキャリアでマッピング部３１５から入力されたＳＲＳを用いて、上りリンクの同期ずれを検出し、上りリンクの同期ずれを示す情報（同期ずれ情報）を制御部１０５に出力する。なお、ＳＲＳ処理部３３３は、時間領域の受信信号から上りリンクの同期ずれを検出する処理を行うようにしてもよい。具体的な処理は、後述するプリアンブル検出部３３１で行われる処理と同等の処理を行うようにしてもよい。
【０１６４】
プリアンブル検出部３３１は、Ａ／Ｄ部３０３より入力された信号に基づいて、ＰＲＡＣＨに相当する受信信号に対して送信されたプリアンブルを検出（受信）する処理を行う。具体的には、プリアンブル検出部３３１は、ガードタイム内の様々なタイミングの受信信号に対して、送信される可能性のある、各プリアンブル系列を用いて生成したレプリカの信号との相関処理を行う。例えば、プリアンブル検出部３３１は、相関値が予め設定された閾値よりも高かった場合、相関処理に用いられたレプリカの信号の生成に用いられたプリアンブル系列と同一の信号が、移動局装置５より送信されたと判断する。そして、プリアンブル検出部３３１は、最も相関値の高いタイミングをプリアンブル系列の到来タイミングと判断する。そして、プリアンブル検出部３３１は、検出したプリアンブル系列を示す情報と、到来タイミングを示す情報を少なくとも含むプリアンブル検出情報を生成し、制御部１０５に出力する。
【０１６５】
制御部１０５は、基地局装置３が、移動局装置５にＰＤＣＣＨを用いて送信した制御情報（ＤＣＩ）、及びＰＤＳＣＨを用いて送信した制御情報（ＲＲＣシグナリング）に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信した（送信した可能性のある）ＰＲＡＣＨ、ＰＵＳＣＨ、ＰＵＣＣＨ、ＳＲＳがどのリソース（上りリンクサブフレーム、ＵＬ  ＰＲＢ（ＵＬ  ＰＲＢ  ｐａｉｒ）、周波数領域の符号系列、時間領域の符号系列）により構成されているかを把握している。
【０１６６】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部（第一の受信処理部）４０１、無線リソース制御部（第一の無線リソース制御部）４０３、制御部（第一の制御部）４０５、送信処理部（第一の送信処理部）４０７を含んで構成される。
【０１６７】
受信処理部４０１は、基地局装置３から信号を受信し、制御部４０５の指示に従い、受信信号を復調、復号する。受信処理部４０１は、自装置宛てのＰＤＣＣＨ（第一のＰＤＣＣＨ、第二のＰＤＣＣＨ）の信号を検出した場合は、ＰＤＣＣＨの信号を復号して取得したＤＣＩを制御部４０５に出力する。例えば、受信処理部４０１は、基地局装置３から指定された第二のＰＤＣＣＨ領域内のＳｅａｒｃｈ  Ｓｐａｃｅにおいて自装置宛ての第二のＰＤＣＣＨを検出する処理を行う。例えば、受信処理部４０１は、Ｅ−ＣＣＥ  ａｇｇｒｅｇａｔｉｏｎ  ｎｕｍｂｅｒの候補に対してＳｅａｒｃｈ  ｓｐａｃｅを設定して、自装置宛ての第二のＰＤＣＣＨを検出する処理を行う。例えば、受信処理部４０１は、基地局装置３から指定された第二のＰＤＣＣＨ領域内のＵＥ−ｓｐｅｃｉｆｉｃ  ＲＳを用いて伝搬路の推定を行い、第二のＰＤＣＣＨの信号の復調を行ない、自装置宛ての制御情報を含む信号を検出する処理を行う。例えば、受信処理部４０１は、基地局装置３から通知された、第二のＰＤＣＣＨ領域のＤＬ  ＰＲＢ  ｐａｉｒ内の各Ｅ−ＣＣＥと対応するアンテナポートとの組み合わせに応じて、第二のＰＤＣＣＨ領域のＤＬ  ＰＲＢ  ｐａｉｒ内の各Ｅ−ＣＣＥの信号の復調に用いるＵＥ−ｓｐｅｃｉｆｉｃ  ＲＳが対応する送信アンテナ（アンテナポート）を認識して、自装置宛ての制御情報を含む信号を検出する処理を行う。
【０１６８】
また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＰＤＣＣＨに含まれるＤＣＩの中で下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、第二のＰＤＣＣＨ領域のＤＬ  ＰＲＢ  ｐａｉｒを示す情報、第二のＰＤＣＣＨ領域の物理リソースマッピングを示す情報（第一の物理リソースマッピング、または第二の物理リソースマッピングを示す情報）、ＤＬ  ＰＲＢ  ｐａｉｒ内の各Ｅ−ＣＣＥと対応するアンテナポートとの組み合わせを示す情報（第一の組み合わせ、第二の組み合わせ、第三の組み合わせ、または第四の組み合わせ）を含む。
【０１６９】
また、受信処理部４０１は、ＰＤＳＣＨに含まれる巡回冗長検査（Cyclic Redundancy Check: CRC）符号を制御部４０５に出力する。基地局装置３の説明では省略したが、基地局装置３の送信処理部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われる。例えば、移動局装置５において予め決められた生成多項式を用いてデータから生成された情報と、基地局装置３において生成され、ＰＤＳＣＨで送信されたＣＲＣ符号とが同じ場合はデータが誤っていないと判断され、移動局装置５において予め決められた生成多項式を用いてデータから生成された情報と、基地局装置３において生成され、ＰＤＳＣＨで送信されたＣＲＣ符号とが異なる場合はデータが誤っていると判断される。
【０１７０】
また、受信処理部４０１は、下りリンクの受信品質（RSRP: Reference Signal Received Power; 参照信号受信電力）を測定し、測定結果を制御部４０５に出力する。受信処理部４０１は、制御部４０５からの指示に基づき、ＣＲＳ、またはＣＳＩ−ＲＳからＲＳＲＰを測定（計算）する。受信処理部４０１の詳細については後述する。
【０１７１】
制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。例えば、制御部４０５は、無線リソース制御部４０３から指示された第二のＰＤＣＣＨ領域のＤＬ  ＰＲＢ  ｐａｉｒ内の信号に対して第二のＰＤＣＣＨを検出する処理を行なうように受信処理部４０１を制御する。例えば、制御部４０５は、無線リソース制御部４０３から指示された第二のＰＤＣＣＨ領域の物理リソースマッピングを示す情報に基づき、第二のＰＤＣＣＨ領域の物理リソースのデマッピングを行なうように受信処理部４０１を制御する。ここで、第二のＰＤＣＣＨ領域の物理リソースのデマッピングとは、例えば、図２１、図２２に示すように、第二のＰＤＣＣＨ領域内の信号から検出処理を行う第二のＰＤＣＣＨ候補を構成（形成、構築、作成）する処理のことを意味する。また、制御部４０５は、第二のＰＤＣＣＨ領域内で第二のＰＤＣＣＨを検出する処理を実行する領域を受信処理部４０１に対して制御する。具体的には、制御部４０５は、それぞれの第二のＰＤＣＣＨ領域に対して、Ｓｅａｒｃｈ  ｓｐａｃｅを設定するＥ−ＣＣＥ  ａｇｇｒｅｇａｔｉｏｎ  ｎｕｍｂｅｒ、第二のＰＤＣＣＨ領域内で第二のＰＤＣＣＨを検出する処理を実行する最初のＥ−ＣＣＥの番号、第二のＰＤＣＣＨ候補の数を、それぞれのＥ−ＣＣＥ  ａｇｇｒｅｇａｔｉｏｎ  ｎｕｍｂｅｒ毎に受信処理部４０１に指示（設定）する。また、制御部４０５は、無線リソース制御部４０３から指示されたＤＬ  ＰＲＢ  ｐａｉｒ内の各Ｅ−ＣＣＥと対応するアンテナポートとの組み合わせ（ＤＬ  ＰＲＢ  ｐａｉｒ内の各Ｅ−ＣＣＥと対応するＵＥ−ｓｐｅｃｉｆｉｃ  ＲＳの送信アンテナとの対応関係）に基づき、各Ｅ−ＣＣＥの信号の復調に対応する送信アンテナ（アンテナポート）のＵＥ−ｓｐｅｃｉｆｉｃ  ＲＳを用いるように受信処理部４０１を制御する。
【０１７２】
また、制御部４０５は、ＰＤＣＣＨを用いて基地局装置３から送信され、受信処理部４０１より入力されたＤＣＩに基づいて、受信処理部４０１、送信処理部４０７を制御する。具体的には、制御部４０５は検出された下りリンクアサインメントに主に基づき受信処理部４０１を制御し、検出された上りリンクグラントに主に基づき送信処理部４０７を制御する。また、制御部４０５は下りリンクアサインメントに含まれるＰＵＣＣＨの送信電力制御コマンドを示す制御情報に基づき送信処理部４０７を制御する。制御部４０５は、受信処理部４０１より入力されたデータから予め決められた生成多項式を用いて生成した情報と、受信処理部４０１より入力されたＣＲＣ符号とを比較し、データが誤っているか否かを判断し、ＡＣＫ／ＮＡＣＫを生成する。また、制御部４０５は、無線リソース制御部４０３からの指示に基づき、ＳＲ、ＣＱＩを生成する。また、制御部４０５は、基地局装置３から通知された上りリンクの送信タイミングの調整値等に基づいて、送信処理部４０７の信号の送信タイミングを制御する。また、制御部４０５は、受信処理部４０１より入力された下りリンクの受信品質（ＲＳＲＰ）を示す情報を送信するように、送信処理部４０７を制御する。なお、基地局装置３の説明では省略したが、基地局装置３は移動局装置５より通知された下りリンクの受信品質（ＲＳＲＰ）などから、Ｅ−ＣＣＥ  ａｇｇｒｅｇａｔｉｏｎ  ｎｕｍｂｅｒの候補を移動局装置５に対して設定してもよい。例えば、基地局装置３は、下りリンクの受信品質が良い移動局装置５（セル中央付近の移動局装置）に対しては、Ｌｏｃａｌｉｚｅｄ  Ｅ−ＰＤＣＣＨのＥ−ＣＣＥ  ａｇｇｒｅｇａｔｉｏｎ  ｎｕｍｂｅｒの候補として、Ｅ−ＣＣＥ  ａｇｇｒｅｇａｔｉｏｎ  １と、Ｅ−ＣＣＥ  ａｇｇｒｅｇａｔｉｏｎ  ２と、Ｅ−ＣＣＥ  ａｇｇｒｅｇａｔｉｏｎ  ４とを設定してもよい。例えば、基地局装置３は、下りリンクの受信品質が良くない移動局装置５（セルエッジ付近の移動局装置）に対しては、Ｌｏｃａｌｉｚｅｄ  Ｅ−ＰＤＣＣＨのＥ−ＣＣＥ  ａｇｇｒｅｇａｔｉｏｎ  ｎｕｍｂｅｒの候補として、Ｅ−ＣＣＥ  ａｇｇｒｅｇａｔｉｏｎ  ２と、Ｅ−ＣＣＥ  ａｇｇｒｅｇａｔｉｏｎ  ４とを設定してもよい。
【０１７３】
無線リソース制御部４０３は、基地局装置３の無線リソース制御部１０３で生成され、基地局装置３より通知された制御情報を記憶して保持すると共に、制御部４０５を介して受信処理部４０１、送信処理部４０７の制御を行なう。つまり、無線リソース制御部４０３は、各種パラメータなどを保持するメモリの機能を備える。例えば、無線リソース制御部４０３は、第二のＰＤＣＣＨ領域のＤＬ  ＰＲＢ  ｐａｉｒに関する情報、第二のＰＤＣＣＨ領域の物理リソースマッピングに関する情報、第二のＰＤＣＣＨ領域のＤＬ  ＰＲＢ  ｐａｉｒ内の各Ｅ−ＣＣＥと対応するアンテナポートとの組み合わせ（第一の組み合わせ、第二の組み合わせ、第三の組み合わせ、または第四の組み合わせ）に関する情報を保持し、各種制御信号を制御部４０５に出力する。無線リソース制御部４０３は、ＰＵＳＣＨ、ＰＵＣＣＨ、ＳＲＳ、ＰＲＡＣＨの送信電力に関連するパラメータを保持し、基地局装置３より通知されたパラメータを用いるように制御信号を制御部４０５に出力する。
【０１７４】
無線リソース制御部４０３は、ＰＵＣＣＨ、ＰＵＳＣＨ、ＳＲＳ、ＰＲＡＣＨなどの送信電力に関連するパラメータの値を設定する。無線リソース制御部４０３において設定された送信電力の値は、制御部４０５により送信処理部４０７に対して出力される。なお、ＰＵＣＣＨと同じＵＬ  ＰＲＢ内のリソースより構成されるＤＭ  ＲＳは、ＰＵＣＣＨと同じ送信電力制御が行なわれる。なお、ＰＵＳＣＨと同じＵＬ  ＰＲＢのリソースより構成されるＤＭ  ＲＳは、ＰＵＳＣＨと同じ送信電力制御が行なわれる。無線リソース制御部４０３は、ＰＵＳＣＨに対して、ＰＵＳＣＨに割り当てられるＵＬ  ＰＲＢ  ｐａｉｒの数に基づくパラメータ、予め基地局装置３より通知されたセル固有、および移動局装置固有のパラメータ、ＰＵＳＣＨに用いられる変調方式に基づくパラメータ、推定されたパスロスの値に基づくパラメータ、基地局装置３より通知された送信電力制御コマンドに基づくパラメータなどの値を設定する。無線リソース制御部４０３は、ＰＵＣＣＨに対して、ＰＵＣＣＨの信号構成に基づくパラメータ、予め基地局装置３より通知されたセル固有、および移動局装置固有のパラメータ、推定されたパスロスの値に基づくパラメータ、通知された送信電力制御コマンドに基づくパラメータなどの値を設定する。
【０１７５】
なお、送信電力に関連するパラメータとして、セル固有、および移動局装置固有のパラメータはＰＤＳＣＨを用いて基地局装置３より通知され、送信電力制御コマンドはＰＤＣＣＨを用いて基地局装置３より通知される。ＰＵＳＣＨに対する送信電力制御コマンドは上りリンクグラントに含まれ、ＰＵＣＣＨに対する送信電力制御コマンドは下りリンクアサインメントに含まれる。なお、基地局装置３より通知された、送信電力に関連する各種パラメータは無線リソース制御部４０３において適宜記憶され、記憶された値が制御部４０５に入力される。
【０１７６】
送信処理部４０７は、制御部４０５の指示に従い、情報データ、ＵＣＩを符号化および変調した信号をＰＵＳＣＨ、ＰＵＣＣＨのリソースを用いて、基地局装置３に送信アンテナ４１１を介して送信する。また、送信処理部４０７は、制御部４０５の指示に従い、ＰＵＳＣＨ、ＰＵＣＣＨ、ＳＲＳ、ＤＭ  ＲＳ、ＰＲＡＣＨの送信電力を設定する。送信処理部４０７の詳細については後述する。
【０１７７】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、物理下りリンク制御チャネル復号部５２１、下りリンク受信品質測定部５３１、およびＰＤＣＣＨデマッピング部５３３を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。
【０１７８】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１７９】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１８０】
多重分離部５１１は、制御部４０５から入力された制御信号に基づき、ＦＦＴ部５０９が復調した信号を、ＰＤＣＣＨ（第一のＰＤＣＣＨ、第二のＰＤＣＣＨ）の信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。例えば、多重分離部５１１は、自装置に指定された第二のＰＤＣＣＨ領域の第二のＰＤＣＣＨの信号をＰＤＣＣＨ用の伝搬路補償部５１９に出力する。また、多重分離部５１１は、下りリンク参照信号が配置される下りリンクリソースエレメントを分離し、下りリンク参照信号（ＣＲＳ、ＵＥ−ｓｐｅｃｉｆｉｃ  ＲＳ）を、伝搬路推定部５１３に出力する。例えば、多重分離部５１１は、自装置に指定された第二のＰＤＣＣＨ領域のＵＥ−ｓｐｅｃｉｆｉｃ  ＲＳを伝搬路推定部５１３に出力する。また、多重分離部５１１は、下りリンク参照信号（ＣＲＳ、ＣＳＩ‐ＲＳ）を下りリンク受信品質測定部５３１に出力する。
【０１８１】
伝搬路推定部５１３は、多重分離部５１１が分離した下りリンク参照信号と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。伝搬路推定部５１３は、ＣＲＳとＵＥ−ｓｐｅｃｉｆｉｃ  ＲＳをそれぞれ用いて独立に伝搬路の変動を推定し、伝搬路補償値を出力する。例えば、伝搬路推定部５１３は、自装置に指定された第二のＰＤＣＣＨ領域内の複数のＤＬ  ＰＲＢ  ｐａｉｒに配置されたＵＥ−ｓｐｅｃｉｆｉｃ  ＲＳを用いて推定した伝搬路推定値から伝搬路補償値を生成し、ＰＤＣＣＨ用の伝搬路補償部５１９に出力する。なお、伝搬路推定部５１３は、制御部４０５から指定された送信アンテナ（アンテナポート）毎のＵＥ−ｓｐｅｃｉｆｉｃ  ＲＳを用いて、伝搬路推定および伝搬路補償値の生成を行う。例えば、伝搬路推定部５１３は、自装置に割り当てられ、ＰＤＳＣＨに割り当てられた複数のＤＬ  ＰＲＢ  ｐａｉｒに配置されたＵＥ−ｓｐｅｃｉｆｉｃ  ＲＳを用いて推定した伝搬路推定値から伝搬路補償値を生成し、ＰＤＳＣＨ用の伝搬路補償部５１５に出力する。例えば、伝搬路推定部５１３は、ＣＲＳを用いて推定した伝搬路推定値から伝搬路補償値を生成し、ＰＤＣＣＨ用の伝搬路補償部５１９に出力する。例えば、伝搬路推定部５１３は、ＣＲＳを用いて推定した伝搬路推定値から伝搬路補償値を生成し、ＰＤＳＣＨ用の伝搬路補償部５１５に出力する。
【０１８２】
ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。例えば、ＰＤＳＣＨ用の伝搬路補償部５１５は、あるＰＤＳＣＨの信号に対して伝搬路推定部５１３でＵＥ−ｓｐｅｃｉｆｉｃ  ＲＳに基づいて生成された伝搬路補償値に従って調整し、異なるＰＤＳＣＨの信号に対して伝搬路推定部５１３でＣＲＳに基づいて生成された伝搬路補償値に従って調整する。ＰＤＳＣＨ用の伝搬路補償部５１５は、伝搬路を調整した信号を物理下りリンク共用チャネル復号部５１７のデータ復調部５２３に出力する。
【０１８３】
物理下りリンク共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【０１８４】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。例えば、ＰＤＣＣＨ用の伝搬路補償部５１９は、第二のＰＤＣＣＨの信号に対して伝搬路推定部５１３でＵＥ−ｓｐｅｃｉｆｉｃ  ＲＳに基づいて生成された伝搬路補償値に従って調整し、第一のＰＤＣＣＨの信号に対して伝搬路推定部５１３でＣＲＳに基づいて生成された伝搬路補償値に従って調整する。例えば、ＰＤＣＣＨ用の伝搬路補償部５１９は、第二のＰＤＣＣＨ領域のＤＬ  ＰＲＢ  ｐａｉｒ内の各Ｅ−ＣＣＥの信号を、制御部４０５から指定され、各Ｅ−ＣＣＥと対応する送信アンテナ（アンテナポート）のＵＥ−ｓｐｅｃｉｆｉｃ  ＲＳに基づいて生成された伝搬路補償値に従って調整する。ＰＤＣＣＨ用の伝搬路補償部５１９は、調整した信号をＰＤＣＣＨデマッピング部５３３に出力する。
【０１８５】
ＰＤＣＣＨデマッピング部５３３は、ＰＤＣＣＨ用の伝搬路補償部５１９より入力された信号に対して、第一のＰＤＣＣＨ用のデマッピング、または第二のＰＤＣＣＨ用のデマッピングを行う。更に、ＰＤＣＣＨデマッピング部５３３は、ＰＤＣＣＨ用の伝搬路補償部５１９より入力された第二のＰＤＣＣＨの信号に対して、第一の物理リソースマッピングに対するデマッピング、または第二の物理リソースマッピングに対するデマッピングを行う。ＰＤＣＣＨデマッピング部５３３は、入力された第一のＰＤＣＣＨの信号に対して、物理下りリンク制御チャネル復号部５２１において、図１５に示すＣＣＥ単位で処理が行われるように、図１６を用いて説明したように、入力された第一のＰＤＣＣＨの信号をＣＣＥ単位の信号に変換する。ＰＤＣＣＨデマッピング部５３３は、入力された第二のＰＤＣＣＨの信号に対して、物理下りリンク制御チャネル復号部５２１において、図１８に示すＥ−ＣＣＥ単位で処理が行われるように、入力された第二のＰＤＣＣＨの信号をＥ−ＣＣＥ単位の信号に変換する。ＰＤＣＣＨデマッピング部５３３は、入力された、第一の物理リソースマッピングが適用される第二のＰＤＣＣＨ領域の第二のＰＤＣＣＨの信号を、図２１を用いて説明したように、Ｅ−ＣＣＥ単位の信号に変換する。ＰＤＣＣＨデマッピング部５３３は、入力された、第二の物理リソースマッピングが適用される第二のＰＤＣＣＨ領域の第二のＰＤＣＣＨの信号を、図２２を用いて説明したように、Ｅ−ＣＣＥ単位の信号に変換する。ＰＤＣＣＨデマッピング部５３３は、変換した信号を物理下りリンク制御チャネル復号部５２１のＱＰＳＫ復調部５２７に出力する。
【０１８６】
物理下りリンク制御チャネル復号部５２１は、以下のように、ＰＤＣＣＨ用の伝搬路補償部５１９から入力された信号を復調、復号し、制御データを検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。
【０１８７】
先ず、第一のＰＤＣＣＨに対する検出処理について説明する。移動局装置５は、複数のＣＣＥ  ａｇｇｒｅｇａｔｉｏｎ  ｎｕｍｂｅｒを想定して、自装置宛てのＤＣＩを検出する処理を行なう。移動局装置５は、想定するＣＣＥ  ａｇｇｒｅｇａｔｉｏｎ  ｎｕｍｂｅｒ（符号化率）毎に異なる復号処理を第一のＰＤＣＣＨの信号に対して行ない、ＤＣＩと一緒に第一のＰＤＣＣＨに付加されるＣＲＣ符号に誤りが検出されなかった第一のＰＤＣＣＨに含まれるＤＣＩを取得する。このような処理をブラインドデコーディングと称す。なお、移動局装置５は、下りリンクシステム帯域の全てのＣＣＥ（ＲＥＧ）の信号（受信信号）に対して第一のＰＤＣＣＨを想定したブラインドデコーディングを行なうのではなく、一部のＣＣＥに対してのみブラインドデコーディングを行なう。ブラインドデコーディングが行なわれる一部のＣＣＥ（ＣＣＥｓ）をＳｅａｒｃｈ  ｓｐａｃｅ（第一のＰＤＣＣＨ用のＳｅａｒｃｈ  ｓｐａｃｅ）と呼称する。また、ＣＣＥ  ａｇｇｒｅｇａｔｉｏｎ  ｎｕｍｂｅｒ毎に異なるＳｅａｒｃｈ  ｓｐａｃｅ（第一のＰＤＣＣＨ用のＳｅａｒｃｈ  ｓｐａｃｅ）が定義される。本発明の実施形態の通信システム１では、第一のＰＤＣＣＨに対して、それぞれ異なるＳｅａｒｃｈ  ｓｐａｃｅ（第一のＰＤＣＣＨ用のＳｅａｒｃｈ  ｓｐａｃｅ）が移動局装置５において設定される。ここで、各移動局装置５の第一のＰＤＣＣＨに対するＳｅａｒｃｈ  ｓｐａｃｅ（第一のＰＤＣＣＨ用のＳｅａｒｃｈ  ｓｐａｃｅ）は、全く異なるＣＣＥ（ＣＣＥｓ）により構成されてもよいし、全く同じＣＣＥ（ＣＣＥｓ）により構成されてもよいし、一部が重複するＣＣＥ（ＣＣＥｓ）により構成されてもよい。
【０１８８】
次に、第二のＰＤＣＣＨに対する検出処理について説明する。移動局装置５は、複数のＥ−ＣＣＥ  ａｇｇｒｅｇａｔｉｏｎ  ｎｕｍｂｅｒを想定して、自装置宛てのＤＣＩを検出する処理を行なう。移動局装置５は、想定するＥ−ＣＣＥ  ａｇｇｒｅｇａｔｉｏｎ  ｎｕｍｂｅｒ（符号化率）毎に異なる復号処理を第二のＰＤＣＣＨの信号に対して行ない、ＤＣＩと一緒に第二のＰＤＣＣＨに付加されるＣＲＣ符号に誤りが検出されなかった第二のＰＤＣＣＨに含まれるＤＣＩを取得する。このような処理をブラインドデコーディングと称す。なお、移動局装置５は、基地局装置３から構成された第二のＰＤＣＣＨ領域の全てのＥ−ＣＣＥの信号（受信信号）に対して第二のＰＤＣＣＨを想定したブラインドデコーディングを行なうのではなく、一部のＥ−ＣＣＥに対してのみブラインドデコーディングを行なってもよい。ブラインドデコーディングが行なわれる一部のＥ−ＣＣＥ（Ｅ−ＣＣＥｓ）をＳｅａｒｃｈ  ｓｐａｃｅ（第二のＰＤＣＣＨ用のＳｅａｒｃｈ  ｓｐａｃｅ）と呼称する。また、Ｅ−ＣＣＥ  ａｇｇｒｅｇａｔｉｏｎ  ｎｕｍｂｅｒ毎に異なるＳｅａｒｃｈ  ｓｐａｃｅ（第二のＰＤＣＣＨ用のＳｅａｒｃｈ  ｓｐａｃｅ）が定義される。複数の第二のＰＤＣＣＨ領域が構成された移動局装置５は、それぞれの構成された第二のＰＤＣＣＨ領域にＳｅａｒｃｈ  ｓｐａｃｅが設定（構成、定義）される。移動局装置５は、第一の物理リソースマッピングが適用される第二のＰＤＣＣＨ領域と、第二の物理リソースマッピングが適用される第二のＰＤＣＣＨ領域とのそれぞれに対して、Ｓｅａｒｃｈ  ｓｐａｃｅが設定される。複数の第二のＰＤＣＣＨ領域が構成された移動局装置５は、ある下りリンクサブフレームにおいて同時に複数のＳｅａｒｃｈ  ｓｐａｃｅが設定される。
【０１８９】
本発明の実施形態の通信システム１では、第二のＰＤＣＣＨに対して、それぞれ異なるＳｅａｒｃｈ  ｓｐａｃｅ（第二のＰＤＣＣＨ用のＳｅａｒｃｈ  ｓｐａｃｅ）が移動局装置５において設定される。ここで、同じ第二のＰＤＣＣＨ領域が構成された各移動局装置５の第二のＰＤＣＣＨに対するＳｅａｒｃｈ  ｓｐａｃｅ（第二のＰＤＣＣＨ用のＳｅａｒｃｈ  ｓｐａｃｅ）は、全く異なるＥ−ＣＣＥ（Ｅ−ＣＣＥｓ）により構成されてもよいし、全く同じＥ−ＣＣＥ（Ｅ−ＣＣＥｓ）により構成されてもよいし、一部が重複するＥ−ＣＣＥ（Ｅ−ＣＣＥｓ）により構成されてもよい。
【０１９０】
複数の第二のＰＤＣＣＨ領域が構成された移動局装置５は、各第二のＰＤＣＣＨ領域においてＳｅａｒｃｈ  ｓｐａｃｅ（第二のＰＤＣＣＨ用のＳｅａｒｃｈ  ｓｐａｃｅ）が設定される。Ｓｅａｒｃｈ  ｓｐａｃｅ（第二のＰＤＣＣＨ用のＳｅａｒｃｈ  ｓｐａｃｅ）とは、移動局装置５が第二のＰＤＣＣＨ領域内で第二のＰＤＣＣＨの復号検出を行なう論理的な領域を意味する。Ｓｅａｒｃｈ  ｓｐａｃｅ（第二のＰＤＣＣＨ用のＳｅａｒｃｈ  ｓｐａｃｅ）は、複数の第二のＰＤＣＣＨ候補から構成される。第二のＰＤＣＣＨ候補とは、移動局装置５が第二のＰＤＣＣＨの復号検出を行う対象である。Ｅ−ＣＣＥ  ａｇｇｒｅｇａｔｉｏｎ  ｎｕｍｂｅｒ毎に、異なる第二のＰＤＣＣＨ候補は異なるＥ−ＣＣＥ（１つのＥ−ＣＣＥ、複数のＥ−ＣＣＥｓを含む）から構成される。第一の物理リソースマッピングが適用される第二のＰＤＣＣＨ領域のＳｅａｒｃｈ  ｓｐａｃｅ（第二のＰＤＣＣＨ用のＳｅａｒｃｈ  ｓｐａｃｅ）の複数の第二のＰＤＣＣＨ候補を構成するＥ−ＣＣＥは、領域の連続する複数のＥ−ＣＣＥから構成される。第二のＰＤＣＣＨ領域内でＳｅａｒｃｈ  ｓｐａｃｅ（第二のＰＤＣＣＨ用のＳｅａｒｃｈ  ｓｐａｃｅ）に用いられる最初のＥ−ＣＣＥ番号が移動局装置５毎に設定される。第二の物理リソースマッピングが適用される第二のＰＤＣＣＨ領域のＳｅａｒｃｈ  ｓｐａｃｅ（第二のＰＤＣＣＨ用のＳｅａｒｃｈ  ｓｐａｃｅ）の複数の第二のＰＤＣＣＨ候補を構成するＥ−ＣＣＥは、非連続な複数の領域から構成される。第二のＰＤＣＣＨ領域内でＳｅａｒｃｈ  ｓｐａｃｅ（第二のＰＤＣＣＨ用のＳｅａｒｃｈ  ｓｐａｃｅ）に用いられる最初のＥ−ＣＣＥ番号が移動局装置５毎に、第二のＰＤＣＣＨ領域毎に設定される。例えば、移動局装置５に割り当てられた識別子（移動局識別子）を用いたランダム関数により、Ｓｅａｒｃｈ  ｓｐａｃｅ（第二のＰＤＣＣＨ用のＳｅａｒｃｈ  ｓｐａｃｅ）に用いられる最初のＥ−ＣＣＥ番号が設定される。例えば、基地局装置３がＲＲＣシグナリングを用いて、Ｓｅａｒｃｈ  ｓｐａｃｅ（第二のＰＤＣＣＨ用のＳｅａｒｃｈ  ｓｐａｃｅ）に用いられる最初のＥ−ＣＣＥ番号を移動局装置５に通知する。
【０１９１】
複数の第二のＰＤＣＣＨ領域のそれぞれのＳｅａｒｃｈ  ｓｐａｃｅ（第二のＰＤＣＣＨ用のＳｅａｒｃｈ  ｓｐａｃｅ）では、第二のＰＤＣＣＨの候補の数が異なってもよい。第一の物理リソースマッピングが適用される第二のＰＤＣＣＨ領域のＳｅａｒｃｈ  ｓｐａｃｅ（第二のＰＤＣＣＨ用のＳｅａｒｃｈ  ｓｐａｃｅ）の第二のＰＤＣＣＨ候補の数を、第二の物理リソースマッピングが適用される第二のＰＤＣＣＨ領域のＳｅａｒｃｈ  ｓｐａｃｅ（第二のＰＤＣＣＨ用のＳｅａｒｃｈ  ｓｐａｃｅ）の第二のＰＤＣＣＨ候補の数より多くしてもよい。
【０１９２】
また、あるＥ−ＣＣＥ集合数では、第一の物理リソースマッピングが適用される第二のＰＤＣＣＨ領域のＳｅａｒｃｈ  ｓｐａｃｅ（第二のＰＤＣＣＨ用のＳｅａｒｃｈ  ｓｐａｃｅ）の第二のＰＤＣＣＨ候補の数と、第二の物理リソースマッピングが適用される第二のＰＤＣＣＨ領域のＳｅａｒｃｈ  ｓｐａｃｅ（第二のＰＤＣＣＨ用のＳｅａｒｃｈ  ｓｐａｃｅ）の第二のＰＤＣＣＨ候補の数とが同じで、異なるＥ−ＣＣＥ集合数では、第一の物理リソースマッピングが適用される第二のＰＤＣＣＨ領域のＳｅａｒｃｈ  ｓｐａｃｅ（第二のＰＤＣＣＨ用のＳｅａｒｃｈ  ｓｐａｃｅ）の第二のＰＤＣＣＨ候補の数と、第二の物理リソースマッピングが適用される第二のＰＤＣＣＨ領域のＳｅａｒｃｈ  ｓｐａｃｅ（第二のＰＤＣＣＨ用のＳｅａｒｃｈ  ｓｐａｃｅ）の第二のＰＤＣＣＨ候補の数とが、異なってもよい。
【０１９３】
また、あるＥ−ＣＣＥ集合数の第二のＰＤＣＣＨ候補が、一方の第二のＰＤＣＣＨ領域のＳｅａｒｃｈ  ｓｐａｃｅ（第二のＰＤＣＣＨ用のＳｅａｒｃｈ  ｓｐａｃｅ）には設定され、異なる一方の第二のＰＤＣＣＨ領域のＳｅａｒｃｈ  ｓｐａｃｅ（第二のＰＤＣＣＨ用のＳｅａｒｃｈ  ｓｐａｃｅ）には設定されなくてもよい。
【０１９４】
また、移動局装置５に構成される第二のＰＤＣＣＨ領域の数に応じて、１つの第二のＰＤＣＣＨ領域内のＳｅａｒｃｈ  ｓｐａｃｅ（第二のＰＤＣＣＨ用のＳｅａｒｃｈ  ｓｐａｃｅ）の第二のＰＤＣＣＨ候補数を変動させてもよい。例えば、移動局装置５に構成される第二のＰＤＣＣＨ領域の数が増えるにつれ、１つの第二のＰＤＣＣＨ領域内のＳｅａｒｃｈ  ｓｐａｃｅ（第二のＰＤＣＣＨ用のＳｅａｒｃｈ  ｓｐａｃｅ）の第二のＰＤＣＣＨ候補数を少なくする。
【０１９５】
移動局装置５は、Ｅ−ＣＣＥ  ａｇｇｒｅｇａｔｉｏｎ  ｎｕｍｂｅｒの候補に対応したＳｅａｒｃｈ  ｓｐａｃｅを、第一の物理リソースマッピングが適用される第二のＰＤＣＣＨ領域に設定する。なお、移動局装置５は、基地局装置３から通知された、ＤＬ  ＰＲＢ  ｐａｉｒ内の各Ｅ−ＣＣＥと対応するアンテナポートとの組み合わせ（第二のＰＤＣＣＨ領域のＤＬ  ＰＲＢ  ｐａｉｒ内の各Ｅ−ＣＣＥとそれぞれのＥ−ＣＣＥが対応するアンテナポート（送信アンテナ）との対応関係）に応じて、第二のＰＤＣＣＨ領域のＤＬ  ＰＲＢ  ｐａｉｒ内の各Ｅ−ＣＣＥの信号の送信に用いられる送信アンテナ（アンテナポート）を認識する。
【０１９６】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩが下りリンクアサインメントである場合、受信処理部４０１にＰＤＳＣＨの信号を復号するように制御する。なお、ＰＤＣＣＨにおいてもＰＤＳＣＨと同様にＣＲＣ符号が含まれており、制御部４０５はＣＲＣ符号を用いてＰＤＣＣＨのＤＣＩが誤っているか否かを判断する。
【０１９７】
下りリンク受信品質測定部５３１は、下りリンク参照信号（ＣＲＳ、ＣＳＩ‐ＲＳ）を用いてセルの下りリンクの受信品質（ＲＳＲＰ）を測定し、測定した下りリンクの受信品質情報を制御部４０５に出力する。また、下りリンク受信品質測定部５３１は、移動局装置５において基地局装置３に通知するＣＱＩの生成のための、瞬時的なチャネル品質の測定も行う。下りリンク受信品質測定部５３１は、測定したＲＳＲＰ等の情報を制御部４０５に出力する。
【０１９８】
＜移動局装置５の送信処理部４０７＞
図６は、本発明の実施形態に係る移動局装置５の送信処理部４０７の構成を示す概略ブロック図である。この図に示すように、送信処理部４０７は、ターボ符号部６１１、データ変調部６１３、ＤＦＴ部６１５、上りリンクパイロットチャネル処理部６１７、物理上りリンク制御チャネル処理部６１９、サブキャリアマッピング部６２１、ＩＦＦＴ部６２３、ＧＩ挿入部６２５、送信電力調整部６２７、ランダムアクセスチャネル処理部６２９、Ｄ／Ａ部６０５、送信ＲＦ部６０７、および、送信アンテナ４１１を含んで構成される。送信処理部４０７は、情報データ、ＵＣＩに対して符号化、変調を行ない、ＰＵＳＣＨ、ＰＵＣＣＨを用いて送信する信号を生成し、ＰＵＳＣＨ、ＰＵＣＣＨの送信電力を調整する。送信処理部４０７は、ＰＲＡＣＨを用いて送信する信号を生成し、ＰＲＡＣＨの送信電力を調整する。送信処理部４０７は、ＤＭ  ＲＳ、ＳＲＳを生成し、ＤＭ  ＲＳ、ＳＲＳの送信電力を調整する。
【０１９９】
ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【０２００】
物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ベースバンド信号処理を行ない、生成した信号をサブキャリアマッピング部６２１に出力する。物理上りリンク制御チャネル処理部６１９は、ＵＣＩの情報ビットを符号化して信号を生成する。
【０２０１】
また、物理上りリンク制御チャネル処理部６１９は、ＵＣＩから生成される信号に対して周波数領域の符号多重および／または時間領域の符号多重に関連する信号処理を行なう。物理上りリンク制御チャネル処理部６１９は、ＡＣＫ／ＮＡＣＫの情報ビット、またはＳＲの情報ビット、またはＣＱＩの情報ビットから生成されるＰＵＣＣＨの信号に対して周波数領域の符号多重を実現するために制御部４０５から指示された符号系列を乗算する。物理上りリンク制御チャネル処理部６１９は、ＡＣＫ／ＮＡＣＫの情報ビット、またはＳＲの情報ビットから生成されるＰＵＣＣＨの信号に対して時間領域の符号多重を実現するために制御部４０５から指示された符号系列を乗算する。
【０２０２】
上りリンクパイロットチャネル処理部６１７は、基地局装置３において既知の信号であるＳＲＳ、ＤＭ  ＲＳを制御部４０５からの指示に基づき生成し、サブキャリアマッピング部６２１に出力する。
【０２０３】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０２０４】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。ＧＩ挿入部６２５は、ＩＦＦＴ部６２３から入力された信号に、ガードインターバルを付加し、送信電力調整部６２７に出力する。
【０２０５】
ランダムアクセスチャネル処理部６２９は、制御部４０５から指示されたプリアンブル系列を用いて、ＰＲＡＣＨで送信する信号を生成し、生成した信号を送信電力調整部６２７に出力する。
【０２０６】
送信電力調整部６２７は、ＧＩ挿入部６２５から入力された信号、またはランダムアクセスチャネル処理部６２９から入力された信号に対して、制御部４０５からの制御信号に基づき送信電力を調整してＤ／Ａ部６０５に出力する。なお、送信電力調整部６２７では、ＰＵＳＣＨ、ＰＵＣＣＨ、ＤＭ  ＲＳ、ＳＲＳ、ＰＲＡＣＨの平均送信電力が上りリンクサブフレーム毎に制御される。
【０２０７】
Ｄ／Ａ部６０５は、送信電力調整部６２７から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。
【０２０８】
図７は、本発明の実施形態に係る移動局装置５の第二のＰＤＣＣＨ領域のＤＬ  ＰＲＢ  ｐａｉｒ内の各Ｅ−ＣＣＥの復調に用いるＵＥ−ｓｐｅｃｉｆｉｃ  ＲＳの設定に関わる処理の一例を示すフローチャートである。ここでは、第一の物理リソースマッピングが適用される第二のＰＤＣＣＨ領域における処理の一例について説明する。
【０２０９】
移動局装置５は、基地局装置３から、ＲＲＣシグナリングを用いて、ＤＬ  ＰＲＢ  ｐａｉｒ内の各Ｅ−ＣＣＥと対応するアンテナポートとの組み合わせを示す情報を受信する（ステップＳ１０１）。次に、移動局装置５は、基地局装置３から受信した情報に基づき、ＤＬ  ＰＲＢ  ｐａｉｒ内の各Ｅ−ＣＣＥの信号をそれぞれ対応するアンテナポートのＵＥ−ｓｐｅｃｉｆｉｃ  ＲＳを用いて復調するように設定する（ステップＳ１０２）。
【０２１０】
図８は、本発明の実施形態に係る基地局装置３の第二のＰＤＣＣＨ領域ＤＬ  ＰＲＢ  ｐａｉｒ内の各Ｅ−ＣＣＥの送信に用いる送信アンテナ（アンテナポート）の設定に関わる処理の一例を示すフローチャートである。ここでは、第一の物理リソースマッピングが適用される第二のＰＤＣＣＨ領域における処理の一例について説明する。
【０２１１】
基地局装置３は、セル内の移動局装置５の配置状況等に基づき（ＭＵ−ＭＩＭＯの適用の判断結果に基づき）、ある移動局装置５に対して、ＤＬ  ＰＲＢ  ｐａｉｒ内の各Ｅ−ＣＣＥと対応するアンテナポートとの組み合わせを設定する（ステップＴ１０１）。次に、基地局装置３は、ＤＬ  ＰＲＢ  ｐａｉｒ内の各Ｅ−ＣＣＥの信号をそれぞれ対応するアンテナポートを用いて送信するように設定する（ステップＴ１０２）。
【０２１２】
また、別の観点から本実施形態を説明すると、基地局装置は、システム帯域幅内において周波数方向にＬ個（Ｌは２以上の整数）並んだリソースブロックペアを用いて、端末装置宛のデータを運ぶＰＤＳＣＨ（物理共用チャネルあるいは共用チャネル）と、端末装置宛の制御情報を運ぶＥ−ＰＤＣＣＨ（物理制御チャネル、あるいは制御チャネル）とを周波数多重された信号を送信する送信部（送信ＲＦ部）と、１つのＥ−ＰＤＣＣＨを構成するＭ個（ＭはＥ−ＣＣＥ  ａｇｇｒｅｇａｔｉｏｎ  ｎｕｍｂｅｒで意味し、Ｍは自然数である）のＥ−ＣＣＥ（第１の要素、制御情報要素）の各々を、前記Ｌ個のリソースブロックの各々をＮ個（Ｎは自然数）に分割したＬ×Ｎ個の領域（第２の要素）のいずれかＫ個（Ｋは自然数）におけるリソースエレメントにマッピングするマッピング部（多重部）と、前記ＮまたはＫを指定する情報、および／または前記Ｍが取り得る範囲を指定する情報を前記端末装置に通知する通知部（無線リソース制御部）と、を備える。
【０２１３】
一方、端末装置は、システム帯域幅内において周波数方向にＬ個（Ｌは２以上の整数）並んだリソースブロックペアを用いて、この端末装置宛のデータを運ぶ物理共用チャネルと、この端末装置宛の制御情報を運ぶ物理制御チャネルとを周波数多重された信号を受信する受信部（受信ＲＦ部）と、Ｌ個のリソースブロックの各々をＮ個（Ｎは自然数）に分割したＬ×Ｎ個の領域のいずれかＫ個（Ｋは自然数）におけるリソースエレメントにマッピングされた制御情報要素をＭ個（Ｍは自然数）組み合わせて１つの前記物理制御チャネルを構成するモニタリング部（ＰＤＣＣＨデマッピング部および物理下りリンク制御チャネル復号部）と、前記ＮまたはＫを指定する情報、および／または前記Ｍが取り得る範囲を指定する情報を前記基地局装置から取得する取得部（無線リソース制御部）と、を備える。
【０２１４】
ここで、例えば、図２１（あるいは図２２）と図２３ではともにＮ＝４である一方、図２１（あるいは図２２）では、Ｋ＝２であり、図２３ではＫ＝１である。このように、Ｎを固定してＫを切り替えた場合、基地局装置は端末装置にＫを通知し、端末装置はＫを取得する。これにより、１つのＥ−ＣＣＥに含まれるリソースエレメント数を制御することができる。あるいは、Ｋを固定してＮを切り替えることもできる。例えば、Ｎ＝１に固定し、Ｋ＝２とＫ＝１とを切り替える。Ｎ＝２かつＫ＝１は、リソースエレメントを２分割して、それぞれの領域に１つずつＥ−ＣＣＥがマッピングされるため、実質的に図２１で示される割り当てと同様になる。Ｎ＝１かつＫ＝１は図２３で示される。このように、Ｋを固定してＮを切り替えた場合、基地局装置は端末装置にＮを通知し、端末装置はＮを取得する。これにより、１つのＥ−ＣＣＥに含まれるリソースエレメント数を制御することができる。なお、図２１から図２３は、リソースブロックペアを周波数軸上で分割する場合について示しているが、これに限るものではない。例えば、周波数軸上でｉ分割し、時間軸上でｊ分割した場合は、リソースブロックペアを周波数および時間軸上でｉ×ｊ分割することになる（ｉ、ｊは自然数）。
【０２１５】
あるいは、ＮとＫとを固定し、Ｍが取り得る範囲を切り替え、基地局装置は端末装置にＭを通知し、端末装置はＭを取得することもできる。例えば，Ｎ＝１かつＫ＝１とし、Ｍが取り得る範囲（Ｍが取り得る値の集合）として、第１の範囲である｛１，２，４，８｝と第２の範囲である｛２，４，８，１６｝とを切り替える。端末は，通知されたＥ−ＣＣＥ  ａｇｇｒｅｇａｔｉｏｎ  ｎｕｍｂｅｒの候補に対して、ブラインドデコーディング（Ｅ−ＰＤＣＣＨの構成および復号の試行）を行う。これにより、１つのＥ−ＰＤＣＣＨに含まれるリソースエレメント数を制御することができる。ここで、第２の範囲は、第１の範囲に含まれるいずれの値よりも大きい値（ここでは１６）を含むことが好ましい。これにより、Ｅ−ＰＤＣＣＨに含まれる最大リソースエレメント数を切り替えることができる。また、第１の範囲と第２の範囲は、同数の値（ここでは４個）から構成されることが好ましい。これにより、第１の範囲と第２の範囲とで候補数が同じとなるため、ブラインドデコーディング数（Ｅ−ＰＤＣＣＨの構成および復号の試行数）が一定となる。
【０２１６】
以上のように、本発明の実施形態では、通信システム１において、制御チャネル（第二のＰＤＣＣＨ）が配置される可能性のある領域である制御チャネル領域（第二のＰＤＣＣＨ領域）（第一の物理リソースマッピングが適用される第二のＰＤＣＣＨ領域）として複数の物理リソースブロックペア（ＰＲＢ  ｐａｉｒ）が構成され、１つの物理リソースブロックペア（ＰＲＢ  ｐａｉｒ）を分割したリソースから第一の要素（Ｅ−ＣＣＥ）が構成され、制御チャネル（第二のＰＤＣＣＨ）（Ｌｏｃａｌｉｚｅｄ  Ｅ−ＰＤＣＣＨ）は１個以上の第一の要素（Ｅ−ＣＣＥ）の集合（Ｅ−ＣＣＥ  ａｇｇｅｇａｔｉｏｎ）から構成され、複数の移動局装置５および複数の移動局装置５と制御チャネル（第二のＰＤＣＣＨ）を用いて通信を行う基地局装置３から構成され、基地局装置３は、物理リソースブロックペア（ＰＲＢ  ｐａｉｒ）内の複数の第一の要素（Ｅ−ＣＣＥ）と、それぞれの第一の要素（Ｅ−ＣＣＥ）の信号の送信に用いる複数のアンテナポートとの対応に関して、複数の組み合わせの中から何れか１つの組み合わせを移動局装置５に対して設定し、移動局装置５は、基地局装置３より設定された組み合わせに基づき、物理リソースブロックペア（ＰＲＢ  ｐａｉｒ）内のそれぞれの第一の要素（Ｅ−ＣＣＥ）の信号の復調に用いる参照信号（ＵＥ−ｓｐｅｃｉｆｉｃ  ＲＳ）が対応するアンテナポートを設定する。これにより、基地局装置３は、ＭＵ−ＭＩＭＯを適用して第二のＰＤＣＣＨの空間多重により全体の制御チャネルのキャパシティを向上させることと、ＭＵ−ＭＩＭＯを適用せずにビームフォーミングを適用して第二のＰＤＣＣＨの特性改善を図ることにより全体の制御チャネルのキャパシティを向上させることを効率的に制御できる。
【０２１７】
なお、本発明の実施形態では、説明の簡略化のため、第二のＰＤＣＣＨが配置される可能性があるリソースの領域を第二のＰＤＣＣＨ領域と定義したが、異なる文言で定義されても、類似した意味を持つのであれば、本発明を適用できることは明らかである。
【０２１８】
また、移動局装置５とは、移動する端末に限らず、固定端末に移動局装置５の機能を実装することなどにより本発明を実現しても良い。
【０２１９】
以上説明した本発明の特徴的な手段は、集積回路に機能を実装し、制御することによっても実現することができる。すなわち、本発明の集積回路は、制御チャネルが配置される可能性のある領域である制御チャネル領域として複数の物理リソースブロックペアが構成され、１つの前記物理リソースブロックペアを分割したリソースから第一の要素が構成され、制御チャネルは１個以上の前記第一の要素の集合から構成され、基地局装置と前記制御チャネルを用いて通信を行う移動局装置に実装される集積回路であって、前記物理リソースブロックペア内の複数の前記第一の要素と、それぞれの前記第一の要素の信号の送信に用いられ複数のアンテナポートとの対応に関して、複数の組み合わせの中から何れか１つの組み合わせを示す情報を前記基地局装置より受信する第一の受信部と、前記第一の受信部で受信された前記組み合わせを示す情報に基づき、前記物理リソースブロックペア内のそれぞれの前記第一の要素の信号の復調に用いる前記参照信号が対応するアンテナポートを設定する第一の無線リソース制御部と、を有することを特徴とする。
【０２２０】
また、本発明の集積回路は、制御チャネルが配置される可能性のある領域である制御チャネル領域として複数の物理リソースブロックペアが構成され、１つの前記物理リソースブロックペアを分割したリソースから第一の要素が構成され、制御チャネルは１個以上の前記第一の要素の集合から構成され、複数の移動局装置と前記制御チャネルを用いて通信を行う基地局装置に実装される集積回路であって、前記物理リソースブロックペア内の複数の前記第一の要素と、それぞれの前記第一の要素の信号の送信に用いる複数のアンテナポートとの対応に関して、複数の組み合わせの中から何れか１つの組み合わせを前記移動局装置に対して設定する第二の無線リソース制御部と、を有することを特徴とする。
【０２２１】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２２２】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。移動局装置５および基地局装置３の各機能ブロックは、複数の回路により実現してもよい。
【０２２３】
情報及び信号が、種々の異なるあらゆる技術及び方法を用いて示され得る。例えば上記説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【０２２４】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【０２２５】
本明細書の開示に関連して述べられた種々の例示的な論理ブロック、処理部は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２２６】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことが出来るように、プロセッサに結合され得る。別の方法では、記録媒体はプロセッサに一体化されても良い。プロセッサと記録媒体は、ＡＳＩＣ内にあっても良い。ＡＳＩＣは、移動局装置（ユーザ端末）内にあり得る。あるいは、プロセッサ及び記録媒体は、ディスクリート要素として移動局装置５内にあっても良い。
【０２２７】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことが出来る。また、あらゆる接続が、適切にコンピュータ読み取り可能な媒体と呼ばれる。例えば、もしソフトウェアが同軸ケーブル、光ファイバケーブル、ツイストペア、デジタル加入者回線（ＤＳＬ）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（ｄｉｓｋ、ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、ブルーレイディスク、を含み、ディスク（ｄｉｓｋ）は、一般的に、磁気的にデータを再生する一方で、ディスク（ｄｉｓｃ）はレーザによって光学的にデータを再生する。上記のものを組み合わせたものもまた、コンピュータ読み取り可能な媒体に含まれるべきである。
【０２２８】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０２２９】
３  基地局装置
４（Ａ〜Ｃ）  ＲＲＨ
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
２２７  プリコーディング処理部（ＰＤＣＣＨ用）
２２９  プリコーディング処理部（ＰＤＳＣＨ用）
２３１  プリコーディング処理部（下りリンクパイロットチャネル用）
３０１  受信ＲＦ部
３０３  Ａ／Ｄ部
３０９  シンボルタイミング検出部
３１１  ＧＩ除去部
３１３  ＦＦＴ部
３１５  サブキャリアデマッピング部
３１７  伝搬路推定部
３１９  伝搬路等化部（ＰＵＳＣＨ用）
３２１  伝搬路等化部（ＰＵＣＣＨ用）
３２３  ＩＤＦＴ部
３２５  データ復調部
３２７  ターボ復号部
３２９  物理上りリンク制御チャネル検出部
３３１  プリアンブル検出部
３３３  ＳＲＳ処理部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（ＰＤＳＣＨ用）
５１７  物理下りリンク共用チャネル復号部
５１９  伝搬路補償部（ＰＤＣＣＨ用）
５２１  物理下りリンク制御チャネル復号部
５２３  データ復調部
５２５  ターボ復号部
５２７  ＱＰＳＫ復調部
５２９  ビタビデコーダ部
５３１  下りリンク受信品質測定部
５３３  ＰＤＣＣＨデマッピング部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２５  ＧＩ挿入部
６２７  送信電力調整部
６２９  ランダムアクセスチャネル処理部
２１０１〜２１１２  領域
２１５１〜２１５５  Ｅ−ＣＣＥ
２２０１〜２２０８  領域
２２５１〜２２５４  Ｅ−ＣＣＥ
２３０１〜２３１２  領域
２３５１〜２３６２  Ｅ−ＣＣＥ
２４０１〜２４０６  ＰＲＢ  Ｐａｉｒ
２５０１〜２５０６  ＰＲＢ  Ｐａｉｒ
２６０１〜２６０６  ＰＲＢ  Ｐａｉｒ
２７０１〜２７０６  ＰＲＢ  Ｐａｉｒ
２８０１〜２８０６  ＰＲＢ  Ｐａｉｒ
【図１】
0005868717.tif 000002
【図２】
0005868717.tif 000003
【図３】
0005868717.tif 000004
【図４】
0005868717.tif 000005
【図５】
0005868717.tif 000006
【図６】
0005868717.tif 000007
【図７】
0005868717.tif 000008
【図８】
0005868717.tif 000009
【図９】
0005868717.tif 000010
【図１０】
0005868717.tif 000011
【図１１】
0005868717.tif 000012
【図１２】
0005868717.tif 000013
【図１３】
0005868717.tif 000014
【図１４】
0005868717.tif 000015
【図１５】
0005868717.tif 000016
【図１６】
0005868717.tif 000017
【図１７】
0005868717.tif 000018
【図１８】
0005868717.tif 000019
【図１９】
0005868717.tif 000020
【図２０】
0005868717.tif 000021
【図２１】
0005868717.tif 000022
【図２２】
0005868717.tif 000023
【図２３】
0005868717.tif 000024
【図２４】
0005868717.tif 000025
【図２５】
0005868717.tif 000026
【図２６】
0005868717.tif 000027
【図２７】
0005868717.tif 000028
【図２８】
0005868717.tif 000029
【図２９】
0005868717.tif 000030